(57)【要約】【課題】  本発明は電子白板に関する。【解決手段】  白板とアーカイブメモリを使用する方法及び装置であり、前記白板は画像を表示するための表面を有し、前記方法はアーカイブメモリに蓄積するため複数の提示された画像をグループ化し、個別のセッションファイル内の画像グループをパスワード保護し、パスワードは後に複数のセッションファイル画像にアクセスするため必要となる。
2006526958.tif 000002
【特許請求の範囲】
【請求項１】
表示面とアーカイブメモリを使用する方法であり、前記表示面は画像を表示するための表面を有し、前記アーカイブメモリに蓄積するため提示された複数の画像をグループ化する前記方法において、
ａ）表示面のユーザからの命令を受信するためのインターフェースを提供する工程と；
ｂ）後に記録保存される画像が画像サブセットにグループ化されることを示すサブセット開始命令をモニターする工程と；
ｃ）サブセット開始命令を受信した後、
ｉ）提示された画像が記録保存される予定であることを示すアーカイブ命令と、追加画像が前記画像サブセットに追加されないことを示すサブセット終了命令をモニターする工程と；
ｉｉ）アーカイブ命令を受信すると、前記画像サブセットの一部として前記提示された画像を記録保存する工程と；
ｉｉｉ）サブセット終了命令を受信すると、工程（ｂ）にスキップする工程と；
ｉｖ）工程（ｉ）ないし工程（ｉｉｉ）を繰り返す工程と；
を具備することを特徴とする方法。
【請求項２】
前記サブセット開始命令をモニターする前記工程がサブセット開始命令とアーカイブ命令の各々をモニターする工程を含み、アーカイブ命令がサブセット開始命令の受信前に受信されると、前記方法が他の画像から分離した画像として提示された画像を記録保存する工程を含むことを特徴とする請求項１記載の方法。
【請求項３】
画像サブセットに対するアクセスを制限する工程が更にサブセット開始命令を受信すると後に記録保存される前記画像サブセットにサブセットパスワードを割り当てる工程と、前記サブセットパスワードを提供するユーザに対し前記サブセット画像へのアクセスを制限する工程を具備することを特徴とする請求項１記載の方法。
【請求項４】
サブセットパスワードを割り当てる前記工程がサブセットパスワードを自動的に且つランダムに割り当てる工程を含むことを特徴とする請求項３記載の方法。
【請求項５】
サブセットパスワードを割り当てた後、サブセット終了命令が受信されるまでインターフェースを介して前記サブセットパスワードを提示する工程を更に含むことを特徴とする請求項４記載の方法。
【請求項６】
前記サブセットパスワードを提示する前記工程が前記サブセットパスワードを視覚的に表示する工程を含むことを特徴とする請求項５記載の方法。
【請求項７】
前記サブセットパスワードを提示する前記工程が前記サブセットパスワードを音声的に提供する工程を含むことを特徴とする請求項５記載の方法。
【請求項８】
サブセット開始命令をモニターする前記工程がサブセット開始命令とアーカイブ命令の各々をモニターする工程を含み、アーカイブ命令がサブセット開始命令を受信する前に受信されると、前記方法が提示された画像を個別の非制限画像として記録保存する工程を含むことを特徴とする請求項３記載の方法。
【請求項９】
画像が記録保存された後、各記録保存された画像のための個別の選択可能なアイコンを含む前記記録保存された画像にアクセスするためユーザーにレビューインターフェースを提供する工程を更に含み、前記選択可能なアイコンが各非制限記録保存画像のための非制限アイコン及び各制限画像のための制限アイコンを含むことを特徴とする請求項８記載の方法。
【請求項１０】
非制限アイコンが選択されると、対応する画像を提示する工程と、特定の画像サブセットと関連付けられた制限アイコンが選択されると、前記特定の画像サブセットと関連する前記パスワードをモニターする工程と、関連するパスワードが受信されると、前記画像サブセットからの画像の少なくとも一つを提示する工程とを更に含むことを特徴とする請求項９記載の方法。
【請求項１１】
前記特定の画像サブセットからの画像を提示した後、次の選択されるアイコンをモニターする工程と、もし前記次の選択されたアイコンが前記特定のサブセット内の画像に対応すると、対応する画像を提示する工程とを更に含むことを特徴とする請求項１０記載の方法。
【請求項１２】
サブセットパスワードを割り当てた後、サブセット終了命令が受信されるまでインターフェースを介して前記サブセットパスワードを提示する工程を更に含むことを特徴とする請求項３記載の方法。
【請求項１３】
サブセット開始命令をモニターする前記工程が前記インターフェース上に制限機能を示す保護ボタンを提供する工程と、前記制限機能がオフになると、前記保護ボタンが選択される時期を判断する工程とを含むことを特徴とする請求項３記載の方法。
【請求項１４】
サブセット終了命令をモニターする前記工程は、前記制限機能がオンになると、前記保護ボタンが選択される時期を判断する工程を含むことを特徴とする請求項１３記載の方法。
【請求項１５】
アーカイブ指示をモニターする前記工程が、前記インターフェース上にアーカイブ機能を示すアーカイブボタンを提供する工程と、前記アーカイブボタンが始動する時期を判断する工程を含むことを特徴とする請求項１４記載の方法。
【請求項１６】
サブセットパスワードを割り当てる前記工程が、システムユーザーから前記インターフェースを介して前記サブセットパスワードを受信する工程を含むことを特徴とする請求項３記載の方法。
【請求項１７】
画像を表示するための表面を有する表示面とアーカイブメモリを使用し、更にアーカイブメモリに蓄積するためサブセットに少なくともいくつかの提示された複数の画像をグループ化し、少なくともいくつかの前記画像サブセットへのアクセスを制限するための方法において、
ａ）表示面のユーザーからの命令を受信するためのインターフェースを提供する工程と；
ｂ）後に記録保存される複数の画像が画像サブセットでグループ化されること、及び前記サブセット画像に対するアクセスが制限されることを示す制限開始命令をモニターする工程と；
ｃ）制限開始命令が受信された後、
ｉ）後に記録保存される前記画像サブセットにサブセットパスワードを割り当てる工程と；
ｉｉ）提示された画像が記録保存されることを示すアーカイブ命令と、追加画像が前記画像サブセットに追加されないことを示す制限終了命令の各々をモニターする工程と；
ｉｉｉ）アーカイブ命令が受信されると、前記提示された画像を前記画像サブセットの一部として記録保存する工程と；
ｉｖ）制限終了命令が受信されると、前記サブセットパスワードを提供するユーザに対し前記サブセット画像へのアクセスを制限し、工程（ｂ）にスキップする工程と；
ｖ）工程ｉ）ないし工程ｉｖ）を繰り返す工程と；
を具備することを特徴とする方法。
【請求項１８】
サブセット開始命令をモニターする前記工程が、サブセット開始命令とアーカイブ命令の各々をモニターする工程を含み、アーカイブ命令がサブセット開始命令を受信する前に受信されると、前記方法が前記提示された画像を個別の非制限画像として記録保存する工程を含むことを特徴とする請求項１７記載の方法。
【請求項１９】
サブセットパスワードを割り当てる前記工程が、サブセットパスワードを自動的に且つランダムに割り当てる工程を含むことを特徴とする請求項１８記載の方法。
【請求項２０】
サブセットパスワードを割り当てた後、サブセット終了命令が受信されるまで、前記インターフェースを介して前記サブセットパスワードを視覚的に表示する工程を更に含むことを特徴とする請求項１９記載の方法。
【請求項２１】
前記提示された画像を前記サブセットの一部として記録保存する前記工程が、前記提示された画像を個別の画像として記録保存する工程と、前記サブセットパスワードを提供するユーザーに対して前記個別の画像へのアクセスを制限する工程を含むことを特徴とする請求項１７記載の方法。
【請求項２２】
サブセット開始命令をモニターする前記工程が、前記インターフェース上に制限機能を示す保護ボタンを提供する工程と、前記制限機能がオフになると、前記保護ボタンが始動する時期を判断する工程を含み、サブセット終了命令をモニターする前記工程が、前記制限機能がオンになると、前記保護ボタンが始動する時期を判断する工程を含むことを特徴とする請求項１７記載の方法。
【請求項２３】
アーカイブ指示をモニターする前記工程が、前記インターフェース上にアーカイブ機能を示すアーカイブボタンを提供し、前記アーカイブボタンが始動する時期を判断する工程を含むことを特徴とする請求項２２記載の方法。
【請求項２４】
アーカイブメモリに蓄積するため複数の画像をグループ化するための装置において、
画像を提示するための表面を有する表示面と；
メモリ装置と；
インターフェースと；
前記インターフェース及び前記メモリ装置に接続されたプロセッサと；
を具備し、前記プロセッサが、
ａ）後に記録保存される複数の画像が画像サブセットにグループ化されることを指示するサブセット開始命令のためのインターフェースをモニターする工程と；
ｂ）サブセット開始命令が受信された後、
ｉ）提示された画像が記録保存されることを示すアーカイブ命令と、追加画像が前記画像サブセットに追加されないことを指示するサブセット終了命令の各々のための前記インターフェースをモニターする工程と；
ｉｉ）アーカイブ命令が受信されると、前記提示された画像を前記画像サブセットの一部として記録保存する工程と；
ｉｉｉ）サブセット終了命令が受信されると、工程（ａ）にスキップする工程と；
ｉｖ）工程ｉ）から工程ｉｉｉ）を繰り返す工程と；
を具備することを特徴とする装置。
【請求項２５】
前記プロセッサがサブセット開始命令とアーカイブ命令の各々のための前記インターフェースをモニターすることによりサブセット開始命令をモニターし、アーカイブ命令がサブセット開始命令を受信する前に受信されると、前記プロセッサが個別の画像として前記提示された画像を記録保存することを特徴とする請求項２４記載の装置。
【請求項２６】
前記装置が画像サブセットに対するアクセスを制限し、前記プロセッサは、サブセット開始命令が受信されると、後に記録保存されるサブセット画像にサブセットパスワードを割り当てる工程と、前記サブセットパスワードを提供するユーザーに対し前記サブセット画像へのアクセスを制限する工程を実施することを特徴とする請求項２４記載の装置。
【請求項２７】
前記プロセッサが前記サブセットパスワードを自動的に且つランダムに割り当てることを特徴とする請求項２６記載の装置。
【請求項２８】
前記インターフェースが視覚表示装置を含み、前記プロセッサは、サブセットパスワードを割り当てた後、次にサブセット終了命令が受信されるまで、前記表示装置を介して前記サブセットパスワードを提示することを特徴とする請求項２７記載の装置。
【請求項２９】
前記プロセッサは個別画像として前記提示された画像を記録保存し、前記サブセットパスワードを提供するユーザーに対して個別の画像へのアクセスを制限することにより、前記サブセットの一部として前記提示された画像を記録保存することを特徴とする請求項２６記載の装置。
【請求項３０】
サブセット開始命令をモニター中、前記プロセッサは前記アーカイブ命令もモニターし、アーカイブ命令がサブセット開始命令の受信前に受信されると、前記プロセッサは個別の非制限画像として前記提示された画像を記録保存することを特徴とする請求項２９記載の装置。
【請求項３１】
前記インターフェースは保護ボタンを含み、前記プロセッサは、制限機能がオフになると、前記保護ボタンが始動する時期を判断することによりサブセット開始命令をモニターすることを特徴とする請求項２６記載の装置。
【請求項３２】
プロセッサは、前記制限機能がオンになると、前記保護ボタンが始動する時期を判断することによりサブセット終了命令をモニターすることを特徴とする請求項３１記載の装置。
【請求項３３】
前記インターフェースはアーカイブボタンを含み、前記プロセッサは、前記アーカイブボタンが始動する時期を判断することによりアーカイブ命令をモニターすることを特徴とする請求項２４記載の装置。
【請求項３４】
アーカイブメモリに蓄積するため少なくともいくつかの提示された画像をサブセットにグループ化し、且つ少なくともいくつかの画像サブセットに対するアクセスを制限するための装置において、
画像を提示するサブセットを有する表示面と；
メモリ装置と；
インターフェースと；
前記インターフェースと前記メモリ装置に接続されたプロセッサと；
を具備し、前記プロセッサが、
ａ）後に記録保存される複数の画像が画像サブセットにグループ化されること及び前記サブセット画像に対するアクセスが制限されることを指示する制限開始命令をモニターする工程と；
ｂ）制限開始命令が受信された後、
ｉ）後に記録保存される前記画像サブセットにサブセットパスワードを割り当てる工程と；
ｉｉ）提示された画像が記録保存されることを指示するアーカイブ命令と、追加の画像が前記画像サブセットに追加されないことを指示する制限終了命令の各々をモニターする工程と；
ｉｉｉ）アーカイブ命令が受信されると、前記提示された画像を画像サブセットの一部として前記メモリ装置に記録保存する工程と；
ｉｖ）制限終了命令が受信されると、前記サブセットパスワードを提供するユーザに対し前記サブセット画像へのアクセスを制限し、工程（ａ）にスキップする工程と；
ｖ）工程（ｉ）ないし工程（ｉｖ）を繰り返す工程と；
を具備することを特徴とする装置。
【請求項３５】
前記プロセッサはサブセット開始命令とアーカイブ命令を同時にモニターし、且つアーカイブ命令がサブセット開始命令を受信する前に受信されると、前記プロセッサは個別の非制限画像として前記提示された画像を記録保存することを特徴とする請求項３４記載の装置。
【請求項３６】
前記インターフェースは視覚表示器を含み、プロセッサはサブセット開始命令が受信されるとサブセットパスワードを自動的に且つランダムに割り当て、サブセットパスワードの割当後、前記プロセッサは、サブセット終了命令が受信されるまで前記表示器を介して前記パスワードを表示することを特徴とする請求項３５記載の装置。
【請求項３７】
個別画像として前記提示された画像を記録保存し、前記サブセットパスワードを提供するユーザに対し前記個別画像へのアクセスを制限することにより、前記プロセッサが前記サブセットの一部として前記提示された画像を記録保存することを特徴とする請求項３４記載の装置。
【請求項３８】
表示面と前記表示面と相互作用する少なくとも１つの器具を使用する方法であり、前記少なくとも１つの器具は前記表面上の位置を特定し、器具との接触を介して前記表面上の画像を変更するために使用でき、且つ前記器具が前記表示面と接触する時期及び場所を判断するための方法において、
前記表面に近傍で且つ前記表面から離間した検出面内の前記器具の位置を判断するため第１センサーを使用する工程と；
前記器具が前記表面と接触する時期を判断するため第２センサーを使用する工程と；
器具が前記検出面内に配置され表面と接触すると、前記器具の前記表面への接触及び前記表面に対する前記器具の位置を特定する工程と；
を具備することを特徴とする方法。
【請求項３９】
前記表面の近傍の前記器具の位置が変更され、前記器具が前記表面と接触状態にあると、前記相互作用が音響信号を生じ、且つ第２センサーを使用する工程が音響センサーを提供し、且つ前記音響信号を検出するため前記音響センサーを使用する工程を含むことを特徴とする請求項３８記載の方法。
【請求項４０】
検出面内の前記器具の位置を判断するため第１センサーを使用する工程が、前記検出面内の器具の位置を検出する光学レーザーアセンブリを提供する工程を含むことを特徴とする請求項３９記載の方法。
【請求項４１】
前記器具は前記器具が前記表面と接触すると、タグの少なくとも一部が前記検出面内に配置されるように少なくとも１つのコード化されたタグを含み、前記検出面内の前記器具の位置を検出する工程は、前記検出面内の前記タグの位置を判断する工程を含むことを特徴とする請求項４０記載の装置。
【請求項４２】
前記表示面は書き込み表面であり、前記表示面は更に前記書き込み表面の反対に裏面を含み、音響センサーを提供する工程が、前記裏面に対して前記音響センサーを設置する工程含むことを特徴とする請求項３９記載の方法。
【請求項４３】
前記センサーはいくつかのプロセッサ機能を停止状態にし、ある期間使用されない時、節電モードにするプロセッサに接続され、前記方法は音がボードの近傍で発生すると前記プロセッサを始動し、更に、前記ボードの近傍の音を検出するため前記音響センサーを使用する工程及び前記プロセッサを始動する工程を含むことを特徴とする請求項３９記載の方法。
【請求項４４】
第２センサーを使用する工程が、前記器具が前記表面と接触する時期を判断するためタッチ感応センサーを使用する工程を含むことを特徴とする請求項３８記載の方法。
【請求項４５】
表示面画像を蓄積するための前記表示面に接続されたメモリ装置を使用するための方法であり、前記器具が前記表面上の画像を変更するためのものであり、前記方法は更に前記器具が前記表面と接触したこと及び前記表面に対する前記器具の位置を特定した後、前記表面との接触中前記器具の前記検出された位置の機能として前記メモリ装置内の前記画像情報を変更する工程を含むことを特徴とする請求項３８記載の方法。
【請求項４６】
前記器具がペンであり、前記画像情報を変更する工程が、接触中の前記器具の位置のマークに対応する情報を蓄積する工程を含むことを特徴とする請求項４５記載の方法。
【請求項４７】
器具の位置を確認するため前記音響センサーを使用する工程を更に含むことを特徴とする請求項３９記載の方法。
【請求項４８】
画像を生成し且つ蓄積し、少なくとも１つの器具と共に使用するための装置において、
表示面と；
前記表面の近傍で且つ前記表面から離間する検出面内の前記器具の位置を判断するための第１センサーと；
前記器具が前記表面と接触する時期を判断するための第２センサーと；
前記第１及び第２センサーの各々に接続され、器具が前記検出面内に配置され、前記表面と接触すると、前記器具が前記表面と接触すること及び前記表面に対する前記器具の位置を特定するためプログラムを実行するプロセッサと；
を具備することを特徴とする装置。
【請求項４９】
電子表示面と、前記表示面と相互作用するための器具を使用する方法であり、前記表示面が表示領域を有し、前記表示領域の少なくとも一部の周囲でカーソルアイコンを移動させる方法において、
第１及び第２領域表面を有する前記表示領域内の第１及び第２領域を特定する工程と；
前記第１領域表面上の前記器具の位置を検出する工程と；
前記第１領域表面上の前記器具の位置の機能として前記第２領域表面上にカーソル位置を投影する工程と；
を具備することを特徴とする方法。
【請求項５０】
前記第１及び第２領域が相違することを特徴とする請求項４９記載の方法。
【請求項５１】
前記第２領域を特定する工程が、前記第２領域を前記表示面上の他の領域から区別するための境界を提供する工程を含むことを特徴とする請求項５０記載の方法。
【請求項５２】
前記第１及び第２領域を特定する工程が、前記第２領域より小さい第１領域を特定する工程を含むことを特徴とする請求項４９記載の方法。
【請求項５３】
前記第１及び第２領域を特定する工程が、更に前記第１領域として前記表示領域の端部に沿った領域を特定する工程を含むことを特徴とする請求項５２記載の方法。
【請求項５４】
前記第１領域の形状は前記第２領域の形状に類似し、前記第１領域は前記第２領域より小さいことを特徴とする請求項４９記載の方法。
【請求項５５】
前記第１領域表面上の前記器具位置の機能として前記第２領域表面上にカーソルを投影する前記工程が、前記第２領域に対する前記カーソルアイコンの位置が前記第１領域に対する前記器具の位置と同一であるような位置で前記カーソルアイコンを投影する工程を含むことを特徴とする請求項５４記載の方法。
【請求項５６】
前記器具は前記第１領域表面と接触し、前記第１表面上を移動すると、前記カーソルアイコンは前記第２領域表面上を移動することを特徴とする請求項５５記載の方法。
【請求項５７】
前記器具が前記第１領域表面と接触し、第１方向に沿って前記第１領域表面上を動くと、前記カーソルアイコンは前記第２方向が前記第１方向と同一であるような第２方向に沿って前記第２領域表面上を移動することを特徴とする請求項４９記載の方法。
【請求項５８】
前記第１領域表面は前記第２領域表面上での活動を制御するために利用できる複数の第１領域表面を含むことを特徴とする請求項４９記載の方向。
【請求項５９】
前記第１領域表面が前記第２領域表面の一部であることを特徴とする請求項４９記載の方法。
【請求項６０】
第１及び第２領域表面を特定する前記工程が、前記表示面上に前記第２領域を示す境界を投影する工程を含むことを特徴とする請求項４９記載の方法。
【請求項６１】
前記第２領域と前記第２領域周囲の境界を含むバッファ領域を特定する工程を更に含み、前記方法は更に前記バッファ領域と前記第２領域内の器具位置を検出する工程と、前記器具が前記バッファ領域と前記第２領域の一つの前記表面と接触すると前記器具位置の絶対位置の前記表面上に前記カーソルを投影する工程を含むことを特徴とする請求項６０記載の方法。
【請求項６２】
前記第１領域表面上の前記器具位置の機能として前記第２領域表面上のカーソルアイコンを投影する前記工程が、前記第２領域に対する前記カーソルアイコンの位置が前記第１領域に対する前記器具の位置と同一であるような位置で前記カーソルアイコンを投影する工程を更に含むことを特徴とする請求項６１記載の方法。
【請求項６３】
前記第１領域は前記第２領域以外の前記表示面の各部分を含むことを特徴とする請求項４９記載の方法。
【請求項６４】
前記第１領域上の前記器具位置の機能として前記第２領域内にカーソルアイコンを投影する前記工程が、前記第１領域上の前記器具の動きを特定する工程と、前記第２領域上で前記カーソルの相対移動を生じさせる工程を含むことを特徴とする請求項６３記載の方法。
【請求項６５】
前記第２領域表面上の器具位置を検出する工程と、前記第２領域表面上の前記器具の位置の機能として前記第２領域表面上にカーソルアイコンを投影する工程を更に含むことを特徴とする請求項６４記載の方法。
【請求項６６】
前記第２領域表面上の前記器具の位置の機能として前記第２領域表面上にカーソルアイコンを投影する工程が、前記第２領域表面上の前記器具の絶対位置に前記カーソルを投影する工程を含むことを特徴とする請求項６５記載の方法。
【請求項６７】
電子表示面と表示領域を有する前記表示面と相互作用する器具を使用する方法であり、前記表示領域の少なくとも一部の周囲にカーソルアイコンを移動させる方法において、
第１及び第２領域表面を有する前記表示領域内の第１及び第２領域を特定する工程と；
前記器具が前記第１領域表面上の位置と接触して配置されると、
ａ）前記第１領域表面上の前記器具位置を検出する工程と；
ｂ）前記第１領域表面上の前記器具位置の機能として前記第２領域表面上にカーソルアイコンを投影する工程と；
前記器具が前記第２領域表面上の位置と接触して配置されると、
ａ）前記第２領域表面上の前記器具位置を検出する工程と；
ｂ）前記第２領域表面上の前記器具の位置で前記第２領域表面上にカーソルアイコンを投影する工程と；
を具備することを特徴とする方法。
【請求項６８】
いくつかの機能ボタンを含む電子表示面上の特徴に関する情報を提供する方法において、
ａ）情報ボタンを提供する工程と；
ｂ）前記情報ボタンの始動をモニターする工程と；
ｃ）前記情報ボタンが始動された後、前記特徴ボタンの始動をモニターする工程と；
ｄ）前記特徴ボタンの１つが前記上ボタンの始動後に始動されると、前記始動された特徴ボタンに対応する特徴に関する情報を提供する工程と；
を具備することを特徴とする方法。
【請求項６９】
前記情報ボタンが始動すると、タイマーを開始する工程と、前記タイマー値をタイムアウト期間と比較する工程と、タイマー値が特徴ボタンの始動以前にタイムアウト期間を超えると、工程（ｂ）にスキップする工程を含むことを特徴とする請求項６８記載の方法。
【請求項７０】
前記情報ボタンは外観を変えるように制御され、前記方法は前記タイマーが開始すると前記情報ボタンの外観を変更する工程を更に含むことを特徴とする請求項６９記載の方法。
【請求項７１】
情報を提供する工程が、情報を音声的に提供する工程を含むことを特徴とする請求項６８記載の方法。
【請求項７２】
情報を提供する工程が、情報を視覚的に提供する工程を含むことを特徴とする請求項６８記載の方法。
【請求項７３】
表示面と、前記表示面近傍の検出面内のタグの位置と型を検出するためのセンサーアセンブリを含む電子白板を使用するための装置において、
第１及び第２端部を有する器具、及び前記第１端部が前記表示面と接触すると、前記第１タグの少なくとも一部が前記検出面内にあるように前記第１端部に配置された第１タグと；
前記第１及び第２キャップ端部を有し、これらの間で外部表面を形成するキャップ部材であり、前記第２キャップ端部は前記第１器具端部が開口部内に受け入れられると前記キャップが前記器具タグをカバーするように前記第１器具端部を受け入れるための開口部を形成したキャップ部材と、更に前記キャップの前記第１端部が前記表示面と接触すると、前記キャップタグが前記検出面内にあるように前記キャップ部材の前記第１端部に配置された第１キャップタグと；
を具備することを特徴とする装置。
【請求項７４】
前記第１器具タグと前記第１キャップタグは異なる器具を示し、前記タグの各々はスタイラス、イレーザー、及びペンの１つを示すことを特徴とする請求項７３記載の装置。
【請求項７５】
前記キャップ部材の前記第２端部で形成された前記開口部は前記第１器具端部が内部に受け入れられると前記キャップが前記器具タグを完全にカバーするように形成されることを特徴とする請求項７４記載の装置。
【請求項７６】
電子表示面と使用され、且つ前記表示面上の前記器具を介して発生する視覚効果を特定するための装置において、
前記表示面近傍の検出面内のタグの位置と型を検出するためのセンサーアセンブリ；
を具備し、器具が、
第１及び第２ハンドル端部と、前記第１ハンドル端部に配置された少なくとも第１及び第２の光学的に読み出し可能なハンドルタグを有するハンドル部材と；
第１及び第２キャップ端部と、前記第１及び第２キャップ端部間で且つ前記第１ハンドル端部を受け入れるための前記第２キャップで開口部を形成する外部表面を有するキャップ部材であり、前記キャップ部材が前記外部表面と前記開口部により形成されたチャンネル間の前記キャップ部材の第１端部の近傍にウインドウを形成し、前記ウインドウは前記キャップ部材の前記第１端部が前記表面と接触すると、前記ウインドウの少なくとも一部が前記検出面内にあるように前記キャップ部材の前記第１端部に対して形成され、前記第１ハンドル端部が前記開口部内に受け入れられると、前記ハンドルタグが前記開口部内にあり、タグの各々は前記タグが前記開口部を介して検出できるように前記ウインドウと個別に整合可能であり、前記キャップ部材は前記検出面内の前記第１及び第２ハンドルタグの各々を個別に露出するため前記第１ハンドルの周囲を回転可能であり、前記ハンドルタグの各々は異なる器具特性を示すキャップ部材と；
を具備することを特徴とする装置。
【請求項７７】
前記ハンドル部材の前記第１端部に配置された第３ハンドルタブを更に含み、前記キャップ部材は前記ウインドウを介して前記第３ハンドルタグを個別に露出するため前記ハンドル部材の前記第１端部の周囲を回転可能であり、前記第３タグは前記第１及び第２タグにより示された前記器具の特性と異なる器具の特性を示すことを特徴とする請求項７６記載の装置。
【請求項７８】
前記キャップ部材の前記第１端部が前記表示面と接触すると前記キャップタグが前記検出面内にあるように前記外部表面上で前記キャップ部材の前記第１端部に配置されたキャップタグを更に含み、前記キャップタグは前記器具型についての追加情報を示し、前記センサーアセンブリは前記器具の前記第１端部が前記キャップ開口部内に受け入れられ、前記キャップ部材の前記第１端部が前記表示面と接触すると、前記キャップタグと前記ハンドルタグの少なくとも１つを検出することを特徴とする請求項７６記載の装置。
【請求項７９】
前記キャップタグが器具の型を示し、前記ハンドルタグが前記器具の型の追加的特性を示すことを特徴とする請求項７８記載の装置。
【請求項８０】
前記キャップタグがスタイルス、ペン、イレーザーの一つを示し、前記キャップタグがペンを示す場合前記ハンドルタグがペンの幅とペンの色のうち少なくとも一つを示し、前記キャップタグがイレーザーを示す場合前記ハンドルタグが異なるイレーザーの幅と色のうち少なくとも一つを示すことを特徴とする請求項７９記載の装置。
【請求項８１】
前記タグウインドウが開口部であることを特徴とする請求項７６記載の装置。
【請求項８２】
前記ハンドルの外部表面と前記キャップ部材外部表面のうち１つが前記ハンドルタグと前記ハンドル部材外部表面の他方と関連する器具特性を示す特性マークを含み、前記キャップ部材外部表面は整合マークを含み、前記特性マークと前記整合マークは前記ハンドル部材の前記第１端部が前記キャップ部材開口部に受け入れられ、前記第１ハンドルタグが前記タグウインドウと整合されると、前記整合マークが前記第１ハンドルタグと関連する特性を示す前記特性マークと整合されるように並置され、前記ハンドル部材の前記第１端部が前記キャップ部材開口部内に受け入れられ、前記第２ハンドルタグが前記タグウインドウと整合されると、前記整合マークが前記第２ハンドルタグと関連する特性を示す前記特性マークと整合されることを特徴とする請求項７６記載の装置。
【請求項８３】
表示面と使用するためのアセンブリにおいて、
前記表示面と相互作用する器具を検出するためのセンサーアセンブリと；
メモリ装置と；
前記センサーアセンブリと前記メモリ装置に接続されたプロセッサであり、前記表示面に対する器具の活動に関する前記センサーアセンブリからの情報を受信し、プロセッサ自体の機能として画像データを発生し、前記画像が前記表示面上に生成されると前記メモリ装置内の画像として前記画像データを蓄積するプロセッサと；
前記プロセッサに接続され、前記メモリ装置に蓄積された前記画像データを消去するクリアボタンと；
を具備することを特徴とするアセンブリ。
【請求項８４】
前記センサーが前記表示面近傍の検出面内のタグの位置及び型を判断し、各器具は前記表示面と相互作用するために使用される前記器具の一部の近傍に配置され、前記器具が前記表示面と接触すると前記検出面内に存在するタグを含むことを特徴とする請求８３記載の装置。
【請求項８５】
第１端部のインクディスペンサーと前記第１端部の近傍に配置されたペンタグを含むペン器具を更に含むことを特徴とする請求項８４記載の装置。
【請求項８６】
画像データが前記メモリ装置に蓄積される時期を示すメモリインディケータを更に含むことを特徴とする請求項８３記載の装置。
【請求項８７】
前記メモリインディケータは画像データが前記メモリ装置に蓄積されると点灯する光であることを特徴とする請求項８６記載の装置。
【請求項８８】
警告インディケータを更に含み、前記アセンブリはタグをつけていない物体が前記検出面内で検出されると前記検出内の対象物体を検出でき、前記プロセッサは前記警告インディケータを始動することを特徴とする請求項８３記載の装置。
【請求項８９】
前記警報インディケータはアセンブリユーザにより積極的に停止状態にされるまで作動した状態であることを特徴とする請求項８８記載の装置。
【請求項９０】
インク消去表面及びイレーザー表面の近傍に配置されたイレーザータグを備えるイレーザー器具を含み、前記イレーザー表面が前記表示面と接触すると前記イレーザタグが前記検出面に留まることを特徴とする請求項８５記載の装置。
【請求項９１】
表示面と使用するためのアセンブリにおいて、
前記表示面と相互作用する器具を検出するためのセンサーアセンブリと；
メモリ装置と；
警報インディケータと；
前記センサーアセンブリと前記メモリ装置に接続されたプロセッサであり、前記検出面内にある物体に関する前記センサーアセンブリからの情報を受信し、前記表示面上の器具の活動の機能として画像データを生成し、情報が上記表示面上で変化すると画像として前記画像データを前記メモリ装置内に蓄積し、タグのない物体が前記表示面上で検出されると前記警報インディケータを始動するプロセッサと；
を具備することを特徴とするアセンブリ。
【請求項９２】
前記センサーが前記表示面の近傍の検出面内のタグの位置と型を判断し、各器具は前記表示面と相互作用するために使用される前記器具の一部の近傍に配置され、かつ前記器具が前記表示面と接触すると前記検出面内に留まるタグを含むことを特徴とする請求項９１記載の装置。
【請求項９３】
第１端部のインクディスペンサーと前記第１端部の近傍に配置されたペンタグを含むペン器具を更に含むことを特徴とする請求項９２記載の装置。
【請求項９４】
前記警報インディケータは光であり、タグのない物体が前記検出面内で検出されると前記プロセッサにより点灯されることを特徴とする請求項９１記載の装置。
【請求項９５】
前記警報インディケータはアセンブリユーザーにより積極的に停止状態にされるまで作動していることを特徴とする請求項９１記載の装置。
【請求項９６】
表示端部を有する表示面とレーザー装置を使用するための方法であり、前記レーザー装置が検出面内の放射点から放射するレーザービームを発生し、前記検出面内の物体を検出し、前記検出面が前記表示面と平行であるように前記レーザ装置を整合する方法において、
前記放射点が前記表示面から既知の距離だけ離間し、前記レーザービームにより発生したビームが前記表示面と一般的に平行に向けられるように、前記表示面の近傍に前記レーザー装置を設置する工程と；
前記レーザー装置に可視光ビームを発生させる工程と；
計測表面が前記ビームにより範囲決めされる前記表示面に沿って異なる位置で計測表面を提供する工程と；
前記ビームが前記計測表面上に光線を形成するように光源の周囲及び前記検出面内でアークを介して前記ビームを回転させる工程と；
前記計測表面に沿って前記光線と前記表示面間の距離を計測する工程と；
を具備し、前記計測距離と前記既知の距離が異なる場合、この差を最小にするため前記レーザー装置を調整することを特徴とする方法。
【請求項９７】
計測表面を提供する工程が、前記表示面から伸びる端部表面を形成する前記表示面端部の少なくとも一部に沿って端部部材を提供する工程を含み、前記レーザー装置をモニターする工程が、前記端部表面と一般的に逆の表示端部の近傍に前記装置を設置する工程を含み、前記計測工程が前記端部表面の長さに沿って異なる位置での距離を計測する工程を含むことを特徴とする請求項９６記載の方法。
【請求項９８】
前記設置工程が前記表示面の第１コーナーの近傍に前記センサーを設置する工程を含むことを特徴とする請求項９７記載の方法。
【請求項９９】
２個のレーザー位置センサーを使用し、前記プロセスが前記２個のセンサーのために反復されることを特徴とする請求項９８記載の方法。
【請求項１００】
前記第２レーザー位置センサーを設置する前記工程が、前記表示面の第２コーナーの近傍に前記第２センサーを設置する工程を含むことを特徴とする請求項９９記載の方法。
【請求項１０１】
円周端部を有する表示面と使用する装置であり、前記表示面の近傍である検出面内の器具の位置を判断するため、且つ表示面が平坦であるかどうかを判断するための装置において、
前記表示面の第１端部の近傍に位置決めされた第１レーザー源であり、第１レーザービームを発生し、前記表示面を横切るように前記第１ビームを方向付け、前記第１ビームが前記表示面の少なくとも一部を周期的に横断するように前記第１ビームを回転させ、且つ前記第１レーザー源は第１状態と第２状態で動作可能であり、第１状態で前記第１レーザー源が不可視レーザービームを発生し、第２状態で前記第１レーザー源が可視レーザービームを発生するような第１レーザー源と；
前記表示面の端部に設置され、前記検出面内の物体から反射する前記第１レーザ源からの不可視レーザービームを検出するための少なくとも１つの第１センサーと；
レーザー源の動作の前記第１及び第２状態の一つを選択するためのセレクタと；
を具備することを特徴とする装置。
【請求項１０２】
前記表示面の第２端部の近傍に位置決めされた第２レーザー源を更に含み、前記第２端部は前記第１端部と対向し、更に前記第２レーザー源は第２レーザービームを発生し、前記表示面を横切るように前記第２ビームを方向付け、前記第２ビームが前記表示面の少なくとも一部を周期的に横断するように前記第２ビームを回転し、更に前記第２レーザー源は第１状態と第２状態で動作可能であり、第１状態において前記第２レーザー源が不可視レーザービームを発生し、第２状態において前記第２レーザー源が可視レーザービームを発生することを特徴とする請求項１０１記載の装置。
【請求項１０３】
前記第１及び第２レーザー源は前記表示面の第１及び第２コーナーに配置され、且つほぼ全表示面領域を横断するアークを介して各ビームを回転するように制御されることを特徴とする請求項１０２記載の装置。
【請求項１０４】
前記第１センサーは前記第１レーザー源に設置され、前記装置は前記第２レーザー源に設置された第２センサーを含むことを特徴とする請求項１０２記載の装置。
【請求項１１２】
画像を記録保存するための電子ボードアセンブリにおいて、
表示面と；
前記ボードシステム専用のウエブサーバーであり、前記サーバーを介してアクセス可能なボード画像を蓄積するためのアーカイブメモリ装置を含むウエブサーバーと；
蓄積された画像にアクセスするため前記ウエブサーバーに接続可能なインターフェース装置と；
を具備することを特徴とする電子ボードアセンブリ。
【請求項１１３】
前記インターフェースは前記表示面上の情報が前記ウエブサーバーにより前記アーカイブメモリ装置に蓄積されること示すための蓄積コンポーネントを提供することを特徴とする請求項１１２記載のアセンブリ。
【請求項１１４】
前記インターフェースが記録保存された画像にアクセスするための意図を示すためのアーカイブソースコンポーネントを提供することを特徴とする請求項１１３記載のアセンブリ。
【請求項１１５】
前記インターフェースが更に記録保存された画像を前記表示面に投影するためのプロジェクタを含み、前記プロセッサがアクセスされた画像のビデオ出力を前記プロジェクタに提供することを特徴とする請求項１１４記載のアセンブリ。
【請求項１１６】
前記インターフェース装置がネットワークを介して前記サーバーに接続可能なコンピュータであることを特徴とする請求項１１２記載のアセンブリ。
【請求項１１７】
表示面と；
ボード画像を蓄積するためのアーカイブメモリ装置とコンピュータに接続するための外部コンピュータリンケージを含むシステムプロセッサと；
前記プロセッサに接続され、かつ前記表示面上に画像を投影するように位置決めされたプロジェクタと；
前記プロセッサに接続され、前記表示面上に投影する画像の前記レーザー源を特定するためのインターフェースであり、記録保存された画像が投影されることを示すためのアーカイブソースコンポーネントと、前記リンケージに接続されたコンピュータにより生成された画像が投影されることを示すためのコンピュータソースコンポーネントを含むインターフェースと；
を具備し、
前記アーカイブソースコンポーネントが選択されると、前記プロセッサが記録保存された画像を前記表示面上に投影し、前記コンピュータソースコンポーネントが選択されると、前記プロセッサが前記表示面上に前記リンケージに接続されたコンピュータにより生成した画像を投影するとことを特徴とする電子ボードアセンブリ。
【請求項１１８】
ボード表面上に表示された投影され且つ適用された情報をキャプチャする方法において、
前記表面を第１及び第２領域に分割し、前記第２領域を前記第１領域より小さくする工程と；
画像を前記第２領域上に投影する工程と；
前記第１及び第２領域のどちらかに対して器具を介して適用された情報を検出する工程と；
保存命令が受信されると、前記投影され且つ適用された情報をアーカイブメモリ装置に蓄積する工程と；
を具備することを特徴とする方法。
【請求項１１９】
蓄積する前記工程が後のアクセスのため１つの統合画像として前記投影され且つ適用された情報を蓄積する工程を含むことを特徴とする請求項１１８記載の方法。
【請求項１２０】
蓄積する前記工程が後のアクセスのため個別の相関画像として前記投影され且つ適用された情報を蓄積する工程を含むことを特徴とする請求項１１８記載の方法。
【請求項１２１】
前記プロセッサはシステムユーザーが統合及び分離動作モードの一つを選択することを可能にするインターフェースを含み、且つ前記投影及び適用された情報を蓄積する前記工程が、前記統合及び分離モードのどちらを選択されるかを特定する工程を含み、前記統合モードが選択される場合、１つの統合画像として前記投影され且つ適用された情報を蓄積し、前記分離モードが選択される場合、個別の相関画像として前記投影され且つ適用された情報を蓄積することを特徴とする請求項１１８記載の方法。
【請求項１２２】
電子表示ボードシステムを調整するための方法であり、前記システムがプロセッサと、表示面と、前記プロセッサに接続され前記表示面の一部に画像を提供する表示ドライバを含む方法において、
前記表示面上に画像位置を示すマークを提供する工程と；
前記表面上のマーク位置を検出する工程と；
第２領域として前記マークと関連する前記領域を、また第１領域として前記表面上の他の領域を特定する工程と；
前記ドライバが前記第１領域で生じる器具の活動の機能として前記第２領域内にカーソルを提供する工程と；
を具備することを特徴とする方法。
【請求項１２３】
カーソルを提供する前記工程が、前記第１領域内でのカーソルの移動に対して相対的に前記第２領域内の前記カーソルを移動させる工程を含むことを特徴とする請求項１２２記載の方法。
【請求項１２４】
前記ドライバが前記第１領域内の器具の活動の機能として前記第２領域内にカーソルを提供する工程を更に含むことを特徴とする請求項１２３記載の方法。
【請求項１２５】
前記ドライバが前記第２領域内の器具の活動の機能として前記第２領域内にカーソルを提供する前記工程が、前記第２領域内の前記器具活動の絶対位置にカーソルを提供する工程を含むことを特徴とする請求項１２４記載の方法。
【発明の詳細な説明】
【技術分野】
【０００１】
本発明の分野は電子白板であり、白板の簡略さ、精度、汎用性を高める種々の新規で、有益で、機能的な特性であり、より具体的に、白板設置概念、器具が白板と共に使用されているかどうかを判断する方法、白板と相互作用する方法、白板と共に使用する器具、及び複数の白板画像をグループ化し保護する方法に関する。
【背景技術】
【０００２】
名前が示すとおり、白板は少なくとも一つの白色で、平坦で、硬質な表面を形成する硬質又は柔軟な部材である。白板の一つの型はマーカーからのインクを受け付ける材料からなる表面を含むので、ユーザーは（例えば、単語、シンボル、図面等の）情報を提示できる。ほとんどの白板の書き込み表面は広く（例えば、数フィートの長さと幅を有する）、白板は直立させて（例えば、壁に）取り付けられ、又は（例えば、イーゼルを介して）支持されているので、白板上の情報は遠くから見え、したがって、白板は同時に多くの人に情報を提示するために使用できる。白板と共に使用されるマーカーは一般に、白板に使用できるが、布、フェルトイレーザー（白板拭き）等を使用して容易に消去できるインクを含んでいるので、提示された情報を修正でき、白板を再使用できる。
【０００３】
筆記用具として使用される他に、多くの白板は投影表示画面として使用可能である。ここでは、白板の表示面側又は裏側（例えば、半透明表面上のリアプロジェクション）のプロジェクタ（投影機）はその画像を見るために白板表面上に画像を写す。画像が白板表面に投影される場合、ユーザーはマーカーを使用して投影された画像に追加情報を（例えば、矢印を加えたり、丸で囲んで）書き込むことができる。投影源はオンボード又はリモートコンピュータ、プロジェクタ装置に接続されたパーソナルデジタルアシスタント、ビデオ装置、又はネットワーク（例えば、インターネット）を介して通信するために接続された適当な画像源でもよい。投影される情報には、単語、シンボル、図面、画像、動画、コンピュータの一画面、又は日々のビジネス活動において用いられるその他の視覚的に読み取り可能なものが含まれる。
【０００４】
白板は他のプレゼンテーションツールに優る多くの利点（例えば、汚れず、再使用可能であり、多くの場合携帯性があり、白色表面とインクのコントラストが映え、使い方が容易である等）があり、それゆえ、当然ながら、オフィス、会議室、製造工場、教室等で広く受け入れられてきた。これらの広い受け入れにもかかわらず、白板業界は、単純で消去可能な表面からなる完全に機械的な白板がいくつかの欠陥を有することを認識してきた。まず、機械式白板は白板表面に提示された情報をキャプチャ又は蓄積できない。白板の情報を見ている者は提示された情報を書き取りできるかもしれないが、注意力が散漫になり、多くの場合、メモは提示された情報を正確には反映しておらず、提示された情報の一部しかキャプチャしていないこともある。
【０００５】
第２に、機械式白板には提示された情報を遠隔的に共有する手段がない。例えば、サンフランシスコのデスクに居る人が、テレビ会議でミシガン州、グランドラピッズの会議に参加するとし、会議に使用される機械式白板はグランドラピッズにあるとする。ここでは、情報が白板に加えられたり削除されたりするので、サンフランシスコからテレビ会議に参加している者は情報を受信する手段を持たず、したがって、充分に会議に参加することができない。
【発明の開示】
【発明が解決しようとする課題】
【０００６】
上記の問題に対する１つの解決法は提示された情報を蓄積し、且つ提示された情報を議論するため遠隔の場所に送信できる高度の電子白板システムを構成することである。例えば、高度の電子白板システムの１つの型は、白板表面に平行で且つ近傍の検出面内で走査する白板表面の近傍に設置された２個の（可視又は赤外線）光学スキャナーを含んでいる。ここでは、器具が白板で使用される場合バーコード又は同様の光学的に認識できるコードを検出面内のある位置で該器具上に取付けできる。例えば、ペンの場合、バーコードはペン先の書き込み端部の近くに設けられるので、ペン先が白板表面に接触するとコードは検出面内に存在することになる。
【０００７】
光学スキャナーは検出面内のコードから反映される信号を検出し、対応するリアルタイム電子データストリームをシステムプロセッサに提供する。プロセッサは受信信号を使用して、コードに関連する（例えば、ペン、イレーザー等の）器具の種類を判断し、ボード表面に対する器具の位置を判断する。一旦器具の種類と位置が判断されると、プロセッサは白板表面と関連する電子的に蓄積された画像にアクセスし、必要に応じて画像を変更し、白板上に提示された情報に対して起きた変化を反映し且つ記録する。例えば、ペンを使用して白板上の単語を赤色の丸で囲む場合、プロセッサは同じ単語を同じ赤色の丸で囲むため電気的に蓄積された画像を変更する。他の例として、プロセッサがイレーザーに対応するバーコードを認識し、該バーコードが白板を横断して動くのを認識すると、プロセッサはバーコードと関連するイレーザーの消し跡内の情報を消去するため電子的に蓄積された画像を変更する。
【０００８】
一般的に、光学走査システムの場合、検出面が白板表面にできるだけ近接しており検出面内で検出された器具上のコードの位置が検出されたコードの位置にできるだけ近接しているような走査システムを構成することが重要と考えられる。例えば、コード化されたペンの場合、ユーザーはペンを使ってある角度で筆記するとする。ここでは、もし検出面と白板表面間の間隙が大きければ、ペン上のコードの検出位置は白板表面上のペン先の実際の位置から、ペンの角度及び検出面と白板面間の間隔ほど補正される。検出面と白板間の間隔を減少させることにより、補正量は実質的に減少し、意図した情報と検出された情報間の一致性は著しく増加する。
【０００９】
光学走査システムのほかに、成功の程度は区々だが、その他の高度電子白板システムが開発された。例えば他の電子白板技術には、書き込み表面タッチ感応トラッキング、超音波トラッキング、可聴音響トラッキング、赤外線トラッキング、電磁気トラッキング器具等がある。上記その他の技術は、電子キャプチャ白板情報に応用されてきたが、説明を簡略化するため、そうではないと示していない限り、以後本発明は一般に２個の光学スキャナー及びバーコード化された器具を有する上記システムとの関連で説明される。いずれにしても、ここで説明する多くの概念及び発明態様が他のデータキャプチャ技術に適用可能であることがわかるであろう。
【００１０】
白板表面（例えば、“何”及び“どこ”情報）に関する器具の型及び器具の位置のほかに、プロセッサにより検出され且つ生成された情報は、例えば、インクの色、ペン先幅、マーキングスピード、（上記補正のための）ペン先の傾斜、ペン先圧力、及びイレーザ消し跡に関する情報等の追加情報を含むものもある。
【００１１】
電子白板は一般的に本物のインクと仮想のインクを含む２つの異なる型からなる。名前のとおり、本物のインクシステムは、本物のインクを白板表面に使用するペンと、白板表面から本物のインクを消去するイレーザーを含む。仮想インクシステムの場合、プロジェクタはシステムプロセッサに接続しており、プロセッサは器具の活動を反映するため電子的に蓄積された画像を更新するので、プロセッサは電子的に蓄積された画像に対する変化を白板表面に投影する。仮想インクシステムを使用すると、ペンは実際にはインクを白板表面に付着させず、代わりに検出面内のペンの動きを反映する仮想のマークは画面上に投影される――それゆえ“仮想インク”と呼ぶ。
【００１２】
電子白板に提示された情報は電子的にキャプチャされるので、情報を遠隔のビューイング局（例えば、ネットワークに接続したコンピュータ、プロジェクタシステム等）に送信したり、チェックのために提示することができる。更に、所望の場合、情報は電子的にキャプチャされるので、情報はその後のアクセスと使用のために（例えば、フロッピー（登録商標）ディスク、書き込み可能なＣＤＲＯＭ、フラッシュメモリ、ＵＳＢメモリキー、又はスティック等に）蓄積できる。
【００１３】
電子白板プロセッサには、一時メモリ又はワーキングメモリ及び長期アーカイブメモリに接続するものもある。一時メモリは、画像が白板を使用した会議中に生成され且つ修正されるように、一時的に記録され且つ表示された画像を（例えば、仮想インクシステムの場合）局部的及び遠隔的に提示するために一般的に使用される。アーカイブメモリは一般的に白板を使用した会議中にシステムユーザーにより特定された特定の画像を記録保存するために使用される。このように、例えば、セッション中、もし表示された画像が特に重要であれば、ユーザーは保存命令を出し、システムプロセッサは長期メモリ内に前記表示された画像データを蓄積する。前記表示された画像が一時メモリ内の情報のみを含む場合、保存機能は一時メモリの情報を長期メモリにコピーする。前記表示された画像が一時メモリ内の情報と他のソースからの情報（例えば、白板上に投影されたコンピュータの一画面等）を含む場合、保存機能は２つの情報を１つに統合し、統合した情報を長期メモリに蓄積する工程を含む。上述の高度の電子白板には多くの利点があるが、このような白板にもいくつかの欠点がある。まず、器具のバーコード位置を判断するのに光学センサーを使用するシステムの場合、器具が白板表面と接触する場合常にスキャナーと関連する検出面内にバーコードを配置することが重要である。バーコードが検出面と白板表面間に、又は白板表面と対向する検出面の側にある場合、スキャナーはコードを検出できないので、器具の存在を認識できず、したがって、器具の動きにより助長される情報の変化をキャプチャできない。
【００１４】
白板が取り付けられる多くの壁面は完全に平坦ではない。比較的丈夫な白板の製造にもかかわらず、不均一な壁に取り付けられると、白板が湾曲し（例えば起伏し）、したがって、（例えば、側方ボード端部間又は上端部と下端部間の）白板表面に沿って凹状又は凸状の場所があるのが分かる。白板が側方端部間で凸状であり、検出面が白板端部で白板表面に非常に接近している場合、側方端部間のある位置での検出面と白板表面間の間隔は器具上のバーコードが使用時に検出面外であるよう設定される。凸状態が過大であると、白板表面の一部は実際に検出面を破壊する可能性があり、コード検出能力に同様な悪影響を与える。上記２つのどちらの場合においても、光学スキャナーは表面の凸状領域での器具の活動を検出できないので、凸状領域での意図した変化はキャプチャできない。同様の問題は白板が上端部と下端部間で凸状又は凹状である場合にも生じる。
【００１５】
白板が湾曲する問題の１つの解決法は白板表面と検出面間の間隔を広げ、より高さのあるバーコード（例えば、器具の相互作用部が表面と接触するとき白板表面に一般的に垂直になる寸法のコードの高さ）を提供することであり、器具バーコードは器具が白板表面と接触すると、白板表面に沿ったほぼあらゆる位置での検出面内に存在する。不都合なことに、間隔をより広げ、コードをより高くすると、光学検出システムに第２の問題を生じる。具体的には、もし検出面と白板表面間の間隔が広く、バーコードの幅が増大すると、器具が白板表面に接触せず、それにもかかわらず、コードが検出面内に存在する場合が生じる。例えば、コード化されたペンを白板表面上にラインを引くために使用し、表面検出面間隙が大きく、コードが幅広い場合、システムは表面と接する前及び後のペンの動きを検出することがあり、先行する又は後続の“しっぽ（線）”を電子的に蓄積されたラインに追加する。他の例では、システムユーザーは、表面と接触しないが検出面を解読するコードを使用し、表面上の表示された図面の近くにコード化されたペン先を置き、簡単な機械的指示装置としてペンを使用できる。ここでは、システムはコードと全てのペンの動きを検出し、ペンの動きを誤って記録してしまう。
【００１６】
第３に、多くのシステムは特別にコード化された器具（例えば、バーコード付器具）を電子的に検出するのみであるが、システムにより認識できない他の器具も白板情報を変更するために使用できる。例えば、バーコード化された本物のインクペンとイレーザー器具を使用している光学センサーを含むシステムにおいて、コード化されていないインクペンを使用して白板表面にインクで書くと、光学スキャナーはコード化されていないペンを検出できず、したがって、表示された画像に対して実施される変化をキャプチャできない。同様に、同一システムにおいて、コード化されたペンを使用して白板表面に本物のインクで書き、スキャナーが提示された情報をキャプチャした後、もしコード化されていないイレーザー又は布で白板からインクの一部又は全てを消す場合、スキャナーは消去作業をキャプチャできず、電子的に蓄積された画像データは表示された画像を反映しなくなる。すなわち、システムユーザーは気付かずに電子的に蓄積された画像と一致しない画像で作業してこともあり、及び／又は遠隔地の参加者は表示板上の画像と異なる画像を見ていることもある。
【００１７】
第４の問題において、画像がプレゼンテーションのため白板表面上に投影されると、ユーザーが白板表面近傍の遠くまで見渡せる位置に立ち、投影された画像に関する種々の情報を指し示すことがしばしば望まれる。例えば、ユーザーは投影された複雑なスプレッドシート画像における特定の番号を指定したいかもしれない。他の例では、白板表面が特定の機能と関連する選択可能なアイコンを有する大きいコンピュータ表示画面として使用される場合、発表者は画像アイコンの一つを選択し、関連する表面の機能を実行したいかもしれない。更に他の例として、発表者は投影された画像にマーク（例えば、図を囲む、番号の周囲に囲みを配す等）を記したいかもしれない。
【００１８】
投影されたスプレッドシート画像上の番号を指し示す１つの方法はユーザーが投影された画像の前に進み、その番号を指し示すことである。投影された機能アイコンを選択する１つの方法は投影された画像の前に進み、コード化された器具（例えば、スタイラス（入力ペン））を使用してアイコンを選択することである。同様に、投影された画像にマークを追加する方法は投影された画像の前に進み、コード化された器具を使用してマークを印すことである。上記のインタラクティブな方法は各々有効であるが、ユーザーは白板表面と聴衆の間に位置しなければならないので、いずれの方法も気を散らされる。更に、投影システムが前面投影であり、ユーザーがプロジェクタと白板表面の間に位置する場合、ユーザー自身の影が白板表面上に写りユーザーは指し示しマークした項目を含む投影された画像の一部を暗くしてしまう。
【００１９】
上記の指し示す際や選択する際の問題に対する他の解決法も欠点を含んでいる。例えば、コンピュータ表示画面上の画像の修正が白板表面上に投影される場合に使用するため、別のコンピュータ表示画面がユーザーに提供される場合がある。これらのデュアル表示システムはコンピュータプログラム等と共に使用するには良好であるが、これらのシステムだけでは投影された画像に情報を追加する（例えば、図を囲む等）ことはできない。加えて、これらのシステムは追加の表示器が必要となるので比較的高価である。更に、これらのシステムではユーザーが機能アイコンを選択し、投影画像等を指し示すためコンピュータ画面の近傍に留まらなければならず、したがって、これらのシステムはプレゼンテーション全体のの双方向性を減少させる。
【００２０】
第５の問題において、情報の長期間の蓄積中、既知の白板システムは画像が機密事項であると確認されると、システムユーザは蓄積された画像に対するアクセスを容易に制限することができる。一般的に、既存のシステムは制限なしに全ての画像を蓄積するか、又はアクセスを制限するために他のシステムに依存する。例えば、画像はネットワークアクセスがパスワード保護されているネットワークデータベース上に蓄積される場合があり、それゆえ、画像はユーザーがネットワークにログオンした場合のみアクセス可能であり、正常なログオン完了後は全てのネットワークユーザに対してアクセス可能である。よく知られているように、多くのネットワークが非常に多くのユーザーを有するので、ネットワークセキュリティに依存する場合あまり保護を得られない場合が多い。画像セッションが一般のアクセスのためのネットワークに蓄積された後、ネットワークコンピュータがセッション画像にパスワードを割り当てることもある。残念ながら、この種の保護方法はユーザーが事前に蓄積された画像セッションを忘れずに再訪した場合にのみ保護を提供する。更に、初めにネットワークに蓄積してから次にパスワードが割り当てられるまでの間、画像セッション情報は制限無しにアクセス可能である。
【００２１】
第６の問題において、付加的特徴が電子白板に追加されるので、該特徴を直観的に操作しようとしても、必然的に、ユーザーが特徴（機能）を選択し使用する方法が複雑になり且つ混乱を生じる。例えば、仮想インクシステムの場合において、ユーザーが器具の型を選択し、１つの器具を使用して選択された型の機能をシミュレートするための複雑なユーザーインターフェースを提供するシステムもある。例えば、１０種類のペンの厚み、１５種類のペンの色、３種類のイレーザー厚み等に対応するシステムがある。ここでは、器具の厚み、色、器具の型等を選ぶための選択ボタンが全て提供された場合、異なる機能の選択方法は一般にわかりにくく、不正確に選択すると意図しない結果（例えば、赤色マークと反対の青色マーク等）になってしまう。
【００２２】
他の例として、新しい単一ファイルとして蓄積するための事前に且つ最近蓄積されたセッションから画像のサブセットの選択できるシステムもある。この場合、種々の白板ツールは一般に、セッション画像が蓄積されるネットワークメモリにアクセスし、特定のセッションを識別し且つ画像の電子コピーを取得し、画像を表示し、サブセットに再グループ化される画像を特定し、それからグループ化されたサブセットを再構築する必要がある。システムが複雑なので一般に機能性が追加されるが、残念ながら、複雑さとそれに起因する混乱によりしばしば人は機能が充実した電子白板システムを使用するのを避ける。
【００２３】
複雑な白板システムに関する混乱を減少させる１つの解決法は詳細なマニュアルを提供することである。しかしながら、他の産業でのように、白板ユーザーは、少なくとも付加機能の全てが追加される以前は、完全に直観的に操作できたツールを作動させるためにマニュアルを使用しなければならないことに皆驚くであろう。
【００２４】
複雑なシステムに関連する混乱を減少させるための他の解決法は、少なくともコンピュータの一画面が白板表面上に投影される場合、選択時に、コンピュータが特定のシステム機能を説明するテキストを提供する光学的に認識可能な器具を介して選択できるオプションを有するプルダウンメニュー等を提供することである。投影されたコンピュータ画像に使用可能であるが、プルダウンメニューはプロジェクタを含まないシステムでは機能しない。更に、この解決法は、時々聴衆の面前で機能を読み理解することを強制されるのでユーザーに不快感を与える。
【００２５】
第７に、電子ボードで使用可能な種々の器具の数が多くなりすぎるシステムもある。例えば、異なるペン先幅に対応する異なる青色ペン器具がいくつかある場合がある。同様に、異なる幅に対応する多くの異なる赤色、緑色、黄色の器具がある場合もある。更に、各々が異なる消し跡に対応するいくつかの異なるイレーザー器具があることもある。多数の器具を組織し使用することは、特に、大聴衆の面前では面倒である。
【００２６】
第８に、浮動する仮想インクツールバー（例えば、投影されたツールバー）を使用するシステムにおいて、仮想ツールバーは貴重な画面／白板のスペースをふさぎ、クリックされ又は観察されている項目を覆うことがよくある。
【課題を解決するための手段】
【００２７】
本発明の１つの態様によると、本発明は白板とアーカイブメモリを使用するための方法を含み、白板は画像を表示するための表面を有する。本方法は複数の提示された画像をアーカイブに蓄積するためにグループ化するための方法であり、ａ）白板ユーザーからの命令を受信するためのインターフェースを提供する工程と；ｂ）続いて記録保存された複数の画像が画像サブセットにグループ化されることを指示するサブセット開始命令をモニターする工程と；ｃ）サブセット開始命令が受信された後、ｉ）提示された画像が記録保存されることを指示するアーカイブ命令と画像サブセットに追加される画像がないことを指示するサブセット終了命令をモニターし、ｉｉ）アーカイブ命令が受信されると、画像サブセットの一部として提示された画像を記録保存し、ｉｉｉ）サブセット終了命令が受信されると、工程（ｂ）にスキップし、ｉｖ）工程（ｉ）ないし（ｉｉｉ）を繰り返す工程を具備している。
【００２８】
本発明の目的の１つは画像のセットをその後の相関関係のため容易にグループ化できるシステムを提供することである。ここでは、１つの動作でグループ化セッションを開始でき、且つ１つの動作でグループ化セッションを終了できる。蓄積のためグループ化する機能は全体としてきわめて容易で直観的で作業できるよう提供される。
【００２９】
本発明の他の態様によると、本発明は画像サブセットに対するアクセスを制限するための方法でもあり、更に、サブセット開始命令が受信されると、後に記録保存される画像サブセットにサブセットパスワードを割り当てる工程と；サブセットパスワードを提供するユーザーのサブセット画像に対するアクセスを制限する工程を具備する。更に使いやすくするためサブセットパスワードはシステムプロセッサが自動的且つランダムに発行する。
【００３０】
したがって本発明の他の目的はその後のアクセスのため表示された画像を容易に保護できる方法及びシステムを提供することである。これに関して、本発明はユーザが１つの動作（例えば、ボタンの選択）で後に蓄積される画像に対するアクセスが制限されることを示すと、画像セッションファイルのためのパスワードを自動的に提供する。その後、ユーザーが後に蓄積される画像に対するアクセスが制限されないことを指示するまで、蓄積される全ての画像がパスワード保護される（例えば、画像にアクセスするためにパスワードが要求される）。
【００３１】
本発明は白板とアーカイブメモリを使用するための方法を含み、白板は画像を表示するための表面を有する。本方法は少なくともいくつかの提示された画像をアーカイブメモリに蓄積するためサブセットにグループ化し、画像サブセットの少なくとも一部に対するアクセスを制限するための方法であり、該方法はａ）白板ユーザーからの命令を受信するためのインターフェースを提供する工程と；ｂ）後に記録保存される画像が画像サブセットにグループ化され、サブセット画像に対するアクセスが制限されることを指示する制限開始命令をモニターする工程と；ｃ）サブセット開始命令が受信された後、ｉ）後に記録保存される画像サブセットに対しサブセットパスワードを割り当て、ｉｉ）提示された画像を記録保存することを指示するアーカイブ命令と画像サブセットに追加される画像がないことを指示する制限終了命令の各々をモニターし、ｉｉｉ）アーカイブ命令が受信されると、画像サブセットの一部として提示された画像を記録保存し、ｉｖ）制限終了命令が受信されると、サブセットパスワードを提供するユーザーのサブセット画像に対するアクセスを制限して工程（ｂ）にスキップし、ｖ）工程（ｉ）ないし（ｉｖ）を反復する工程を具備する。
【００３２】
更に、本発明は複数の画像をアーカイブメモリ内に蓄積するためにグループ化するための装置を含む。該装置は画像を提示するための表面を有する白板、メモリ装置、インターフェース、該インターフェースと前記メモリ装置に接続されたプロセッサを具備する。該プロセッサはａ）後に記録保存される画像が画像サブセットにグループ化されることを指示するサブセット開始命令のためのインターフェースをモニターする工程と；ｂ）サブセット開始命令が受信された後、ｉ）提示された画像を記録保存することを指示するアーカイブ命令と画像サブセットに追加される画像がないことを指示するサブセット終了命令の各々に対するインターフェースをモニターし、ｉｉ）アーカイブ命令が受信されると、画像サブセットの一部として提示された画像を記録保存し、ｉｉｉ）サブセット終了命令が受信されると工程（ａ）にスキップし、ｉｖ）工程（ｉ）ないし（ｉｉｉ）を反復する工程を実行する。
【００３３】
更に、本発明は少なくともいくつかの提示された画像をアーカイブメモリに蓄積するためサブセットにグループ化し、画像サブセットの少なくとも一部に対するアクセスを制限するための装置を含む。該装置は画像を提示する表面を有する白板、メモリ装置、インターフェース、該インターフェース及び前記メモリ装置に接続されたプロセッサを具備する。該プロセッサはａ）後に記録保存される画像を画像サブセットにグループ化することを指示し且つサブセット画像に対するアクセスが制限されることを指示する制限開始命令をモニターする工程と；ｂ）制限開始命令が受信された後、ｉ）後に記録保存される画像サブセットのためのサブセットパスワードを割当て、ｉｉ）提示された画像が記録保存されることを指示するアーカイブ命令と画像サブセットに追加される画像がないことを指示する制限終了命令の各々をモニターし、ｉｉｉ）アーカイブ命令が受信されると、メモリ装置に画像サブセットの一部として提示された画像を記録保存し、ｉｖ）制限終了命令が受信されると、サブセットパスワードを提供するユーザーのサブセット画像に対するアクセスを制限して工程（ａ）にスキップし、ｖ）工程（ｉ）ないし（ｉｖ）を反復する工程を実行する。
【００３４】
他の態様によると、本発明は白板と該白板と相互作用する少なくとも１つの器具を使用するための方法含む。前記白板は白板表面と、少なくとも表面の位置を特定するか又は前記表面との接触を介して表面上の画像を変更するために使用可能な少なくとも１つの器具を有する。前記方法は前記器具が白板表面と接触する時期及び場所を判断する。前記方法は前記表面の近傍で且つ前記表面から離間した検出面内の器具の位置を特定する第１センサーを使用する工程と；器具が表面と接触する時期且つ検出面内に位置し表面と接触する時期を判断するため第２センサーを使用する工程と；器具が表面と接触していること及び表面に対する器具の位置を特定する工程を具備する。少なくともいくつかの実施例において、第２センサーは音響センサーであり、第１センサーは少なくとも１つの位置センサー装置を含む。
【００３５】
したがって、本発明の他の態様は器具のコード化されたタグ（例えば、バーコード）が検出面内で検出された際器具が白板と共に使用されていることを確認することである。特に位置判断に適切な１つの型のセンサーを介して器具の位置を判断する工程と、他の適切なセンサーを介して器具が表面と接触しているかどうかを判断する工程とを組合せることで特に正確なシステムを提供する。
【００３６】
本発明はまた画像を生成し且つ蓄積するための装置を含む。該装置は少なくとも１つの器具と共に使用する。該装置は白板表面を有する白板と；前記表面近傍で且つ前記表面から離間した検出面内の器具の位置を判断するための第１センサーと；器具が表面と接触する時期を判断するための第２センサーと；第１及び第２センサーと接続し、器具が検出面内に位置し、表面と接触すると、器具が表面と接触いていること及びこの表面に対する器具の位置を特定するプログラムを実行させるプロセッサを具備する。
【００３７】
本発明は更に電子白板と、白板と相互作用するための器具とを使用するための方法を含む。前記白板は表示領域を有する表示面を有する。前記方法は表示領域の少なくとも一部でカーソルアイコンを動かす方法であり、第１及び第２領域表面を有する表示領域内でそれぞれ第１及び第２領域を特定する工程と；器具を前記第１領域表面上の位置に接触するよう設置する工程と；第１領域表面上の器具の位置を検出する工程と；第１領域表面上の器具位置の機能として第２領域表面上のカーソルアイコンを投影する工程を具備する。
【００３８】
本発明は更に電子白板と該電子白板と相互作用する器具を使用するための方法を含む。前記白板は表示領域を有する表示面を有する。前記方法は表示面の少なくとも一部でカーソルアイコンを移動させる方法である。該方法は第１及び第２領域表面を有する表示領域内のそれぞれ第１及び第２領域を特定する工程と；前記器具が第１領域表面上のある位置と接触すると、ａ）第１領域表面上の器具位置を検出し、ｂ）第１領域表面上の器具位置の機能として第２領域表面上のカーソルアイコンを投影する工程と；器具が第２領域表面上のある位置と接触すると、ａ）第２領域表面上の器具位置を検出し、ｂ）第２領域表面上の器具の位置で第２領域表面上のカーソルアイコンを投影する工程を具備する。
【００３９】
したがって、本発明の他の目的は有用且つ様々な方法で使用されるスタイラス型装置が白板表面上の投影領域周辺で投影されたカーソルを移動するのを可能にすることである。本発明はスタイラスの接触を介して白板表面に対するカーソルの絶対的位置決め、又はスタイラスの接触を介して前記表面に対するスタイラスの相対的位置決めを可能にする。
【００４０】
更に他の態様によると、本発明は電子白板上の特徴に関する情報を提供するための方法を含む。白板はいくつかの機能ボタンを含んでいる。前記方法はａ）情報ボタンを提供する工程と、ｂ）情報ボタンの始動をモニターする工程と、ｃ）情報ボタンが始動した後、特徴ボタンの始動をモニターする工程と、ｄ）情報ボタンの始動後に特徴ボタンの１つが始動すると、始動された特徴ボタンに対応する特徴に関する情報を提供する工程を具備する。少なくともいくつかの実施例において、ヘルプ又は情報ボタンが選択されると、システムは情報／ヘルプ機構がどのように動作するか及び他のボタンの選択の仕方についての指示を提供する。
【００４１】
本発明の他の追加的な目的は特に使いやすく直観で作業できるヘルプ機能を提供することである。これに関して、ヘルプ又は情報ボタンが選択された後ユーザーが情報を取得したい特定の特徴と関連するボタンを選択するとき常に特徴情報を提供することにより、ヘルプ機能が特に有益になる。少なくともいくつかの実施例において、ヘルプ情報は可聴の方法で提供され、ユーザーは提示された情報をよりよく理解できる。更に、プロジェクタが使用されない場合、ヘルプ機能を可聴的に提供することにより、表示部を必要とすることなくヘルプを簡単な方法で提供できる。
【００４２】
本発明は電子白板と共に使用するための装置を含む。前記電子白板は表示面と、表示面の近傍の検出面内でタグの位置及び型を検出するためのセンサーアセンブリを含んでいる。前記装置は第１及び第２端部を有する器具と；第１端部が表示装置に接触すると、第１タグの少なくとも一部が検出面内であるように第１端部に配置された第１タグと；第１及び第２キャップ端部を有しその間に外部表面を形成するキャップ部材であり、第１器具端部は開口部内に受け入られるとキャップが器具タグをカバーするように第１器具端部を受け入れられる開口部を形成しているキャップ部材と；キャップ部材の第１端部が表示面と接触すると、第１キャップタグが検出面内であるように、キャップ部材の第１端部に配置された第１キャップタグとを含む。
【００４３】
本発明は電子白板と共に使用するための装置を含む。該装置は白板上の器具を介して発生する視覚効果を特定する装置である。該装置は表示面近傍の検出面内のタグの位置及び型を検出するためのセンサーアセンブリと；第１及び第２ハンドル端部を有するハンドル部材からなる器具と；第１ハンドル端部に配置された少なくとも第１及び第２の光学的に読み出し可能なハンドルタグと；第１及び第２キャップ端部を有するキャップ部材と；第１及び第２キャップ端部間で且つ第１ハンドル端部を受け入れるための第２キャップ端部に開口部を形成する外部表面とを具備し、前  記キャップ部材は該外部表面と開口部により形成されたチャンネル間のキャップ部材の第１端部の近傍にウインドウを形成し、該ウインドウはキャップ部材の第１端部が表面と接触する場合、ウインドウの少なくとも一部が検出面内であり、前記第１ハンドル端部が開口部に受け入れられると、ハンドルタグが開口部内であるように、前記キャップ部材はキャップ部材の第１端部に対して形成され、各ハンドルタグはタグが開口部を介して検出可能であるようにウインドウと個別に整合可能であり、キャップ部材は検出面内の第１及び第２ハンドルタグの各々を個別に露出するため第１ハンドル端部の周囲で回転可能であり、ハンドルタグの各々は異なる器具の特性を指示する。
【００４４】
上記概念のほかに、本発明は更に表示面を有する白板と共に使用するためのアセンブリを更に含む。該アセンブリは表示面の近傍の検出面内のタグの位置及び型を検出するためのセンサーアセンブリと；第１端部のインクディスペンサーと、第１端部が表示面と接触するときペンタグが検出面にあるように第１端部の近傍に配置されたペンタグを含むペン器具と；メモリ装置と；センサーアセンブリとメモリ装置に接続されたプロセッサとを具備する。該プロセッサは表示面に対する器具の型と位置に関するセンサーアセンブリからの情報を受信し、機能として画像データを生成する。更に、前記プロセッサは画像が表示面上に生成されるので、メモリ装置内の画像として画像データを蓄積する。“クリア”又は“開始”ボタンはプロセッサに接続され、“クリア”ボタンはメモリ装置に蓄積された画像データをクリアする。
【００４５】
上記見解のとおり、本発明の他の目的は電子メモリが簡単な方法でクリアされ、ユーザーは事実上メモリをリセットでき、蓄積用のシステムを介して得られる表面上の書き込み情報を新たに提供し始めることのできる構成を提供することである。システムは少なくともいくつかの情報がメモリに蓄積される時期を示すためメモリに関連したＬＥＤ等を含んでも良い。
【００４６】
本発明はまた表示面を有する白板と共に使用するためのアセンブリを含む。該アセンブリは表示面の近傍の検出面内の物体の存在を検出し、検出面内のタグの位置及び型を検出するセンサーアセンブリと；第１端部のインクディスペンサーと、第１端部が表示面と接触するとペンタグが検出面に留まるように第１端部の近傍に配置されたペンタグとを含むペン器具と；メモリ装置と；警報インディケータと；センサーアセンブリとメモリ装置に接続されたプロセッサを具備する。前記プロセッサは検出面内にある対象物に関し且つ表示面に対する器具の型と位置に関するセンサーアセンブリからの情報を受信する。前記プロセッサは器具の型と位置情報の機能として画像データを生成する。また、前記プロセッサはタグのない物体が検出面内で検出されると情報が表示面上で変更されるので、メモリ装置内の画像として画像データを蓄積する。前記プロセッサは警報インディケータを始動する。
【００４７】
本発明は白板と光学レーザー位置決め装置とを使用するための方法を含む。前記白板は表示端部を有する表示面を形成する。前記光学レーザー位置決め装置は検出面内の放射点から放射するレーザービームを発生し、検出面内の物体を検出する。前記方法は検出面が表示面と平行であるように装置を整合する方法である。前記方法は放射点が既知の距離だけ表示面から離間してレーザー位置決め装置により発生したビームが一般的に表示面に平行であるように表示面の近傍のレーザー位置決め装置を設置する工程と；レーザー位置決め装置に可視光ビームを発生させる工程と；計測表面が表示面にほぼ垂直である表示面に沿って異なる位置での計測表面を提供する工程と；ビームが計測表面上に光線を形成するようにソース点の周囲で且つ検出面内でアークを介してビームを回転する工程と；計測表面に沿って光線と表示面間の距離であり且つ計測距離と既知の距離が異なる距離を測定する工程と；前記の差を最小にするためレーザー位置決め装置を調整する工程を具備する。
【００４８】
本発明は更に円周端部を有する表示面を含む白板と共に使用するための装置を含む。該装置は表示面の近傍の検出面内の器具の位置を判断し且つ白板が平坦であるかどうかを判断するための装置である。該装置は表示面の第１端部の近傍に位置決めされた第１レーザー源を含み、該第１源は第１レーザービームを発生し、第１ビームは表示面の一部を横切り、第１ビームが表示面の少なくとも一部を周期的に横断するように第１ビームを回転させ、第１源は第１及び第２状態で動作可能であり、第１状態で第１源は不可視レーザービームを発生し、第２状態において第１源は可視レーザビームを発生し；表示面の第２端部の近傍で位置決めされた第２レーザー源であり、第２端部が第１端部と対向し、第２源が第２レーザビームを発生し、表示面を横切る第２ビームを指向させ、第２ビームが表示面の少なくとも一部を周期的に横断する第２ビームを回転し、第２源は第１及び第２状態で動作可能であり、第１状態において第２源が不可視レーザービームを発生し、第２状態において第２源が可視レーザービームを発生するような第２レーザー源と；検出面内の物体から反射する第１及び第２源からの不可視レーザビームを検出するための表示面と共に使用される器具に対して設置される少なくとも１つの第１センサーと；源の動作の第１及び第２状態の一つを選択するためのセレクタとを具備する。
【００４９】
更に、本発明は不均一な表面の近傍の平坦表面を提供するための装置を含む。該装置は上部、下部、第１及び第２側方端部を有し、且つそれらの間に平坦表面を有する直線状ボードと第１及び第２ブラケットアセンブリとを具備する装置である。前記第２ブラケットアセンブリはボード端部の少なくとも１つに強固に結合され且つボード端部の１つの第１位置が不均一表面からの第１距離であるように前記ボードを不均一表面に強固に固定するため不均一表面に設置可能である。第１ブラケットアセンブリはベース部材と調整部材を含み、前記ベース部材は不均一表面に設置するための設置表面を形成し、前記調整部材は端部係合部材を含む。前記調整部材は設置表面に対する一般に垂直な動きのため前記ベース部材に滑動可能に結合されるので設置表面と係合部材間の延長寸法は調整可能である。第１ブラケット係合部材は第１位置のボード端部に結合され、第１ブラケットベース部材と調整部材は調整可能であるので、設置表面及び係合部材は第１距離と同じである延長寸法を形成し、設置表面が不均一表面と接触する。
【００５０】
更に、本発明は直線状ボードと不均一表面と共に使用するための方法を含む。前記ボードは上部、下部、第1及び第２側方端部を有し、それらの間に平坦表面を形成する。前記方法は不均一表面に前記ボードを設置するので、平坦表面はほぼ平坦に保たれる。前記方法は少なくとも第1及び第２ブラケットアセンブリを提供する工程を含む。第1アセンブリは設置表面と端部係合部材を形成する調整部材を形成し、ボード端部に沿って第1位置で端部係合部材を介して第１ブラケットアセンブリを取付け、ボード端部に沿った第1位置が不均一表面からの第1距離であるように第２ブラケットアセンブリを介してボードを不均一表面に固定し、設置表面が不均一表面の近傍部と接触するように第1ブラケットアセンブリを調整し、設置表面を不均一表面に固定するベース部材を含む。
【００５１】
本発明の追加的な目的の１つは白板表面が基本的に完全に平坦であることを確実にするように白板を不均一表面に設置するための方法及び装置を提供することである。
【００５２】
本発明は画像を記録保存するための電子ボードアセンブリを含む。該電子ボードアセンブリは表示面と、前記ボードシステム専用のウエブサーバーを具備する。該サーバーはサーバーを介してアクセス可能なボード画像を蓄積するためのアーカイブメモリ装置と、内部に蓄積された画像にアクセスするための前記ウエブサーバーに接続可能なインターフェース装置を含む。該インターフェースは表示面に関する情報が前記ウエブサーバーによりアーカイブメモリ装置に蓄積されるべきであることを示すために使用する蓄積コンポーネントを提供する。
【００５３】
いくつかの実施例において、前記インターフェースは記録保存された画像にアクセスする意図を示すために使用するアーカイブソースコンポーネントを提供する。この場合、前記インターフェースは更に記録保存された画像を表示面に投影するためのプロジェクタを更に含み、プロセッサはアクセスした画像のビデオ出力を前記プロジェクタに提供する。前記インターフェース装置はネットワークを介してサーバーに接続可能なコンピュータでもよい。
【００５４】
本発明は表示面と；ボード画像を蓄積するためのアーカイブメモリ装置及びコンピュータに接続するための外部コンピュータリンケージを含むシステムプロセッサと；該プロセッサに接続され且つ画像を表示面に投影するため位置決めされたプロジェクタと；前記プロセッサに接続され、表示面に投影するため画像のソースを特定するためのインターフェースを具備する電子ボードアセンブリを含む。前記インターフェースは記録保存された画像が投影されることを示すアーカイブソースコンポーネントと；リンケージに接続されたコンピュータにより生成される画像が投影されることを示すためのコンピュータソースコンポーネントを含み、前記アーカイブソースコンポーネントが選択されると、前記プロセッサが記録保存された画像を表示面上に投影し、前記コンピュータソースコンポーネントが選択されると、前記プロセッサが表示面上のリンケージに接続されたコンピュータにより生成された画像を表示面上に投影する。
【００５５】
更に、本発明はボード表面に投影された情報及び適用された情報をキャプチャするための方法を含む。該方法は前記表面を第１及び第２領域に分割し第２領域を第１領域より小さくする工程と；画像を前記第２領域上に投影する工程と；器具を介して前記第１及び第２領域の各々に対して適用される情報を検出する工程と；保存命令が受信されると、前記投影され且つ適用された情報をアーカイブメモリ装置に蓄積する工程を含む。
【００５６】
いくつかの実施例において、蓄積工程が後のアクセスのため１つに統合された画像として投影され且つ適用された情報を蓄積する工程を含む。また、蓄積工程は後のアクセスのため個別の相関画像として投影され且つ適用された情報を蓄積する工程を含むものもある。更に他の実施例において、プロセッサはシステムユーザーが統合及び分離動作モードを選択するのを可能にするインターフェースを含み、投影され且つ適用された情報を蓄積するための工程が統合及び分離モードの何れを選択するかを特定する工程を含む。統合モードが選択される場合、１つに統合された画像として投影され且つ適用された情報を蓄積し、分離モードが選択される場合、分離した相関画像として投影され且つ適用された情報を蓄積する。
【００５７】
更に、本発明は電子表示ボードシステムを調整する方法を含む。前記システムはプロセッサ、表示面、及びプロセッサに接続され且つ画像を表示面の一部に提供する表示ドライバを含む。前記方法は表示面上に画像位置を示すマークを提供する工程と；前記表面上のマーク位置を検出する工程と；第２領域としてマークと関連する領域及び第１領域として表面上の他の領域を特定する工程と；前記ドライバに第１領域に生じる器具の活動の機能として第２領域内にカーソルを提供させる工程を具備する。
【００５８】
ここで、前記ドライバにカーソルを提供させる工程が第１領域内のカーソルの動きに対して相対的な方法で第２領域内でカーソルを移動させる工程を含む。更に、前記方法はドライバに第１領域内の器具活動の機能として第２領域内にカーソルを提供させる工程を含む。更に、前記ドライバに第２領域内の器具活動の機能として第２領域内にカーソルを提供させる工程が、第２領域内の器具活動の絶対位置にカーソルを提供する工程を含む。
【００５９】
本発明の上記及びその他の目的、利点及び態様は以下の説明により明らかになるであろう。この説明においては、該説明の一部を形成する添付の図面が参照され、本発明の好ましい実施例が示される。このような実施例は必ずしも本発明の全範囲を示しておらず、したがって、本発明の範囲を解釈するためには請求の範囲を参照されたい。
【発明を実施するための最良の形態】
【００６０】
まず初めに、いくつかの関連する発明概念が本明細書で説明され、多くの概念は特定の概念が機能するのに必要であるが、他の概念を促進するためには必要でない特徴を有することを理解すべきである。前記の場合、概念を促進するために必要でない特徴は特許請求の範囲の限定に読み込むべきでないことを理解されたい。例えば、発明概念が白板アセンブリ、コンピュータ、及びプリンタを含むシステム１０（図１参照）との関連で以下に説明されるが、前記概念のいくつかは以下に述べられる白板アセンブリのみで他のコンポーネント無しに促進することができる。他の例として、プロジェクタを必要とする概念もあるが、必要としない概念もある。例えば、“仮想インク”（以下でより詳細に説明される）が検討される実施例においては、プロジェクタ装置が必要とされるが、本物のインクペンが使用される他の実施例においてプロジェクタ装置はオプションである。1つの他の例として、進歩的な白板設置構造が以下に説明されるが、前記構造は他の発明概念を促進するのに効果的ではあるが必要ではない。
【００６１】
Ａ．ハードウエア
図面において、類似の参照番号は全図において類似の構成素子に相当する。より具体的に、図1を参照すると、本発明は電子白板１２、プロジェクタ装置１４、コンピュータ１６、及びプリンタ１８を含む一般的な電子白板システム１０に関連して説明される。一般に、白板１２はプロジェクタ１４、コンピュータ１６、及びプリンタ１８の各々に接続されたプロセッサ／インターフェースモジュール５４を含み、種々の相乗効果がシステムコンポーネント間で実現できる。図1のリンケージは配線接続として示されているが、本発明は配線接続に限定されるべきでなく、例えば、既知のプロトコル（例えば、ブルートゥース、８０２．１１ｂ通信等）の何れかを介して無線通信のような他の接続技術を使用することもできる。
【００６２】
更に図1を参照すると、白板１２は一般的に白板１２により形成される白板表面２０が壁面８５と対向する方向に向くように垂直壁支持表面８５に設置される。プロジェクタ装置１４は該装置１４により投影された画像が表面２０に向けられ且つそこに見えるように白板表面２０に対して位置決めされる。このため、図示されているように、プロジェクタ１４は白板１２がある室内の水平天井表面８９に設置することができる。代案として、前記装置１４は白板表面２０の前面のテーブル又はカート上に位置決めすることもできる。例示していないが、プロジェクタ１４は画像を後方に投影するため白板表面２０の裏に位置決めされる実施例もある。コンピュータ１６とプリンタ１８は一般的に白板２０と同じ室内又は少なくとも白板２０の近傍に配置されるので、前記コンポーネントの各々が白板の使用中に容易に使用でき且つ白板２０とインターフェースで接続することができる。コンピュータ１６とプリンタ１８が白板２０の近傍にである必要がない実施例もあることに留意すべきである。
【００６３】
少なくともいくつかの実施例において、コンピュータ１６は画像を表面２０上に表示するため表示画像プロジェクタ１４を提供するために使用できる。例えば、コンピュータ１６の画面上に投影されるスプレッドシート画像、グラフィカル画像（例えば、１１）を表面２０上にも投影できる。いくつかの実施例において、コンピュータ１６は以下により詳細に説明されるようにモジュール５４を介してプロジェクタ２０と通信する。
【００６４】
更に図１と図２及び図３を参照すると、白板１２は複数のコンポーネントを含み、組み立てられると、特に見た目にも美しく正確に機能する電子白板システムを提供する。このために、白板１２は白板部材２２、上部及び下部白板端部部材２４及び２６、第１、第２、第３下部ブラケットアセンブリ２８、３０、及び３２、第１、第２、第３上部ブラケットアセンブリ３４、３６、及び３８、第１及び第２内部端部パネル４０及び４２、第１及び第２側方仕上げ部材又は端部キャップ４４及び４６、上部ヘッダー４８、下部ヘッダー５０、通信ケーブル５２、プロセッサ／インターフェースモジュール５４、器具トレイ２７、透視的に示される２個の音響センサー２５１及び２５３、及び第１及び第２レーザーセンサー装置２６０及び２６２を含む。
【００６５】
白板部材２２は一般的に、名前のとおり、白い書込み表面２０を形成する丈夫な軽量部材である。表面２０は典型的にパーティクルボード、発泡スチロール等の軽量強固ベース材料上に塗布された白いプラスティック基板により形成される。白板部材２２は典型的に上部端部６２、下部端部６４、及び上部及び下部端部６２及び６４間を横断する第１及び第２側方端部６６及び６８を有する直線状である。
【００６６】
更に図２を参照すると、下部ブラケットアセンブリ２８、３０及び３２の各々は本質的に同一であり、したがって、この説明を簡単にするため、もし他に指定されなければ、アセンブリ２８のみが詳細に記載される。図４及び図５を参照すると、アセンブリ２８はベース部材７０、調整部材７２、第１及び第２クランプねじ７６及び７８を含むクランピングアセンブリ、第１及び第２設置ねじ８０及び８２を含む。ベース部材７０と調整部材７２の各々は図示された形状に湾曲され、湾曲後、一般的に丈夫であるシート金属から形成される。
【００６７】
図５に最もわかりやすく示されるように、断面において、ベース部材７０は第１、第２、第３、及び第４部材８４、８６、８８及び９０を含み、第１及び第２部材８４及び９０は共通の平面を形成し、第２及び第３部材８６及び８８により分離される。第２部材８６は第１部材８４の１つの長い端部に一体的に接続され、第１部材８４と直角を形成する。第３部材８８は第１部材８４と反対側の第２部材８６の端部に一体的に接続され、その間に４５度の角度を形成する。第４部材９０は第２部材８６と反対側の第３部材８８の端部に一体的に接続され、その間に約１３５度の角度を形成するので、第１部材８４と第４部材９０は反対方向に伸びる。第１及び第４部材８４及び９０の各々はねじ８４又は８２の一方のシャフトを通過させねじの頭を止めるのに好適である少なくとも１つの設置開口部を形成する。ベース部材７０が第１及び第４部材８４及び９０を確実に固定するねじ８０及び８２で垂直表面８５に設置され且つ第１部材８４が第４部材９０の上にある場合、第２部材８６は水平的に並置され且つ上下方向に面する表面９６及び９８を形成する。第２部材８６は側方端部間に等しく離間する２個の穴１００（図５では一方のみを図示）を形成する。
【００６８】
第３部材８８は一般的に第２部材８６により形成された穴（例えば、１００）と横方向に整合する第１及び第２スロット１０２及び１０４を形成する。スロット１０２及び１０４はブラケットアセンブリ３４を搭載し且つ調整する者が上方のねじ７６又は７８にアクセスできるように設けられる。
【００６９】
図４及び図５を参照すると、調整部材７２は一般的に第１、第２、及び第３部材１０６、１０８、及び７４を含み断面がＬ型成形される。第３及び第２部材７４及び１０８は第１部材１０６の反対端部に一体的に接続され、第２部材１０８は第１部材１０６と直角を形成し、第３部材７４は第１部材１０６と平行であり第２部材１０８に向かって公報に伸びている。第１部材１０６は断面において第２部材１０８より長く、２つの拡大開口部１１０（図５において一方のみ図示）を形成する。第３部材７４は第１部材１０６内の開口部と整合する２つのネジ切り開口部１１０及び１１２を形成する。調整部材７２が第２部材８６の上部表面９６上に配置されると、第１部材開口部は一般的に第２部材８６により形成された穴（例えば、１００）と整合する。図示された実施例において、調整部材７２がベース部材７０に設置されると、第２部材１０８は第１部材１０６から上方に伸びる。第２部材１０８はここでは端部係合部材１０８とも呼ばれる。第３部材７４の側方端部は端部が互いに対向するように巻返し端部７５及び７７を形成する。
【００７０】
ブラケットアセンブリ２８を組み立てるため、第３部材７４、第１部材１０６、及び第２部材８６は、部材７４、８６、１０６の各々により形成された穴部が整合された状態で、第１部材１０６が第２部材８６及び第３部材７４間に挟まれるように且つ端部係合部材１０８が第１部材８４と同じ方向に伸びるように位置決めされる。その後、ネジ７６及び７８が第２部材８６及び第１部材１０６により形成された穴を通して供給され、ネジ７６及び７８の末端部は穴１１０及び１１２内でネジ止めされる。ネジ７６と６８が緩められた状態で、ネジ７６と７８がベース部材と調整部材を保持する一方、調整部材７２はベース部材７０に対して移動可能である。更に具体的には、ネジ７６及び７８が緩められた状態で、第１及び第４部材８４及び９０により規定された平面に対する端部係合部材１０８の相対並置を修正して、その間の寸法Ｄ１の増減又はこれらの部材が平行からわずかに傾くように部材８４及び１０８間の角度を形成できる（例えば、図４において、部材１０８の左端部は部材１０８の右端部より部材８４により近接している）。ネジ７６と７８が硬く締められると、部材７８と８６はその間の部材１０６を締め付け、端部係合部材１０８と第１部材８４の相対並置を固定する。このように、アセンブリ２８が設置される表面８５と端部係合部材１０８間の延長寸法又は距離Ｄ１は修正及び固定可能である。
【００７１】
再度図２を参照すると、上部ブラケットアセンブリ３４、３６及び３８の各々は同一の構成を有するので、この説明を簡単にするため、もし以後に他に示していなければ、前記上部ブラケットアセンブリはアセンブリ３４との関連で説明される。図６及び図７を参照すると、アセンブリ２８のように、ブラケットアセンブリ３４は一般的に図示された強固なコンポーネントとして曲げられる強固なシート金属から構成される。アセンブリ３４はベース部材１１４、調整部材１１６、取付ネジ１４０、１４２、及び調整ネジ１１８とネジ１２０及び１２２を含むクランピングアセンブリを含む。
【００７２】
ベース部材１１４は第１ないし第５部材１２４、１２６、１２８、１３０及び１３２を含む。第１及び第５部材１２４と１３２は共通の平面を形成し、第２、第３、及び第４部材１２６、１２８、及び１３０により接続される。第２部材１２６は第１部材１２４の一端部に沿って一体的に接続され、第１部材１２４と直角を形成する。第３部材１２８は第１部材１２４に対向する端部に沿って第２部材１２６に一体的に接続され、第２部材１２６と直角を形成し、第１部材１２４が第２部材１２６から伸びる方向と反対の方向に伸びる。第４部材１３０は第２部材１２６に対向する第３部材１２８の端部に一体的に接続され、部材１２６と平行であり、第３部材１２８から第２部材１２６と同じ方向に伸びる。第５部材１３２は第３部材１２８が取り付けられた端部と反対の第４部材１３０の端部に一体的に取り付けられ、第４部材１３０と直角を形成し、第１部材１２４と反対の方向に伸びる。図６及び図７に最良に示されるように、第２、第３及び第４部材１２６、１２８、及び１３０はレールと同種の構造を形成する。ベース部材１１４が壁面８５（図７を参照）設置されると、第２部材１２６は上方向対向表面１３４を形成し、第３部材１２８は壁面８５から離間して面する一般に垂直の表面１３６を形成する。第１部材１２４は番号１３８により集合的に特定される複数の取付開口部を形成する。更に、第３部材１２８は調整ネジ１１８を受け入れるためネジ切りされた調整穴１５２を形成する。
【００７３】
ベース部材１１４のように調整部材１１６は第１ないし第４部材１４４、１４６、１４８、及び１５０を含む４個の一体的に接続された部材を形成するために曲げられたシート金属から形成される。第２部材１４６は第１部材１４４に一体的に接続され、第１部材１４４と共に直角を形成する。第３部材１４８は第１部材１４４が接続される端部と反対の第２部材１４６の端部に一体的に接続され、第２部材１４６と共に直角を形成し、第２部材１４６から第１部材１４４が伸びる方向と反対の方向に伸びる。第４部材１５０は第２部材１４６が接続される端部と反対の第３部材１４８の端部に一体的に接続され、第３部材１４８と共に直角を形成し、一般的に第２部材１４６と平行であり、第２及び第３部材１４６及び１４８とチャンネル１５５を形成する。第１部材１４４は上部表面１４５を形成する。
【００７４】
第４部材１５０の末端部は一般的に第２部材１４６から離間する方向に外方向に角度付けされるリップ部材１５４を形成する。リップ部材１５４は以下により詳細に記載される方法で第４部材１５０上に上部白板端部部材２４（図４を参照）の案内を助けるために設けられる。
【００７５】
第２部材１４６は３個の穴を形成する。第１の穴１５６は調整ネジ１１８の軸部を通過するような大きさで製作され、他の２つの穴１６０（図７において１つのみ図示）はネジ１２０及び１２２を受け入れるような大きさで製作される。より小さい穴１６０の各々は対応するネジをネジで受け入れるようにネジ切りされる。
【００７６】
調整ネジ１１８はヘッド部材、ネジ切りシャフト、ヘッド部材から分離するネジシャフトの一部から外方向に伸びるリブ又はワシャー部材１５８を含み、図７に最も良く示されるように、ネジシャフトが第２部材１４６内の貫通口１５６を貫通して伸びると、リブ部材１５８とネジ１１８のヘッドがその間で第２部材１４６を挟み込む。
【００７７】
アセンブリ３４をリブ部材１５８と調整部材１１６に対してネジ１１８を保持するネジ１１８のヘッドを使用して組み立てるため、調整部材１１６は第１部材１４４がベース部材１１４の上部表面１３４に載るようにベース部材１１４に対して並置され、ネジ１１８のシャフト端部がベース部材１１４により形成されたネジ切り穴１５２と整合される。次に、ネジ１１８は回転され、穴１５２内でシャフト端部をネジ込む。
【００７８】
壁面８５に対してブラケットアセンブリ３４を設置するため、ベース部材１１４は第１及び第５部材１２４及び１３２により形成された共通の平面が表面８５に載るように並置される。次に、取付ネジ１４０と１４２は貫通孔１３８に挿入され、表面８５にねじ込まれる。重要なことには、ネジ１１８が穴１５２にねじ込まれる程度を調節することにより、調整部材１１６とベース部材１１４の相対位置は修正可能なので第１及び第５部材１２４及び１３２により形成される共通の表面と端部係合部材１５０間の距離は修正できる（例えば、図７に示される延長寸法又は距離Ｄ２は変更できる）。
【００７９】
更に図７を参照すると、関連する穴１６０内で締結される場合、締結ネジ１２０の末端部１６２は表面１３６に突き当たり、ネジ１１８のねじ山と開口部１５２のねじ山間に圧力を生じさせ、それにより一般的に、特定の並置でブラケットアセンブリ３４のコンポーネントを固定する。
【００８０】
図７と再度図６を参照すると、アセンブリ１３８は第１、第２、第３の一体的に接続された部材１６６、１６８、１７０を有する薄いシート金属から形成されたクランプアーム１６４を含む。第１部材１６４はネジ１２２が延びる穴（番号は付されていない）を形成し、ネジ１２２がクランプアーム１６４を調整部材１１６の第２部材１４６に保持する。第２部材１６８は第１部材１６６の１端部に一体的に接続され、直角を形成する一方、第３部材１７０は第１部材１６６が接続される端部と反対の第２部材１６８の端部に一体的に接続され、第２部材１６８と直角を形成し、第２部材１６８から第１部材１６６が伸びる方向と反対の方向に伸びる。クランプアーム１６４が調整部材１１６に設置されると、第２部材１４６と第３部材１７０はその間に凹部を形成する。
【００８１】
再度図２及び図５を参照すると、下部白板端部部材２６は一般的に白板部材２２の下部端部６４の長さと同じ長さを有する押出部材であり、一般的に第１及び第２の対向する表面１８０と１８２により規定される。表面１８０及び１８２は第１ないし第４チャンネル１７２、１７４、１７６、１７８を形成し、一般的に部材２６の全長に沿って伸びている。第１表面１８０は部材２６が図５に示されるように並置されると下方に開く第１チャンネル１７２を形成する。第２表面１８２はチャンネル１７２が下方に開くとそれぞれ上方に開く第３及び第４チャンネル１７６及び１７８を形成する。チャンネル１７８がチャンネル１７６の下方に位置決めされると、第２チャンネル１７４は一般的に上方に開く。チャンネル１７２は、図５に示されるように、端部係合部材１０８をぴったりと受け入れるような大きさに形成される。同様に、チャンネル１７６及び１７８の各々が設置を容易にするため後述の他のアセンブリコンポーネントを受け入れるような大きさに形成される。第２チャンネル１７４は白板部材２２の下端部６４を受け入れるような大きさに形成される。少なくともいくつかの実施例において、端部部材２６は下端部６４に接着される。
【００８２】
再度図２を参照すると、器具トレイ２７は図示されずまたここでは詳細には説明されない。ここでは、トレイ２７は、一般的に、その名が示すとおり、例えば、ペン、イレーザー、スタイラス器具のような白板２０と共に使用される器具のための便利な容器として提供されることを述べるにとどめておく。図５を参照すると、少なくともいくつかの実施例において、トレイ２７は下端部部材２６により形成された上部チャンネル１７６内で受入可能な下方に伸びる部材を形成する押出部材（図５に図示されていないので、図２参照）を含む。ネジ又は、他の機械式締結具がトレイ２７の上端部を白板２０の下端部に固定するために使用できる。そのように設置されると、トレイ２７は上方に向く棚部又は容器表面２９を形成する。例示された実施例において、開口部２１２はプロセッサ／インターフェースモジュール５４を受け入れる大きさに形成されたトレイ２７の中央部に形成される。図示されていないが、開口部はアセンブリ上の開口部２１２と整合する下端部部材２６にも形成される。
【００８３】
更に、トレイ２７は、下端部材２６に設置されると、一般的に上方に面する表面３９を形成するリップ部材３７を含む。リップ部材３７はアセンブリ１２の下端部コンポーネントの内部境界に仕上げ外観を与える。更に、表面３９は後述のレーザー整合方法を実施するために使用される。少なくともいくつかの実施例において、リップ部材３７はいくつかの追加機能を実施するために構成される。これに関して、少なくともいくつかの実施例において、部材３７が図２８に示されるように表面２０から下方に離間するように曲げられる。リップ部材３７はレーザービームが使用されていないツールトレイ内のバーコード化されたツールに達するのを阻止する（もしリップ３７が表面２０と直角であると容易になる機能）。更に、折り曲げリップ３７はバーコード化された器具が支持され且つ検出できないことを保証する。更に、折り曲げリップ表面３９は表面３７を反射するビームが装置センサーと干渉しないことを保証するため他の軌跡（例えば、図２８の５７１）に沿ってレーザー装置から離間する表面３９の範囲を定めるレーザービーム（例えば、図２８の５６９）を反射する。
【００８４】
図２と図７を参照すると、上端部部材２４は一般的に白板部材２２の上端部６２の長さと同様の長さを有する押出部材であり且つ一般的にＬ型形状で、直角を形成する第１及び第２主要部材を有する。第１主要部材１８６は上部及び下部表面１９０及び１９２を形成し、第１及び第２延長部材は部材１８６の全長に沿って上部表面１９０の末端部から上方に延び、後述のようにヘッダー４８の一部を受け入れるための細長いチャンネル１９８を形成する。
【００８５】
第２主要部材１８８は延長部材１９４及び１９６と反対の第１部材１８６の端部から且つ部材１８４及び１９６と反対の方向に伸び、３つの重要な特性を有する。第１は、部材１８８はクランプアーム１６４と調整部材１１６により形成された凹部１５５間で受け入れられる大きさに形成されたＴ形状断面を有する延長部２００を形成する。Ｔ形状延長部２００は一般的に部材１８８に対して垂直であり且つ部材１８６と同一方向に延長する。
【００８６】
第２に、第１部材１８６に接続された端部と反対の末端部で、第２部材１８８は白板部材２２の上端部６２を受け入れるためのチャンネル２０２を形成する。少なくともいくつかの実施例において、上端部６２はチャンネル２０２内で接着される。端部６２と６４が端部部材２４と２６の関連するチャンネル内で接着されると、３個のコンポーネント２４、２０、及び２６（例えば、上部端部部材、白板及び下部端部部材）は設置目的のため単一のコンポーネントを形成する。
【００８７】
第３に、第２部材１８８は番号２０４により集合的に特定される多数のスロットを形成する。複数のスロット２０４は部材２４（図４を参照）の長さに沿って離間され、部材１８６及び１８８（図７を参照）間の結合部近傍に形成される。各スロット２０４は下部表面１９２が上部表面１４５上に支持され、上部ブラケットアセンブリ（例えば、３４）の１つがスロット２０４と整合されるように形成され、ネジ１１８、１２０、及び１２２の各々のヘッドが整合されたスロット２０４（図８を参照）を通してアクセス可能である。図２に示されるように、ケーブルハーネス５２の一端部は開口部２１２に挿入され、第２端部はスロット２０４の１つの中央に挿入される。
【００８８】
更に図２を参照すると、内部端部パネル４０及び４２の各々は類似の構成を有し、したがって、この説明を簡単にするため、パネル４０のみが詳細に説明される。一般的に、パネル４０は平坦表面（名前は付けられていないが、側方白板端部６６と面している）と該平坦表面と反対の輪郭面２０８を含む押出部材である。輪郭面２０８は一般的に関連する端部キャップ４４により形成された相補表面（番号なし）を受け入れるために形成される。パネル４０は、組み立て時、パネル４０がヘッダー４８と５０の組合せ端部及び端部６６に沿って伸びるようなヘッダー４８と５０の高さに加えて側方端部６６の長さと同じ程度の長さを有する。パネル４０は表面２０から少なくともトレイ２７まで伸びるような幅を有するので、トレイ２７は組み立て時対向するパネル４０及び４２間に完全に納まる。
【００８９】
端部キャップ４４及び４６の各々は同様な構成なので、ここではキャップ４４のみが詳細に説明される。上述したように、パネル４０に面するキャップ４４の表面はパネル４０の対向表面を補完するように成形されるので、この２つの部品は一般的に圧入されると合致する。キャップ４４の外部表面２１０は所望の外観を提供するためにアルミニウム又は木材で製作される。いくつかの実施例において、部材４４全体はある種の基板上に木材又はベニヤのような仕上げ材料で形成される。
【００９０】
図２を参照すると、上部ヘッダー４８は上端部部材２４の長さに基本的に等しい長さを有し、Ｌ型部材２１４とドア２１６を含む。部材２１４は一般的に直角を形成する第１及び第２部材２１８及び２２０を含む押出し部材である。部材２１８は第２部材２２０に接続された端部と反対の設置端部２２２を有する。ドア２１６は第１部材２１８が接続される端部と反対の第２部材２２０の端部にヒンジ接続される。ドア２１６は一般的に図２の閉鎖位置と図３の開放位置間で移動可能である。端部２２２は延長部材１９４及び１９６（再度図７を参照）間のチャンネル１９８により形成された寸法と同様な厚い寸法（名前は付けられていない）を有するので、端部２２２は組み立て中チャンネル１９８内で受けとめられる。部材２１８とドア２１６の幅がヘッダー４８の長さに対して垂直である場合、ドア２１６の幅は部材２１８の幅より広いので、端部２２２がチャンネル１９８内で受けられ、ドア２１６が閉じられると、ドア２１６は端部部材２４下に伸び且つ一般的に後方に設置コンポーネントを隠す。
【００９１】
図２を参照すると、下部ヘッダー又は“フッター”５０は下部端部部材２６の長さに類似する長さを有し、一般的にＬ型部材２２４、第１及び第２下部ドア２２５及び２２６、及び第１及び第２スピーカー／マイクロホン装置２２８及び２３０を含む。部材２２４は一般的に直角を形成する第１及び第２部材２３２及び２３４を含む押出部材である。部材２３２は第２部材２３４に接続された端部と反対の取付端部２３６を有する。図示していないが、下方に伸びる部材はヘッダー５０を下部端部部材２６に設置するための凹部１７８（図５を参照）内で受入可能な端部２３６の近傍の部材２３６の裏側から延びている。そのように設置されると、端部２３６は取付のための表面１８２に対して受け入られる。
【００９２】
更に図２を参照すると、第２部材２３４の中央部が切抜かれ、モジュール５４を受け入れるための開口部２３８を形成する。開口部２３８は部材２３４を第１及び第２部分（別々に名前付けされていない）に分割する。ドア２２５と２２６は図２の閉鎖位置と図３の開口位置間の動きのためそれぞれ第１及び第２部分に対して別々にヒンジ止めされる。ヘッダー５０が下部端部部材２６に設置され、ドア２２５と２２６が閉鎖されると、ドア２２５と２２６は一般的にトレイ２７の下面に閉まり、したがって、システムコンポーネントを収容するための閉鎖空間を形成する。スピーカー／マイクロホン装置２２８と２３０はヘッダー５０の対抗端部に取付られる。
【００９３】
図２と図３を参照すると、少なくとも１つの実施例において、２個の取付ポスト２１１と２１３が典型的にはプロジェクタ１４又はコンピュータ１６をモジュール５４に接続するためのプロジェクタ又はコンピュータケーブルからなるシステムケーブル２１５を受け入れ且つ収納するための下部ヘッダー５０により規定される空間の１つに設けられる。更に、部材２３２はモジュール５４に接続される種々のケーブル（例えば、コンピュータ、プリンタ、プロジェクタ、ネットワーク接続等）を通すためのリンケージ開口部２５０を形成する。
【００９４】
図３を参照すると、第１及び第２レーザー位置センサー装置２６０及び２６２はヘッダー４８０の反対上部コーナーに設置され、各々は、オンになると、表面２０を横断する光ビームを発生するように並置される。各装置２６０及び２６２は制御されて、各サイクル期間が何分の１秒である各サイクル中に表面２０全体を横断するアークを介して光ビームを走査する。表面２０が完全に平坦であり、装置２６０と２６２が適切に整合されていると、ビームは全ての位置で表面２０から等距離にある装置２６０と２６２の各々から広がる仮想線９７（番号９７で集合的に名前付けされた３本）で示される検出平面を画定する。例えば、少なくとも１つの実施例において、検出面は全ての位置で表面２０から０．４５インチである。
【００９５】
ビーム源の他に、各装置２６０と２６２は光を受信し検出された光の軌跡を検出する光センサーを含んでいる。センサーは対応する装置（例えば、２６０）により発生し且つ検出面を透過する器具上の反射器から反射する光を検出するために調整される。例えば、インクマーカーが位置２６６で表面２０と接触すると、軌跡２６８に沿った光ビームは位置２６６でマーカーの反射先端部から跳ね返り、軌跡２７０に沿って装置２６０に向かって戻る。同様に、ソース２６２から軌跡２７２に沿ったビームは軌跡２７４に沿って装置２６２に跳ね返る。
【００９６】
更に図３を参照すると、装置２６０と２６２はそれぞれ別のケーブル９９７及び９９９を介してレーザー制御モジュール９９８に接続され、モジュール９９８はケーブル５２（再度図２を参照）を介してモジュール５４に接続され、装置と検出面を透過する器具間の瞬間的軌跡を示す信号のリアルタイム電子データストリームを提供する。モジュール５４は軌跡情報を使用するためにプログラムされ、既知の三角測量アルゴリズムのいくつかを介して検出面内の器具の位置を特定する。レーザー制御モジュール９９８はケーブル９９６を介して音響センサー２５１、２５３のアレイに接続される。
【００９７】
器具位置に関する軌跡情報を生成する他に、少なくともいくつかの実施例において、装置２６０及び２６２はコードが関連する器具の種々の特性を示すバーコードのような検出面内の器具タグを読み出すために構成される。例えば、ペン器具上のコードは器具がペンであることや、ペンカラー、ペン先厚み等を示す。イレーザーの場合、コードは器具がイレーザーであることや、イレーザーの消し跡、イレーザーカラー（例えば、仮想インクシステムの場合）等を示す。他のバーコードはスタイラス又はマウスカーソル等を含む。コード情報は器具特性を判断するためにもプログラムされるモジュール５４に提供される。例えば、図３を参照すると、もし適切にバーコード化された赤ペンが表面２０上に丸を描くために使用されると、モジュールプロセッサ（例えば、図９の２４０を参照）は赤ペンとして器具を特定し、丸の形成を判断するためにペン位置を追跡する。プロセッサ２４０はメモリ（例えば、図９の２４１参照）内に表面２０上の“書き込み”データの電子バージョンを蓄積する。もしコード化されたイレーザーが赤丸の一部を消去するために使用されると、プロセッサ２４０は修正を検出し、且つイレーザーのストロークを蓄積することにより又はメモリから前に検出されたペンストロークの一部を消去することにより蓄積された電子バージョンを更新する。
【００９８】
少なくともいくつかの実施例において、装置２６０と２６２の各々は第１光源が赤外線源であり、第２光源が可視光源である２つの異なるビーム源を含む。可視光源は、始動すると、低光条件（例えば、周辺光が弱く、影を引く場合）でのみ見えるビームを発生する場合もある。他の実施例において、光利得は明るいレーザー光を発生するために増加できる。ここで、少なくともいくつかの実施例において、光源が個別に使用されるので、一方の光源がオンであれば、他方の光源がオフになる。正常な動作において、不可視又は赤外線源が器具の活動を追跡するために使用される。可視光源は以下により詳述されるようにレーザー整合目的のために使用される。可視光源はヘッダードア２１６が開くとオンになり、ドア２１６が閉じるとオフになる実施例もある。
【００９９】
図３Ａを参照すると、典型的な装置２６０のコンポーネントはより詳細に示され、ＩＲ／可視光源８０３、センサー８０１、固定ミラー８０５、及び回転ミラー８０７を含む。光源８０３はミラー８０７に向かって第１軸８０９に沿って指向する可視又はＩＲ光ビームを発生できる。ＩＲ及び可視光源素子はそれぞれブロック８１７及び８１９を介して概略的に標識化される。光源８０３は可視光ビームが作動すると交互配置方法（可視光、不可視光、可視光等の順で）で可視及び不可視ビームを発生できる場合もある。ミラー８０５が光源８０３の前に強固に設置され、軸８０９に沿って形成されたビームと整合する小穴８１１を含むので、ビームは障害無く透過する。
【０１００】
回転ミラー８０７は軸８０９に直交する軸（名前付けせず）の周りを回転する２面ミラーであり、軸８０９は軸８０９に沿ったビームが光源８０３と面するミラー８０７のどの表面も内包するように通過する。ミラー８０７が回転するにつれて、軸８０９に沿ったビームは軸８１３に沿って且つ検出面内で白板２０の表面を超えて反射する。
【０１０１】
光が検出面内のペン等の端部上のバーコードから反射すると、光は回転ミラー８０７に向かって反射し、軌跡８０９に沿ってミラー８０５に向かって送り返す。反射ビームは一般的に光源８０３からの初期のビームより幅広く、ミラー８０５内の穴を完全には通過しない。ミラー８０５の表面に対する光はセンサー８０１に向かい軌跡８１５に沿ってに指向するので、センサー８０１は反射光を検出する。
【０１０２】
再度図２を参照すると、音響センサー２５２及び２５４（例えば、調整されたマイクロホン）が表面２０に対向する白板２２の裏面に設置され、少なくともいくつかの実施例において２つの機能を実施するために提供される。まず、センサー２５２及び２５４は直近の周辺内のノイズを検出するために設けられ、モジュール５４をオンにするためにモジュール５４に送られる起動信号を生成し、レーザー装置２６０及び２６２を始動する。ここでは、電気のスイッチをオンにしたり又は本をテーブルに置くようなわずかなノイズが検出され、システムを始動することができる。第２に、センサー２５２及び２５４はコード化されているかにかかわらず、表面２０上に生じる音響的な“書き込み”事象を検出するために提供される。このために、センサー２５２と２５４は部屋のノイズと表面２０と接触すると生じるノイズとを識別するために調整できる。適切な音声濾波は好ましくは実際の白板書き込み及び／又は消去活動と、白板の表面を振動させる一般の周辺音響活動とを識別するために使用される。このような濾波の詳細は単に異なる任意のシステムに対する設計者の選択の問題である。しかしながら、一般的に言えば、約２５キロヘルツの周波数は多くの検出された音声活動に関する良好な中域の周波数であると考慮される。
【０１０３】
充分に高度で聴覚で迅速なフィルタリングが異なる書き込み装置の異なる可聴“署名”を検出し識別するために使用できる。例えば、マーキングペン、マーク用でないスタイラス及びイレーザーの各動作／接触音を識別することが完全に可能である。表示ボード又は“コンピュータ、マウスのような”方法で他の種類の表面を使用する実施例に対して、左右のマウスクリックを“制御する”ため異なる音響署名を識別する音響構成部品を含むことができる。例えば、検出された事象は、ペン、スタイラス、又はイレーザーを介する書き込み又は器具活動の開始と継続を含む。更に、音響センサー２５１及び２５３及び他のセンサー類（図示せず）が白板上及び白板と接触する器具の位置についての追加情報を提供するためペン、スタイラス、又はイレーザーの音を特定するために使用できる。
【０１０４】
図１０を参照すると、ペンシャフト部材２８２及びキャップ２８０を含む典型的なバーコード化されたペン器具２７８が示される。本発明の少なくとも１つの実施例において、異なるバーコード又はハンドルタグがシャフト部材２８２の対向端部に提供されるので、マーカー先端２８４を含む部材２８２の端部が表面２０と接触すると、近傍のコード２８７が検出面内にあり、対向端部が表面２０と接触すると、コード２８８は検出面内にある。ここで、コード２８７と２８８の各々は一般には異なる特性を有する器具を特定する。例えば、コード２８７は赤の比較的細いペンを示すが、コード２８８は表面２０の周辺で投影されたカーソルを移動させるためのスタイラス型器具を示す。
【０１０５】
一実施例において、キャップ２８０はキャップ２８０がシャフト部材２８２の端部を受け入れ且つ受け入れられた端部でバーコードを完全にカバーする大きさで形成される外部表面上のバーコード又はキャップタグ２８６を含む。図１０において、マーカー端部はキャップ２８０で受け入れ可能である。キャップコード２８６はキャップ２８０が受け入れ時にカバーするコード２８７と異なる特性を示す。例えば、コード２８６は投影されたカーソルを移動させるためのスタイラスを示す。
【０１０６】
図１０に示されていないが、部材２８２の両端部はキャップ（例えば、２８６）を受け入れるように設計でき、キャップが受入れ先端でコードをカバーするのでキャップコードが使用中先端コードに効果的に“置換する”。キャップ２８６が先端コードをカバーしないが、先端コードがレーザー装置２６０及び２６２の走査により検出できないように組合せシャフト／キャップアセンブリの長さを単に伸ばす他の実施例も考えられる。例えば、検出面が表面から０．４５インチである上記の例と一致して、キャップ２８６はシャフト／キャップアセンブリの長さを伸ばすことができるので、先端コードはキャップ端部から１インチであり、シャフト／キャップの組合せが使用されると、先端コードは検出面外にある。
【０１０７】
このように、１つの器具が１つ以上のコードを含むことができ、各コードが他のコードに対して並置されるので、器具が通常の方法で使用される場合、１度に前記コードのうち１つのみを検出面内で検出できる。この場合、単一の器具は多目的器具になる。
【０１０８】
図１１を参照すると、ハンドル部材２９２と置換可能なイレーザーパッド２９４を含む典型的なバーコード化されたイレーザーアセンブリ２９０が示されている。ハンドル部材２９２は一般的に長方形状を有する成形プラスチック単一ハンドグリップ部材と、該部材の長方形の長さに沿って伸びる単一平面２９３を含む。部材２９２の対向端部は一般的に湾曲され、平面２９３が表面２０に平行であると（図３を参照）、一般的に表面２０に一般的に垂直である端部表面２９８と３００を形成する。バーコード３０２と３０４を特徴付ける器具は、検出面にある場合装置２６０及び２６２により検出される端部２９８及び３００に設けられるので、プロセッサ２４０はイレーザーの動きを追跡できる。重要なことには、端部２９８と３００のバーコードは角度が変化するので検出システムが白板表面とイレーザー２９０の並置を判断し、異なる意図したイレーザー消し跡を特定することができる。例えば、もしアセンブリ２９０がその垂直方向の長さで（例えば、上下に対面する端部２９８及び３００）で表面２０に位置決めされ、左から右に動くと、アセンブリ２９０の長さと同じ幅の消し跡ができるが、もしアセンブリ２９０がその水平方向の長さで（例えば、側方に対面する端部２９８及び３００）で位置決めされ、左から右に動くと、アセンブリ２９０の幅と同じ幅の消し跡ができる。システムは上述の２つの並置状態及びその間の他の並置状態を特定するため且つそれに従った有効なイレーザー消し跡を調整するためにプログラムされる。いくつかの実施例において、バーコードはイレーザーの角上に配置することもできるし、角度変化の判断を容易にするような構成もある。
【０１０９】
パッド２９４は典型的にはフェルト型パッドであり、一般的に平坦表面２９３の形状を有する。少なくともいくつかの実施例において、パッド２９４の取付表面３０６はパッド２９４が表面２９３に取り外し可能に設置できる粘着接着剤で設けられる。
【０１１０】
図１０を参照すると、ペン２７８は実際のインクペンであり、ペン２７８の動きと特性が判断される表面２０上に実際のインクマークを設けるために使用可能であり、表面２０に設けられたマークの電子バージョン（例えば、一時メモリ２４２内で）を作成するために使用される。少なくともいくつかの実施例において、書き込み情報を表面２０に適用する唯一の方法は実際のインクペンを使用することである。いくつかの実施例において、実際のインクペンを使用する代わりに又はその使用に加えて、仮想インクペンがマークを表面２０に形成するために使用される。“仮想インク”という名前が示すように、仮想インクペンは実際にはインクを表面２０に適用しない。代わりに、表面２０上のマークの電子バージョンは一時メモリ（図９の２４１を参照）に生成されるので、これらのマークはプロジェクタ１４を介して表面２０（又は、実際には所望の場所どこでも）に投影される。例えば、仮想インク赤ペンが表面２０を横断すると、ペン特性（例えば、赤色、厚み等）が特定され、動きが追跡されるので、プロジェクタ１４は基本的にペン器具の移動先端を追跡するリアルタイム仮想インクを生成できる。同様に、仮想インクイレーザーが表面２０を横断し仮想インクマーク上を動くと、マークは一時メモリ２４２から消去され、したがって、投影された画像から消去される。ここで、仮想インクイレーザーが物理的なイレーザーの形状を取る必要は無く、代わりに、適切にコード化されたスタイラス等の形状を採用できることに留意すべきである。
【０１１１】
図１２を参照すると、１つの発明概念によれば、器具シャフト部材３１４、ペンキャップ３１６、及びイレーザーキャップ３１８を含む多目的仮想器具アセンブリが提供される。シャフト部材３１４は一般的に第１及び第２端部３２０及び３２２を有する細長い部材である。カラーリブ３２４は第１端部３２０の近傍の前記部材３１４の表面から外方向に伸び、一般的にシャフト部材３１４を先端部３２６と保持部３２８に分割し、一般的に保持部３２８は先端部より数倍長い。整合印又はマーク３３０がリブ３２４の外方向に面する表面上に設けられる。典型的な実施例において、マーク３３０は第１端部３２０の方向を指す先端を有する矢印を含む。
【０１１２】
更に図１２を参照すると、いくつかのバーコード３３２、３３４、３３６等が先端部３２６上に設けられ、その円周で離間している。一実施例において、各コード（例えば、３３２，３３４等）は異なる器具特性セットを示す。例えば、各コードは異なるペン型（例えば、コード３３２は青色を示し、コード３３４は緑色を示す）を示す場合がある。他の例において、各コードは異なるイレーザー消し跡を示す（例えば、コード３３２は２インチを示し、コード３３４は３インチを示す）。他の実施例において、単一のバーコードをセクション３２６に設け、前記コードの異なる部分が異なる器具特性を示すこともできる。例えば、コードの長さが１インチである場合、コードの前半は青色ペンを示し、コードの後半は赤色ペンを示し、中央の半分（例えば、青色ペンを示す前半の際後の部分と、赤色ペンを示す後半の最初の半分）は緑色ペンを示し、コードの４半分の始めと終わりを併せて黄色ペンを示すこともできる。コードセグメントの他の組合せが多く考えられる。
【０１１３】
一般には、各コード（例えば、３３２）はセクション３２６の円周のいくつかの異なる位置で繰り返されるので、各型の少なくとも１つのコードは常時センサー装置２６０及び２６２の少なくとも１つを介して検出できる。コード３３２、３３４、３３６等又はコードセグメントはマーク３３０に対してセクション３２６上の特定の位置に提供され、その特定の位置は後述される。
【０１１４】
閉鎖端部先端３３８及び部材３１４の第１端部３２０を受け入れるための開口端部３４０を含むペンキャップ３１６は一般的には円筒形である。キャップ３１６が端部３２０上にはめ込まれると、先端部３２６全体はキャップ３１６内に受け入れられ、端部３４０はリブ３２４の対向面に接する。キャップ３１６が端部３２０上にあると、セクション３２６上のコード（例えば、３３２）はキャップ３１６内にある。移動止め等が取り外し可能な方法でキャップ３１６を端部３２０に保持するために設けられる場合もある。
【０１１５】
キャップ３１６は、キャップ３１６が端部３２０上にある場合、セクション３２６上のバーコードマークの少なくともいくつかが透視できるでように、形成され且つ位置決めされたいくつかのウインドウ又は開口部３４２、３４４等を形成する。例えば、キャップ３１６が一つの位置にある場合、青色ペンに対応するコード３３２は各ウインドウ内に位置決めされ、キャップ３１６が第２の位置にある場合、緑色ペンに対応するコード３３４は各ウインドウ内に位置決めされる。ウインドウは完全に開くことができ、又は単にバーコードが読み取れる半透明のプラスチック材料から形成することもできる。
【０１１６】
キャップ３１６の２つの他の特徴は注目すべきである。まず、部材３１４上の端部３４０にリブ３２４と同種のカラーリブ３４６が提供され、その上に一連のマーク３４８、３５０及び３５２が提供される。マーク３３０のようなマーク３４８、３５０及び３５２は矢印であるが、先端はキャップ３１６が端部３２０上にある場合第２端部３２２の方を指す（例えば、マーク矢印３４８は矢印３３０と反対の方向を指す）。図１３を参照すると、キャップ３１６と端部３２０の拡大図が示される。図１３において、識別印がマーク３４８、３５０及び３５２の各々に提供される。図１３において、“ＢＰ”、“ＧＰ”及び“ＲＰ”マークが青色、緑色、及び赤色を示す。マーク３４８、３５０等が次に述べられるウインドウ３４２、３４４と特定の関係に並列される。
【０１１７】
更に図１３及び図１４を参照すると、セクション３２６上のコード（例えば、３３２）はマーク３３０に対して並列され、マーク３４８、３５０等がウインドウ３４２、２４４等に対して並列され、特定のマーク３４８、３５０等がマーク３３０と整合されると、整合したマーク３４８、３５０等上の印に対応するコードがウインドウ３４２、３４４等に配置される。例えば、図１４において、緑ペンを示すマーク３５０がマーク３３０と整合されると、緑ペン（例えば、３３４）を示すバーコードがウインドウ３４２、３４４等に位置決めされる。同様に、もし図１４のキャップ３１６が回転されると、青色ペンを示すマーク３４８がマーク３３０と整合されるので、青色ペンを示すバーコードはウインドウ３４２、３４４等に位置決めされる。
【０１１８】
注目すべきキャップ３１６の第２の特徴はバーコード３５４と３５６が近傍のウインドウを分離する各部材の外部表面上に設けられることである。この実施例において、各ウインドウコード３５４、３５５等は同一であり、且つキャップ３１６がイレーザーキャップやその他のキャップではなくペンキャップであることを示す。ここでは、セクション３２６上のコードの場合、コード３５０、３５２は、仮想ペンアセンブリが表面２０との相互作用して使用される場合、コードの少なくとも１つが装置２６０、２６２の少なくとも一つを介して検出可能であるように位置決めされる。
【０１１９】
部材３１４とペンキャップ３１６を含むアセンブリは所望の色印がマーク３３０と整合されるまで端部３２０上のキャップ３１６を回転させることにより仮想ペン色を選択するように使用できる。その後、ペンが白板１２内で使用されると、装置２６０及び２６２は器具がキャップ３１６上のコードからのペンであることを判断し、その後、ウインドウ３４２、３４４等を通して検出されたコードから他の特性を判断する。
【０１２０】
再度図１２を参照して、イレーザーキャップ３１８はペンキャップ３１６と同様であるが、異なるのはキャップ３１８上の内部ウインドウコードがイレーザーを示し、マーク３５８、３６０、及び３６２上の印がイレーザーについてのある特性を示すところである。例えば、マーク３５８、３６０等がイレーザー消し跡、イレーザー色（例えば、仮想イレーザーは一時メモリ２４２内の別の色のインクを残して１つの色のインクのみを消すために使用され、表面２０に投影することができる）等を示す。ここでは、キャップ３１８がシャフト部材３１４と共に使用されると、セクション３２６上のコードがマーク３５８、３６０等上の印に対応するイレーザー特性を示すために使用される。例えば、赤のイレーザーを示すマーク（例えば、３５８）がマーク３３０と整合されると、赤のイレーザーを示すバーコードがウインドウ３４２、３４４と整合され、青のイレーザーを示すマークがマーク３３０と整合されると、青のイレーザーを示すバーコードはウインドウ３４２、３４４等と整合される。
【０１２１】
単一シャフトと単一キャップが多くの異なる仮想インク器具型は“ダイアル呼び出し”するために使用でき、及び部材３１４上のコードの意味がシャフトと共に使用されるキャップに依存する異なる器具型を実行するため１つ以上のキャップを同一のシャフト部材３１４と共に使用できる。他の実施例において、シャフト上のキャップの回転は器具をペンからイレーザーに変更し、ペンの厚み又は厚みと色を変更することができる。
【０１２２】
図２と図９を参照すると、モジュール５４は一般的にプロセッサ２４０、第１及び第２短期メモリ２４１及び２４２、半永久又はアーカイブメモリ２４３、ユーザーインターフェース装置２４４、システムコンポーネントリンケージ又はポート２４６、２４８、２５０、２５２、２５４、及び２５７、及びディスクドライブ２２９（又は、ある他の型のリムーバブルメディア）（図２のスロット２２９を参照）を含む。プロセッサ２４０は種々の機能を実行するためにプログラムされる。プロセッサ２４０により実行される機能の１つはメモリ２４１、２４２、又は２４３のうちの１つの電子フォーマットで表面２０に表示された種々の情報を“キャプチャ”することである。ここで、メモリ２４１、２４２及び２４３は表示された情報の異なる型が別々に蓄積され、その情報が一時的又は半永久的に蓄積できる事実を強調するため個別のコンポーネントとして示される。しかしながら、メモリ２４１、２４２、及び２４３はプロセッサ２４０と関連し又はプロセッサ２４０によりアクセス可能な単一のメモリコンポーネントの異なる部品を構成することができる。
【０１２３】
表面２０に表示可能な種々の情報は一般的に投影された情報及びインク又は仮想インクを介して表面２０に適用された情報を含んでいる。以下、他に指示されていなければ、インク又は仮想インクを介して表面２０に適用された情報は書き込み情報と呼び、器具適用情報は単に投影された情報又は非書き込み情報と区別される。上述のように、ペンが表面２０にインクを適用するために使用されると、プロセッサ２４０は表面２０に適用されたインクの電子バージョンを提供し、該電子バージョンを第１一時メモリ２４１に蓄積する。更に、非書き込み情報が表面２０に投影されると、プロセッサ２４０は投影された情報のコピーを第２一時メモリ２４２に蓄積する。このように、書き込み情報が表面２０上に適用され、且つ仮想インク情報も表面２０上に投影されると、情報は一時メモリ２４１と２４２の両方に蓄積される。プロジェクタ１４が使用されていないが、書き込み情報が表面２０に適用されると、書き込み情報の電子バージョンはメモリ２４１に蓄積され、メモリ２４２は空である。同様に、プロジェクタ１４が仮想インク情報を表面２０に投影するが、非書き込み情報が表面２０に適用される場合、メモリ２４２は投影情報の電子バージョンを含み、メモリ２４１は空又はクリア状態である。仮想ペン／イレーザーが表面２０上の書き込み情報を修正するために使用される場合、プロセッサ２４０は上述の方法で器具活動を検出し、電子的に蓄積された書き込み情報を変更する。
【０１２４】
情報をメモリ２４１及び２４２に蓄積することに加えて、メモリ２４１及び２４２の一方又は両方からの情報はアーカイブ又はウエブサイトメモリ２４３に半永久的に蓄積することができる。メモリ２４３に蓄積する方法は後述される。少なくとも１つの実施例において、メモリ２４３はサイズに限りがあるので、蓄積される画像数は制限される。例えば、少なくとも１つの実施例において、メモリ２４３に蓄積される画像数は１００に制限され、追加画像がメモリ２４３に蓄積されると、“ファーストイン”（即ち、最初に蓄積された又は一番古い）画像が消去される。この場合、もしセッションの出席者が長期保存のためセッションから１つ以上の画像をコピーしようとすると、出席者は所望の画像が消去される前に（例えば、セッションの数日以内に）サーバープロセッサ２４０を介してメモリ２４３にアクセスし、コピー取ることになる。それゆえ“半永久”アーカイブメモリという名称がつけられた。
【０１２５】
更に図９を参照すると、プロセッサ２４０はメモリ２４１、２４２及び／又は２４３内の情報へのリモートアクセスを可能にするためネットワークポート２４６を介してＬＡＮ、ＷＡＮ、インターネット等のコンピュータネットワークに接続できる。これに関して、白板でのセッション中に、情報が表面２０から追加／削除されている間に、表面情報に対する変更は一時メモリ２４１及び／又は２４２に反映され、したがって、ポート２４６を介して送信される。更に、表示情報の画像がアーカイブメモリ２４３に蓄積された後、記録保存された画像にアクセス及び／又はコピーするためにリモートリンクがネットワークポート２４６を介して形成されることが考えられる。更に、メモリ２４３に蓄積された画像が後述のようにアセンブリ１２を介して再アクセス可能である。
【０１２６】
プリンタ、コンピュータ、及びプロジェクタポート２４８、２５２及び２５０はそれぞれ、図１に示されるように、プリンタ１８、コンピュータ１６及びプロジェクタ１４に接続され、プロセッサ２４０がこれらのシステムの各々を制御する。更に、少なくともいくつかの実施例において、プロセッサ２４０はコンピュータ１６により制御可能である。
【０１２７】
更に図２及び図９を参照すると、スピーカー／マイクロホン装置２２８及び２３０はポート２５７を介してプロセッサ２４０に接続される。いくつかの実施例において、装置２２８及び２３０によりピックアップされた音はプロセッサ２４０により蓄積可能である。いくつかの実施例において、プロセッサ２４０は、後述のように、システムの特徴の使い方に関する指示を提供することに加えて、可聴音を発生するため、システム１０の種々の動作状態を示すための音声情報を送信するためにプログラムされる。
【０１２８】
センサーポート２５４は制御器９９８を介して音響センサー２５２及び２５４及びレーザー装置２６０及び２６２に接続され、種々の機能を実行するために使用されるリアルタイム電子データストリーム信号を前記音響センサー及びレーザー装置から受信し、他の機能を実行するため信号を前記音響センサー及びレーザー装置に提供する。
【０１２９】
データをメモリ２４１、２４２、及び２４３に蓄積する他に、プロセッサ２４０はデータをディスクドライブ２２９内で受信したディスクにデータを蓄積する。図２に示されるように、ドライブ２２９はモジュール５４の一体部分である。図示された実施例において、ディスク受け入れスロット２２９はモジュール５４の側部表面に形成されるので、前記スロットはドア２２５が閉じられると下部ヘッダーのドア２２５により隠される。
【０１３０】
図１５を参照すると、モジュラー５４上の典型的なインターフェースパネル３１０が示される。重要なことには、パネル３１０は特に直観で操作できる簡単な設計を有し、限られた数の特に有益な機能のみを促進する。このために、パネル３１０はヘルプボタン３１２、プラスマイナス音量制御ボタン３１３及び３１４、スタートボタン３１６、プリンタボタン３１８を含む一連の３個の“クイックキャプチャ”ボタン、ディスクボタン３２０とウエブサイト／アーカイブボタン３２２、パスワード保護インディケータ３２４、関連ボタン３１５、アーカイブ及びラップトップソースボタン３２６及び３２８を含む複数の“投影”ボタン３２４、及びモードボタン３３０を含む。
【０１３１】
パネルＬＥＤは前記ボタン又は関連する他のシステムコンポーネントの現在の状態を示す。例えば、スタートボタン３１６は“待機中”ＬＥＤ３３２及び“使用中”ＬＥＤ３３４と関連する。“待機中”ＬＥＤ３３２が発光すると、一時メモリ２４１は空であり、“使用中”ＬＥＤが発光すると、少なくともいくつかの書き込み情報が一時メモリ２４１に蓄積されている。プリントＬＥＤ３６６がプリンタボタン３１８と関連し、一般的に、プリンタボタン３１８が選択される場合及びプリンタ１８が表面２０上の現在表示された情報のコピーを印刷中である場合を示す。ディスクＬＥＤ３６８はディスクボタン３２０と関連し、一般的に表面２０上の現在表示された情報がドライブ２２９内のディスクに蓄積されている場合を示す。ウエブサイト／アーカイブＬＥＤ３７０はウエブサイト／アーカイブボタン３２２と関連し、表面２０上に現在表示されている情報がアーカイブメモリ２４３に蓄積されている時期を示す（図９を参照）。アンロックＬＥＤ３７２とロックＬＥＤ３７４はトグル型ボタンであるパスワード保護ボタン３１５と関連する。ＬＥＤ３７２と３７４の一つは常時点灯され、ＬＥＤ３７２及び３７４の１つのみが特定の時間に点灯する。ＬＥＤ３７２と３７４の状態はボタン３１５を選択することにより切り替えられる。一般的に、ＬＥＤ３７２と３７４はロックされていない南京錠及びロックされた南京錠の絵を用いて指示するアンロック及びロック印（個別に名前付けされていない）と関連する。アーカイブＬＥＤ３８０はアーカイブボタン３２６と関連し、ラップトップＬＥＤ３８２はラップトップボタン３２８と関連する。アーカイブ又はラップトップボタンが選択されると、対応するＬＥＤが発光し、表面２０上に現在表示された情報の情報源を示す。パスワード保護ボタン３１５のようにボタン３３０はトグルボタンであり、統合ＬＥＤ３８４と分離ＬＥＤ３８６に対応する第１及び第２状態を有する。パネル３１０上のボタンの機能が関連する発明方法に関して以下に記載される。
【０１３２】
Ｂ．  白板アセンブリの設置及びレーザー装置の整合：
再度図３を参照すると、前述から、装置２６０と２６２を適切に動作させるため、表面２０は本質的に完全に平坦でなければならないことがわかるであろう。例えば、もし表面２０に凹面又は凸面があると、表面２０と装置２６０及び２６２により発生するビームにより形成された検出面間の距離は表面位置により異なる。例えば、位置２６６で表面２０と接触するバーコード化されたペンは検出面内に配置されているペンのバーコードになり、もしペンが表面２０（例えば、図３の表面２０の下部右手コーナー）に沿った他の位置に動くと、バーコードは代わりに検出面と表面２０間に又は表面２０と反対の検出面側にあることになりバーコードが特定できない。この場合、バーコードは検出できないので、意図された情報は消失する。
【０１３３】
図２及び図４ないし図８を参照すると、特別に設計された上部及び下部アセンブリ（例えば、２８及び３４）が使用され、元来の平坦な表面２０が壁面８５に固定されているにもかかわらず平坦であることを一般に確実にする進歩的な設置方法を実行する。このために、図１６を参照すると、進歩的な設置方法４００が示される。ブロック４０２で始まり、下部ブラケットアセンブリ２８、３０及び３２は壁面８５に沿って離間し、続いて、下部端部部材２６が設置されると、中央ブラケットアセンブリ３０が下部端部部材２６の一般的に中央部の近傍に位置決めされ、側方アセンブリ２８及び３０は部材２６の反対端部の近傍に位置決めされるので、アセンブリ２８、３０及び３２の各々が同じ垂直高さになる。アセンブリ２８、３０及び３２が表面８５に設置された後、ブロック４０４で、調整部材７２の各々（図５参照）が調整されるので、そこから上方に伸びる端部係合部材１０８が整合される。この工程は対応する端部係合部材１０８が本質的に表面８５の近傍の部分と平行であるように調整部材７２の一つを整合し、その後、関連するネジ７６及び７８を締結することにより実施可能である。例えば、アセンブリ２８は最初に調整され、対応するネジが締結される。次に、ストリングがアセンブリ２８上の部材１１０と１０８間に形成されたチャンネル内に配置され、アセンブリ３２の方向に部材１１０及び１０８間のチャンネルに対応する軌跡に沿って延長される。アセンブリ３０と３２の各々が調整されるので、ストリングはこれらのアセンブリ上の各々に対応する部材１１０と１０８により形成される対応チャンネルを通過する。一旦調整部材チャンネルの全てが整合されると、ネジ７６及び７８はアセンブリ３０及び３２の各々で締結される。この時点で、表面８５内の波形にかかわらず、これらのアセンブリ２８、３０及び３２の各々で端部係合部材（例えば、１０８）の全てが完全に整合され、したがって、受け入れられた平坦白板の直線端部上にどのようなトルクも掛けるべきでないことを留意すべきである。
【０１３４】
更に図１６及び図６と図７を参照すると、次の工程４０６は上部ブラケットアセンブリ３４、３６、及び３８の各々でネジ１２２を緩める工程と、アセンブリ３４、３６、及び３８の各々を上部端部部材２４の端部上に滑動させる工程を含むので、Ｔ型延長部２００（図７参照）が部材１４６、１６８、１７０、１１６、及び１５０間に受け入れられ、且つ端部部材２４の下部表面１９２はベース部材１１４の上部表面１３４上に載る。アセンブリ３４、３６、及び３８は中央アセンブリ３６が一般的に部材２４に対して中心に配置されるように上部端部部材２４に沿って位置決めされるので、側方アセンブリ３４及び３８は部材２４の反対端部の近傍である。
【０１３５】
ブロック４０８で、中央上部ブラケットアセンブリ３６は中央下部ブラケットアセンブリ３０の上方で壁面８５に一般的に垂直に設置される。ブロック４１０で、第１及び第５部材１３４及び１３２により形成された共通の表面が近傍の壁面８５に接触するまで、側方上部ブラケットアセンブリ３４と３８は調整ネジ１１８（再度図７を参照）を介して調整される。次に、ブロック４１２で、側方上部ブラケットが壁面８５に対して締結される。白板が完全に平坦になるまで、追加の微調整が調整ネジ１１８で実施される。ブロック４１４で、締結ネジ１２０は特定の構成で上部ブラケットアセンブリをロックするために締結される。
【０１３６】
上述のブラケットアセンブリは上述の方法で使用されると、白板２２にトルクを掛けることなく、したがって、表面２０の平坦度に妥協することなく、不均一壁面に対して白板部材２２を強固に固定できる。ここで、部材７２と１１６の調整機能が不均一表面８５上での“平坦”装着を可能にする。より一般的な意味で、本発明のこの態様は、１つ以上のブラケットアセンブリが白板の位置と不均一表面の近傍の部分間の距離が固定されるように不均一表面に対して強固な白板を支持するために使用されるどのような方法も含んでいる。その後、調整可能なブラケットアセンブリが白板上の位置に固定され、ブラケットアセンブリの設置表面（例えば、図７において部材１２４と１３２により形成される共通の平面）が不均一表面の近傍の部分と一致するまで調整される。次に、調整されたアセンブリは不均一壁面に固定される。
【０１３７】
アセンブリ３４、３６、３８、２８、３０及び３２が上述の方法でコンポーネントを締結するために調整され且つロックされた後、図２に示される他のコンポーネントが上部及び下部端部部材２４及び２６に対して及び側方白板端部６６及び６８に対していくつかの異なる方法の何れかで締結又は取付可能である。例えば、再度図２及び図７を参照すると、上部ヘッダー４８は部材１９６と１９４により形成されたチャンネル１９８に部材２１８の下部端部２２２を配置することにより上部端部部材２４に取付可能である。次に、複数のネジ（図示せず）はヘッダー４８を締結するため部材１９６、２１８及び１９４にねじ込まれる。図２及び図５を参照すると、下部ヘッダー５０は複数のネジで端部部材２６の下部端部に設置される。第１及び第２側方部材４０及び４２は複数のネジで近傍端部６６及び６８に締結され、仕上げ部材４４及び４６は複数のネジで側方端部部材４０及び４２に締結される。
【０１３８】
再度図２及び図３を参照すると、ケーブル５２はレーザー制御装置９９８に接続され、装置９９８はケーブル９９７及び９９９を介してレーザーセンサー装置２６０及び２６２に接続され且つケーブル９９６を介して音響センサー２５１及び２５３に接続され、モジュール５４及び装置２６０及び２６２の各々は図３に示されるように設置される。このために、複数のネジ（名前付け無し）が下部ヘッダー５０の開口部２３８内に装置５４を設置するために使用され、複数のネジ９１（番号９１により集合的に名前付けされた装置２６０と関連する３個のネジ）が各上部ヘッダーコーナーに装置２６０と２６２の各々を設置するために使用される。これに関して、少なくとも１つの実施例においてネジ９１の各々は装置（例えば、２６０）と該装置がバネを通過し適切なネジ切り開口部で受け入れられるネジで設置されるヘッダー部材の表面間のバネを含む。このように、一般的に、バネは関連する装置を外方向に押し、ネジ９１はバネに対抗して装置を内方向に強制し、ネジとバネは共に表面２０に対する装置の角度を変更するために使用される。
【０１３９】
白板コンポーネントが上述のように組み立てられた後、もし表面２０が本質的に完全に平坦であっても、もしレーザー装置２６０及び２６２が適切に整合されていなければ、装置２６０及び２６２により形成された検出面（ライン９７により示される）は表面２０と本質的に平行であり、システムはアセンブリ１２と共に使用される器具上の全てのバーコードを検出するために適切に動作しない。本発明の他の態様によれば、レーザー装置２６０と２６２は平坦平面２０と本質的に平行である検出面を提供するための方法を実施するために使用できる。このために、本発明の少なくとも１つの実施例において、レーザー装置２６０及び２６２を作動した状態で、ドア２１６が開くと、赤外線レーザービームで表面２０を走査する代わりに、装置２６０及び２６２の各々は可視光レーザービームを発生し、表面２０を横切ってそのレーザービームを走査するために使用する。装置２６０及び２６２により発生したビームは可視光であるので、各ビームは表面３９、４０、４２上に光のラインを形成する。これに関して、表面２０、３９及び部材４２（図１参照）の内部表面によりアセンブリ１２の下部右側カバーを図示している図２８を参照されたい。表面３９で生じる典型的な光ライン５９が仮想的に示される。
【０１４０】
装置２６０又は２６２が表面２０と適切に整合されると、検出面は本質的に全ての点で平行であり、全ての位置での表面３９上に発生する光のラインと表面２０間の距離Ｄ３は同一であり、光が発する対応する装置２６０又は２６２上の表面２０と位置（放射点）間の距離に等しくなるはずである。例えば、表面２０と装置２６０上の放射点間の距離が０．４５インチである場合、計測表面３９上の光ライン５９は光ラインに沿った全ての位置で表面２０から０．４５インチであるべきである。このように、装置２６０と２６２の各々は検出面が本質的に表面２０と平行であることを確実にするため上記の距離が同一であるように調節できる。図３に最良に示されるように、ネジ９１は装置２６０を調節するために使用でき、同様なネジが装置２６２を調節するために使用できる。
【０１４１】
図１７を参照すると、上記の説明と一致した典型的なレーザー整合方法４２０が示される。ブロック４２４で開始すると、装置２６０及び２６２の各々は表面２０を横断して走査し可視光レーザービームを発生するために制御され、装置２６０と２６２と対面する表面３９上に光ライン又はビームラインを発生する。続いて、ブロック４２６で、インストーラーは表面３９上のビームライン５９をチェックし、もしソース２０とビームライン５９間の距離がブロック４２８で装置２６０と２６２の各々のための全ビームライン５９に沿って同一であれば、インストーラーは整合プロセスを終了する。しかしながら、ブロック４３２で表面２０とビームライン５９間の距離がビームライン全体に沿って同一でない場合、インストーラーは（例えば、ネジ９１を介して）レーザー装置２６０と２６２の傾斜を調整し、プロセスはブロック４２８まで戻る。次に、ブロック４３１で、ライン５９と最適距離０．４５インチ間の距離が比較され、もしブロック４３３でその距離が異なると、インストーラーはレーザー装置２６０と２６２の各々の３個の調整ネジ９１の全てを回すことによりレーザー装置の高さを調節する。この調整プロセスは、ブロック４３１で、可視光ビームがブロック４３０でオフになる点で前記距離が等しくなるまで繰り返される。
【０１４２】
整合方法が表面３９を使用して説明されているが、他の表面を同様な効果を得るために使用することができる。例えば、単純な平坦部材が表面２０対して保持され、表面２０の測定値に対する光ライン５９が取られる。
【０１４３】
Ｃ．  ソフトウエア関連方法：
レーザー検出システムにおいて、バーコード検出面が書き込み表面から（例えば、０．４５インチ）分離している場合、コード化された器具が位置決めされ、器具バーコードが、器具が表面２０と実際には接触しないという事実にかかわらず、検出面内で検出されるように表面２０に対して移動することが認識されてきた。この現象は、マーカー使用者が表面にマーカー先端を置く前又はそれに続いて、表面２０近傍でマーカーの先端を動かす場合、マークの始まりと終わりで普通に生じる。これらの場合、マークの電子バージョンはマークの始まりと終わりでテールエンドを含む。
【０１４４】
図３を参照すると、本発明の１つの態様によれば、音響センサー２５２及び２５４は器具が表面２０に接触する時期を判断するために使用される。図９を参照すると、いくつかの実施例において、プロセッサ２４０は器具が表面２０と接触状態にある間のみ画像の電子バージョンのマークを記録するためにプログラムされる。例えば、いくつかの場合において、装置２６０と２６２が位置／器具情報をプロセッサ２４０に提供した後、プロセッサ２４０は器具が表面２０と接触しているかどうかを判断するため音響センサー２５２及び２５４をモニターし、表面２０と接触し装置２６０及び２６２からの信号が器具の存在を示す場合のみ蓄積された画像を変更する。
【０１４５】
図１８を参照すると、音響センサー２５１及び２５３とレーザーセンサー２６０及び２６２が器具の活動の時期と型を判断するために使用される上記説明と一致する方法４３６が示される。図３と図９を参照すると、始動されたプロセッサ２４０は、センサーが器具活動を検出中かどうかを判断するため、ブロック４３８で音響センサー２５１と２５３及びレーザー装置２６０と２６２の各々からの信号をモニターする。ここで、上述のように、任意の型の器具が検出面に入ると、装置２６０及び２６２は活動を検出し、対応するリアルタイム信号をプロセッサ２４０に提供する。更に、器具が表面２０と接触すると常に、音響センサー２５１と２５３の少なくとも１つがその接触を検出し、接触が生じたことを示す対応する信号をプロセッサ２４０に提供する。ブロック４４０で、もし音響活動が検出されないと、プロセッサ２４０の制御は活動のモニターが継続するブロック４３８まで戻る。しかしながら、もし音響活動がブロック４４０で検出されると、制御はブロック４４２に移動し、プロセッサ２４０が装置２６０と２６２の少なくとも１つにより検出面内で光学コードを検出したかどうかを判断する。光学コードが検出されない場合、制御はブロック２４２からブロック４３８まで戻りモニタープロセスが継続する。
【０１４６】
ブロック４４２を再度参照して、光学コードが検出される場合、制御はブロック４４４に移り、プロセッサ２４０が接触位置及び器具の型、器具の特性等を含む器具活動の正確な型を特定する。ブロック４４６で、プロセッサ２４０は特定された器具活動を電子データに変換し、メモリ２４１内の書き込み情報の電子バージョンを更新する。ブロック４４６後、制御は再度ブロック４３８まで戻りモニターリングが継続する。
【０１４７】
上記機能の実行（例えば、表面接触の確認及びシステム１０の始動）に加えて、音響センサー２５１及び２５３は、空間的に分離している場合、表面２０上で活動位置を確認するための追加情報を提供できる。システムプロセッサ２４０は活動が生じる表面２０上の全般的領域を判断する音響信号を使用するためにプログラムされる。
【０１４８】
上記の組合せ音響レーザーセンサーシステムは意図しない活動がプロセッサ２４０により得られ且つ記録される場合を減少させるため極めてよく機能することが分かった。それにもかかわらず、レーザーセンサーと接触を検出する他のセンサー型を含む別のセンサーの組合せが同様の機能を提供できることを理解されたい。例えば、他の実施例において、レーザーセンサーは器具活動を検出するためタッチ感応パッド／表面２０と組合せ可能である。ここでは、タッチ感応パッドはパッドが接触位置を判断する必要がなく接触の発生を判断するので比較的安価な設計で形成できる。
【０１４９】
ある状況において、システムユーザーはメモリ２４１内に蓄積された書き込み情報の電子バージョンが表面２０上に表示された情報と異なるような方法で表面２０と相互作用するかもしれない。例えば、書き込み情報を表面２０に提供するため、システムユーザーが適切にバーコード化された本物のペン器具を使用することを仮定してみる。この場合、プロセッサ２４０は表面２０に提供された書き込み情報の電子バージョンをメモリ２４１（図９を参照）に蓄積する。もし情報が表面２０に提供された後、ユーザーが表面２０の情報のいくつかを消すため布又は他の非バーコードされた器具を使用すると、プロセッサ２４０は使用された器具の型を判断できないので（例えば、布又は他の器具がバーコード化されていない）、プロセッサ２４０は情報が表面２０から消去されたことを検出できず、したがって、一時メモリ２４１の書き込み情報の電子バージョンを更新しない。
【０１５０】
上記の状況下で、バーコード化されていない器具（例えば、布）が表面２０を完全にクリアするために使用されたにもかかわらず、書き込み情報がメモリ２４１に残る事はあり得る。ここでは、気づかずに、システムユーザーがメモリ２４１にすでに存在する他の情報の上からメモリ２４１に記録される表面２０上の追加書き込み情報を追加するとする。その後、もしユーザーがプロセッサ２４０に（例えば、ウエブサイト／アーカイブボタン３３２を選択することにより）表面２０に現在表示されている書き込み情報をアーカイブメモリ２４３に蓄積することを指示すると、プロセッサ２４０は書き込み情報を一時メモリ２４１からアーカイブメモリ２４３に書き込む。このように、システムユーザーが気づかないまま、表面２０上の現在の情報のみではなく、以前に消去された書き込み情報と表面２０上の最新に提供された書き込み情報を組み合わせた情報がメモリ２４３に蓄積される。
【０１５１】
本発明の１つの他の態様によれば、図１５を参照すると、２つの機能を促進する開始ボタン３１６と関連するＬＥＤ３３２及び３３４が提供される。まず、ＬＥＤ３３２及び３３４は一時メモリ２４１がクリアされ且つ少なくともいくつかの書き込み情報がメモリ２４１に蓄積されると、システムユーザに知らせるために提供される。このために、一時メモリ２４１が完全に空であれば、ＬＥＤ３３２が点灯され、アセンブリ１２が新しい情報を受信する用意があることを示す。ＬＥＤ３３４が灯ると、ＬＥＤ３３４はメモリ２４１が少なくともある情報を含むことを示す。このように、システムユーザーが表面２０上の全ての情報を消去するためにバーコード化されていない器具を使用した後、表面２０上に情報がないにもかかわらず、使用中ＬＥＤ３３４はメモリ２４１内の書き込み情報と表面２０上の情報間の不一致があることを示すために点灯状態のままである。他方、もしシステムユーザが表面２０上の全ての書き込み情報を消去するためバーコード化されたイレーザーを使用すると、一時メモリ２４１内の全ての書き込み情報を消去すべきであり、この場合、待機中ＬＥＤ３３２が点灯し、ＬＥＤ３３４は作動停止する。
【０１５２】
不都合なことに、バーコード化されていない器具が表面２０上の全ての情報を消去するために使用されると、システムユーザーが一時メモリ２４１に残る書き込み情報に対応する表面２０上の位置を特定するのが困難になる。ここで、バーコード化されたイレーザーを使用してメモリ２４１を完全にクリアにするため、システムユーザーは表面２０上の１つの場所で系統的に開始しなければならず、メモリ２４１がクリアされるまで、イレーザーを“盲目的”に動き回さなければならない。この問題を避けるため、本発明の一態様によれば、開始ボタン３１６が全てのメモリ２４１を自動的にクリアするため始動する。
【０１５３】
図１９を参照すると、一時メモリ２４１の状態を示し、開始ボタン３１６を介してメモリ２４１をクリアするための方法４５０が示される。図９及び図１５を参照すると、ブロック４５２で、プロセッサ２４０は電子メモリ２４１をモニターする。メモリ２４１がクリアである場合、制御はブロック４５６に移り待機ＬＥＤ３３２が点灯する。メモリ２４１がブロック４５２でクリアでない場合、制御はブロック４５４に移り使用中ＬＥＤ３３４が点灯する。ブロック４５４及び４５６の各々の後、制御はブロック４５８に移る。ブロック４５８で、プロセッサ２４０は制御パネル３１０をモニターする（図１５を参照）。ブロック４６０で、開始ボタン３１６が作動される場合、制御はブロック４６２に移り電子メモリ２４１がクリアされる。ブロック４６２後、制御はブロック４５２まで戻りループが繰り返される。再度ブロック４６０を参照すると、開始ボタン３１６が作動されないと、制御はブロック４５２に戻り例示された工程が繰り返される。
【０１５４】
表面２０上の情報とメモリ２４１内の情報間で不一致が出る上記の状況に加えて、他の状況でも同様な結果になるかもしれない。例えば、システムユーザは表面２０上の情報が一時メモリ２４１内の書き込み情報と異なるように表面２０に情報を加えるためバーコード化されていないペンを使用する。更に、ユーザーはメモリ２４１内の書き込み情報が表面２０上の情報と異なるように表面２０上の書き込み情報の一部を消去するため布のようなバーコード化されていない器具を使用するかもしれない。
【０１５５】
本発明の少なくとも１つの追加的な実施例によれば、図２１を参照すると、前述の不一致のような潜在的不一致が生ずる時期を示すために使用される追加の“アクノリッジ”ボタン３６９と関連する警告インディケータＬＥＤ３７１が提供される。このため、表面２０上での音響器具活動が検出されるが光学コードが検出されない場合、表示された書き込み情報と蓄積された書き込み情報間に不一致が存在する可能性がある。表面２０との接触に相当する音響活動（一般的な部屋のノイズではない）が検出され、コードが検出されない場合はいつでも、プロセッサ２４０は潜在的不一致を示すためにＬＥＤ３７１を点灯させる。一旦ＬＥＤ３７１が点灯されると、ＬＥＤ３７１はアクノリッジボタン３６９が選択される（例えば、システムユーザが表面とメモリの不一致が存在することを積極的に認識する）まで点灯状態のままである。
【０１５６】
図２０を参照すると、不一致を特定し且つ報告する典型的な方法４６６が示される。ブロック４７１と４８２は以下に説明される。図３及び図９も参照すると、ブロック４６８で、プロセッサ２４０はレーザー装置２６０と２６２及び音響センサー２５１及び２５３からの信号をモニターする。ブロック４７０で、プロセッサ２４０は音響活動が検出されたかどうかを判断する。音響活動が検出されないと、制御はブロック４６８まで戻る。ブロック４７０で、一旦音響活動が検出されると、制御はブロック４７４に移りプロセッサ２４０が光学コードが検出されたかどうかを判断する。光学コードがブロック４７４で検出されない場合、制御はブロック４７６に移りプロセッサ２４０がメモリ−表示不一致ＬＥＤ３７１を始動する。このように、バーコード化されていないイレーザー、ペン、又は他の器具が表面２０と接触し、ブロック４７０で音響センサー２５１及び２５３により検出されるが、光学コードがブロック４７４で検出されない場合、メモリ−表示不一致の可能性が検出され、ＬＥＤ３７１が始動する。ブロック４７６後、制御はブロック４７１に戻る。決定ブロック４７１で、プロセッサ２４０は選択のためのボタン３６９をモニターする。ボタン３６９が選択されない場合、制御はブロック４６８に戻り、ＬＥＤ３７１は点灯を維持する。ボタン３６９が潜在表面−メモリ不一致を認識するため選択される場合、制御はブロック４８２に戻りＬＥＤ３７１が作動停止する。ブロック４８２後、制御はブロック４６８に戻る。
【０１５７】
再度ブロック４７４を参照すると、もし光学コードが検出されると、制御はブロック４７８に移り器具活動が特定される。ブロック４８０で、器具活動は電子書き込み情報に変換され、メモリ２４１を更新するために使用される。ブロック４８０後、制御はブロック４７１に移りループが繰り返される。
【０１５８】
本発明の更に他の態様によれば、少なくともいくつかの場合において、システムユーザは安全確実な方法で表面２０上に現在表示されている（書き込まれ及び／又は投影された）情報の画像を蓄積したいので、ユーザー及びおそらくその他の人が後で画像にアクセスしたい場合、少なくともあるセキュリティレベルが意図しない視聴者が画像にアクセスするのを防止するために設定できる。このために、再度図１５を参照すると、本発明の少なくともいくつかの実施例によれば、パスワード保護ボタン３１５は、表面２０に表示された情報が保護されるべきである時期及び情報が保護されない方法で蓄積されるべきである時期を指示するためのサブセット開始命令又は制限開始命令を発生するために使用できる。アーカイブメモリ２４３に蓄積されるべき表示情報が保護されない場合、上方のアンロック南京錠の印に対応するＬＥＤ３７２が点灯される。同様に、メモリ２４３に蓄積される表示情報が保護される場合、上方のロック南京錠印に対応するＬＥＤ３７４が点灯される。ボタン３１５はＬＥＤ３７２及び３７４の状態を切り替えるために選択可能であり、それゆえ、システムユーザとプロセッサ２４０に記録保存された情報がパスワード保護されるべきかどうかを示すために選択可能である。加えて、ボタン３１５がＬＥＤ３７４を点灯するために選択されると、プロセッサ２４０は読み出し部３２４を介してランダムなパスワード又はアクセス番号を提供する。少なくともいくつかの実施例において、読み出し部３２４に提供されたアクセス番号はランダムな４桁数字である。代案として、パスワードは音声的に提供できるので、読み出し部３２４の追加費用が回避される。更に、いくつかの実施例において、システムユーザーは表面２０との相互作用を介して、又は接続されたコンピュータ１６を介して好ましいパスワードを提供することを要求される。
【０１５９】
ＬＥＤ３７４が点灯している間、ウエブサイト／アーカイブボタン３２２が選択されるときはいつでも、表面２０上に表示された情報の画像は半永久メモリ２４３に蓄積される。したがって、投影情報及び書き込み情報（例えば、メモリ２４２と２４１の各々からの情報）は表面２０に表示される場合、ボタン３２２が選択されると、情報は組み合わされ、組合せ情報の画像はメモリ２４３に蓄積される。
【０１６０】
ボタン３１５がサブセット終了命令又は制限終了命令を発生するため２度目に選択されるまで、ＬＥＤ３７４は点灯のままであり、各時間ボタン３２２は表示された情報を蓄積するために選択され、情報は最新に発行したパスワードと関連したファイル又は画像セットに蓄積される。したがって、ＬＥＤ３７４が作動している間、もしボタン３２２が表面２０上に表示された７つの異なる情報のセットのため７つの異なる時期に選択されると、７セットの情報の各々は最新のパスワードと関連するファイル内の個別画像としてメモリ２４３に蓄積される。少なくともいくつかの実施例において、ボタン３１５が２度目に選択されるまで、プロセッサ２４０は読み出し部３２４を介してアクセス番号を提供し続ける。ボタン３１５が２度目に選択されると、ボタン３１５が再度始動されるまで、ボタン３２２を選択することにより蓄積されるどの情報も保護されないようにアーカイブメモリ２４３に蓄積される（例えば、アクセス番号又はパスワードを要求することなしにアクセスできる）。少なくともいくつかの他のシステムにおいて、プロセッサ２４０はある期間（例えば、２分）後、又は、非活動（即ち、音響、書き込み又はボタン選択活動がない）期間後読み出し部３２４からのパスワードをクリアするようプログラムされる。以後、ボタン３１５が読み出し部３２４を介してパスワードをキャプチャするために選択される時期と、ボタン３１５が記録保存された情報がパスワード保護されるべきでないことを示すため次に選択される時期との間に生じる白板セッションの部分は“保護セッション”と称され、関連する画像のファイルは“セッションファイル”又は画像サブセットと称され、及びパスワードはセッションパスワード又はサブセットパスワードと称される。
【０１６１】
図２２を参照すると、上記のパスワード保護を容易にするための方法５００が示される。図９及び図１５も参照すると、ブロック５０２で、プロセッサ２４０はフラグＰ１ｆｌａｇをゼロにセットする。フラグＰ１ｆｌａｇはパスワードが現在の保護されたセッションにすでに割当られた時期を示すために使用される。フラグＰ１ｆｌａｇがゼロに等しいと、パスワードが割り当てられておらず、フラグＰ１ｆｌａｇが１に等しいと、パスワードが割り当てられたことを示す。
【０１６２】
続いて、ブロック５０４で、プロセッサ２４０は制御パネル３１０の活動をモニターする。ブロック５０６で、プロセッサ２４０はパスワード保護機能が始動されたかどうかを（例えば、パスワード保護ボタン３１５が選択されたかどうかを）判断する。パスワード保護機能が始動されなかった場合、制御はブロック５０８に移りＰ１ｆｌａｇが再度ゼロに設定される。ブロック５１０で、プロセッサ２４０はアンロックインディケータＬＥＤ３７２を点灯させる。次に、ブロック５１２で、プロセッサ２４０はウエブサイト／アーカイブボタン３２２が選択されたかどうかを判断する。アーカイブボタン３２２が始動されなかったとき、制御はブロック５０４まで戻りループが繰り返される。
【０１６３】
再度ブロック５１２を参照すると、アーカイブボタン３２２が始動されたとき、制御はブロック５１４に移り、プロセッサ２４０が、一時メモリ２４１と２４２の１つ又は両方からアーカイブメモリ２４３に情報を書き込むことにより表面２０上に現在表示されている情報をキャプチャする。この処理はメモリ２４３内の一番古い画像をキャプチャした画像と置換することにより達成される。ブロック５１４後、制御はブロック５０４まで戻りループが繰り返される。
【０１６４】
図２２のブロック５０６を再度参照すると、パスワード保護機能が始動された場合、制御はブロック５１６に戻る。ブロック５１６で、プロセッサ２４０はロックＬＥＤ３７４を点灯し、制御は決定ブロック５１８に戻る。ブロック５１８で、プロセッサ２４０はフラグＰ１ｆｌａｇが１であるかどうかを判断する。フラグＰ１ｆｌａｇが１でない（即ち、ゼロである）場合、ランダム又はパスワードはプロセッサ２４０により発行され、且つ読み出し部３２４を介して提供される。この時点で、又は保護セッション中のいつでも、オブザーバーは次のアクセスを可能にするためパスワードを書き留めることができる。続いて、ブロック５２２で、Ｐ１ｆｌａｇは１に設定され現在のパスワード保護セッションに対応するランダム番号が割り当てられたことを示す。ブロック５２２後、制御はブロック５２４に戻りパスワードが提供される。
【０１６５】
再度ブロック５１８を参照すると、Ｐ１ｆｌａｇが１であり、現在の保護セッションにランダム番号が割り当てられた場合、制御はブロック５２４に移り、パスワードが読み出し部３２４を介して提供される。ブロック５２４後、制御はブロック５２６に移りプロセッサ２４０がウエブサイト／アーカイブボタン３２２が選択されたかどうかを判断する。ボタン３２２が選択されない場合、制御はブロック５０４まで戻り、ループが繰り返される。ブロック５２６で、アーカイブボタン３２２が選択された場合、制御はブロック５２８に移り表面２０上に現在表示された情報がプロセッサ２４０によりキャプチャされる。ブロック５３０で、キャプチャされた情報は現在のパスワードと関連し、ブロック５３２で、キャプチャされた画像とパスワードが半永久メモリ２４３に蓄積される。ブロック５３２後、制御が再度ブロック５０４に戻る。最終的に、ブロック５０６で、パスワード保護ボタン３１５が保護セッションを終了するために２度目に選択されると、制御はブロック５０８に移りフラグＰ１ｆｌａｇが再度ゼロに設定される。
【０１６６】
図１５を再度参照すると、ソースボタン３２６及び３２８が表面２０上に投影された画像のソースを選択するために使用可能である。これに関して、アーカイブボタン３２６が選択され関連するＬＥＤ３８０が点灯すると、投影源はプロセッサ２４０を介したアーカイブメモリ２４３（再度図９参照）であり、ラップトップボタン３２８が選択されＬＥＤ３８２が点灯されると、投影源がプロセッサ２４０に接続されたコンピュータ１６であるので、コンピュータ画面上に表示されたものは何でも表面２０上に表示される。ここで、アーカイブ２４３内の画像にアクセスするための１つの追加方法は、ソース２４３から画像をキャプチャするため、投影源としてラップトップコンピュータ１６を選択し、コンピュータ１６をネットワーク接続を介してプロセッサ２４０に接続することである。
【０１６７】
再度図１及び図３を参照すると、システムユーザーがコンピュータ１６で実行するソフトウエアに対応する表面上に画像を投影するためシステム１０を使用する場合、ユーザーはしばしばアプリケーション機能を容易にするためソフトウエアと情報交換したいと思う。例えば、ユーザは画像が他のインターネットページに対するハイパーリンクを含むインターネットブラウザを表面２０上に表示するとする。ここで、ユーザーは追加の関連する情報にアクセスするためハイパーリンクテキストを選択したいと要望するかもしれない。リンクを選択するための１つの方法はリンクを選択するためにコンピュータ画面上でマウス制御カーソルを使用することである。不都合なことには、この作用は一般にはシステムユーザーがコンピュータにアクセスし制御するため白板アセンブリ１２近傍の位置を離れることを要求する。
【０１６８】
本発明の１つの他の態様によれば、バーコード化されたスタイラス型器具はシステムユーザーが表面２０上の器具活動を介してプロセッサ２４０に接続されたコンピュータ１６の画面上のカーソルを実際に移動させることを可能にする。１つの態様によれば、スタイラスは表面２０上で絶対的にカーソルを移動させるため投影された画像上で使用できる。例えば、ユーザーはハイパーリンクテキスト上で表面２０にスタイラスを接触し、それによりコンピュータ画面上のカーソルにハイパーリンクテキストを同様に選択させる。他の実施例として、各ウインドウがタイトルバーを有し且つコンピュータ１６上で実行される異なるソフトウエアアプリケーションと関連する種々のウインドウを表示された画像が含む場合、スタイラスをタイトルバーの１つに接触し、コンピュータ画面上の且つ表面２０上の対応するウインドウを移動させるため表面２０に沿ってドラッグする。このように、少なくとも１つの実施例において、スタイラスは絶対位置カーソル制御器として使用できる。
【０１６９】
上記の絶対位置カーソル制御システムは有益であるが、このようなシステムは少なくとも１つの欠点を有することが認識されている。具体的には、上記システムを使用するため、ユーザーはプロジェクタ１４と表面２０の間に位置しなけらばならず、表面２０上に影を投影するので情報をそこに投影できない。更に、白板表面２０の前面でのユーザーの存在は聴衆者の視界を妨害する。
【０１７０】
本発明の別の態様によれば、システム１０は表面２０が“投影領域”と少なくとも１つの“制御領域”を含む２つの領域に分割される動作モードにできる。この場合、制御領域内のスタイラスの活動は相対的な方法で投影領域上を移動するカーソルを投影領域に投影するプロセッサ２４０により検出される。
【０１７１】
図２３を参照すると、表面２０は投影領域５５８と制御領域５６０に分割される。図２３において、システム１０はコンピュータ１６の“現在”表示画面の画像を大規模投影するために使用される（図１参照）。コンピュータ画面表示上の投影画像のアスペクト比は本質的にコンピュータ表示画面自体のアスペクト比と同一である。図示された投影画像において、タイトルバー５６４と関連するアプリケーションにある機能（例えば、ハイパーリンク、プリント機能等）を実行させるために選択可能ないくつかの選択可能なアイコン５６６（１つのアイコンのみが番号付けされている）（他の選択可能なアイコンもウインドウ５６２に含まれている）を含むアプリケーションウインドウ５６２が投影される。
【０１７２】
投影領域５５８に投影されたコンピュータ表示画面を使用して、もしスタイラスが投影領域５５８外の制御領域５６０内の（例えば、５７０と名前付けされた位置の）表面２０と接触するために使用されると、コンピュータ１６の表示画面上のカーソルは作動状態になるがコンピュータ画面上の位置は最初変化しない。換言すると、白板の表面２０上のスタイラスの位置とコンピュータの表示画面上の（現時点での）カーソルの位置間には比例関係がない。白板の表示面のアスペクト比が実際にはコンピュータ表示画面のアスペクト比とまったく異なることに留意されたい。したがって、白板表面２０上の投影領域外の点に対してスタイラスを単純に接触させることにより、上記に説明された機能がコンピュータ画面上のカーソルの位置的に比例する移動を発生させる上記に説明したような活動を引き起こすことは通常適切でない。
【０１７３】
しかしながら、本発明の少なくともいくつかの実施例において、スタイラスが表面２０と接触している間、制御領域５６０内のスタイラスの動きはコンピュータ画面上，したがって、領域５５８内の投影された画像上のカーソルの比例的に関連し且つ図的に類似の動きを発生させる。この移動関係は実際には幾分比例しているが、表面２０上のスタイラスの接触点とコンピュータ１６の表示画面上のカーソルの接触点の位置的関係が座標的に比例せず、互いに固定されない。このように制御領域５６０内のスタイラスの動きは従来のコンピュータ設定でのマウスパッド上のマウスの動きと同様な方法で作動する。
【０１７４】
上記の統合又は分離モードにおいて、プロセッサ２４０は従来のマウス操作に関連するような特定のスタイラス操作を認識するためにプログラムされる。例えば、表面２０上の単一スタイラスタップはマウスクリック操作として認識され、速いダブルタップはダブルクリックとして認識され、スタイラスを１秒間押下して持ち上げることは、右クリックとして認識され、上述のように、クリック後のスタイラスの移動はドラッグ操作として認識される。
【０１７５】
本発明の少なくともいくつかの実施例において、“統合モード”と“分離モード”を含む動作の２つの異なる選択可能モードがある。再度図２３を参照すると、統合モード状態において、プロセッサ２４０は投影領域５５８内の絶対位置決め動作を実行し、投影空間５５８外の表面２０上の全ての空間の相対位置決め動作を実行する。更に、統合モードが選択されると、表面２０上のどのインク情報及び投影情報もキャプチャ時（例えば、蓄積時、プリント時）に１つの画像に統合される。ここで、器具が外部領域から内部領域５５８に及びその逆に移動するときの相対及び絶対位置決め動作間の切替動作は自動的である。
【０１７６】
分離モードにおいて、プロセッサ２４０は、器具が表面２０と接触するために使用される場所にもかかわらず、領域５５８内のカーソル等の相対位置決めを実施する。空間５５８内のスタイラス運動でも空間５５８内のカーソルの相対運動になる。分離モードが選択されると、表面２０上の全てのインク情報と投影情報は蓄積及び印刷のために別々にキャプチャされる。別々にキャプチャされるが、情報はまだ相互関連しているので、後で共に見ることができる。ここで、投影された情報はプロジェクタに進む映像を捕捉するためプロセッサ２４０を使用して別々にキャプチャできる。
【０１７７】
図１５を再度参照すると、パネル３１０は表面２０上のスタイラス位置が投影された画像内の投影カーソルの絶対位置と投影された画像外の相対位置を制御する統合動作モード、及びスタイラス位置が相対的な方法で表面２０上の全ての場所でカーソル位置を制御する分離動作モードのどちらかをシステムユーザーが選択するのを可能にするため少なくともいくつかの応用例に提供されるモードボタン３３０を含む。このボタン３３０は選択が現在のモードを他のモードに変更するトグルボタンである。ＬＥＤ３８４及び３８６は統合及び分離モードのどちらかが現在作動中であることを示す。
【０１７８】
図２４を参照すると、統合及び分離動作モードを促進するための典型的な方法５７４が示される。図９及び図１５も参照すると、ブロック５７６で、プロセッサ２４０は制御パネル３１０の活動をモニターする。ブロック５７８で、プロセッサ２４０は現在のモード設定（例えば、統合又は分離モード）を判断する。統合モードが作動中である場合、制御はブロック５８０に移り、プロセッサ２４０が表面２０を投影領域及び制御領域（図２３の５５８及び５６０を再度参照）に分割する。次に、ブロック５９２で、プロセッサ２４０は相対的に制御領域５６０内の器具活動を、及び絶対的に投影領域５５８内の器具活動を検出する。続いて、ブロック５９４で、プロセッサ２４０は必要に応じて制御領域から投影領域への相対的な活動変換を実施する。ブロック５８６で、プロセッサ２４０はスタイラスの相対移動を反映するためコンピュータ１６にコンピュータ表示上のカーソル位置を変更させる。ブロック５８７で、制御器２４０はプロセッサに表面２０上に新しく位置決めされたカーソルを含むコンピュータ画像を投影させる。ブロック５８７後、制御はブロック５７６まで戻り上記のプロセスが繰り返される。再度、ここで、プロセスが次回に工程５８７を介してループする場合、コンピュータ表示上のカーソル移動は表面２０上に投影された画像に反映される。
【０１７９】
更に図２４を参照すると、分離モードが作動中である決定ブロック５７８で、制御はブロック５８２に戻る。ブロック５８２で、プロセッサ２４０は表面２０上の全ての位置で相対スタイラス活動を検出する。ブロック５８６で、プロセッサ２４０はこのプロセッサに接続されたコンピュータと協働し、表面２０上のスタイラスの相対位置に対する位置にコンピュータ画面上のマウス型カーソルを動かす。ブロック５８７で、制御器２４０はプロジェクタに、表面２０上に新しく位置決めされたカーソルを含むコンピュータ画像を投影させる。次に、制御はブロック５７６まで戻り処理が繰り返される。次回工程５８０を通ってコンピュータ表示された画像が表面２０上に投影されるとき、コンピュータ表示上の新しいカーソル位置が投影された画像の一部として投影されることに留意されたい。図２４のプロセスは非常に速く、したがって、リアルタイムカーソル移動が生じる。
【０１８０】
更に、図示されていないが、少なくともいくつかの実施例において、領域５５２のような制御領域が投影領域５５０のどちらかの側で提供され、その結果、ユーザーが領域５５０のどちらかの側に接しているかどうかにかかわらず、ユーザーは投影カーソル位置を動かすため制御領域にすばやくアクセスできる。
【０１８１】
図２３を参照すると、プロセッサ２４０（再度図９を参照）が投影領域５５８の周囲でマウス型カーソルを動かすために使用できる他の方法の１つは、投影領域５５８の形状と類似の形状を有する制御領域５５５を規定し、領域５５８内の投影されたカーソルをスタイラスが制御領域５５５に対して有する領域５５８に対する同じ相対位置に置くことによる方法である。例えば、もしスタイラスが制御領域５５５の上部右側コーナーを選択するために使用されると、カーソル（図示せず）は投影領域５５８の上部右側コーナーに投影される。
【０１８２】
統合又は分離方法でマウス型カーソルを制御できることに加えて、いくつかの実施例において、ペンコード化された器具が統合又は分離方法で投影領域５５８内に書き込み情報（例えば、図又は番号を丸で囲む）を置くために使用できる。コンピュータ表示された画像に対応する画像が表面２０上に投影されると、ペンは上記のように投影領域内に書き込み情報を提供するために使用できる。例えば、システムユーザーは投影された画像のある部分を強調するため又は注記を付けるため図２３に示されるようにハイパーリンクフレーズの１つの周囲にマーク５６９を付けるとする。もしペンが適切にコード化（例えば、バーコード化）されていると、ペン活動が検出され、メモリ２４１に蓄積される。
【０１８３】
図２５を参照すると、表面２０が示され、表面２０は比較的大きい投影領域５５５とより小さい同様な形状の直線状制御領域５５２に分割されている。ペン先を開始点Ｓ１に置き、エンドポイントＥ１まで曲線を形成するようにペン先を移動させることにより、曲線を形成するため領域５５２内でペン５５４が使用される。ペン先はポイントＳ１及びＥ１間で移動するので、図９を再度参照すると、プロセッサ２４０はペン型、色、厚み等を含むペンの活動を特定し、投影領域５５０の寸法に対応するより大きな相対サイズに対して移動を比例的に縮尺拡大し、実質的にリアルタイムで、開始点Ｓ２で始まり終点Ｅ２で終わる領域５５０に図示された曲線を投影するためにプロジェクタ１４を制御する。このように、システムユーザーはユーザーがプロジェクタ１４から投影領域５５０への視覚の直接的なライン又は聴衆の視界を妨げないよう制御領域５５２の前に立つことができ、領域５５０内の書き込み情報を修正できる。
【０１８４】
図２５を再度参照すると、上記の分割表面２０の概念は仮想インクとの関連で述べられるが、少なくともいくつかの実施例において、本物のインクペンが制御領域５５２内に情報を提供するために使用でき、仮想の投影情報を空間５５０に投影させる。例えば、空間５５２に図示されたカーブは本物のインクで形成される時、システム１０は視認性を助長する空間５５０内に図示された投影カーブを発生する。
【０１８５】
本発明の別の態様によれば、システムユーザは、少なくともいくつかの実施例において、装置が投影領域と制御領域間を識別できるようにシステム１０を調整する必要があるので、投影領域内の投影情報に関連するカーソル位置が判断できる。このために、少なくとも１つの調整方法によれば、もしシステムが事前に調整されていないと、プロセッサ２４０は、図３１を参照すると、いくつかの実施例において、ユーザーに４個のマークを選択するためある型のスタイラスを使用することを指示する命令（図示せず）に従い、投影された画像の４つのコーナーで整合マーク９０１、９０３、９０７、及び９０９を投影する工程を含む調整ルーチンを実行する。４つのマークが選択されると、画面２０上の選択された位置は投影された画像のコーナーと相関され、したがって、関連する投影領域９１０内に生じる全ての活動が縮尺される。デフォルト設定で、領域９１０外の空間は制御領域９１４として設定される。
【０１８６】
更に図３１を参照すると、少なくともいくつかの実施例において、投影領域９１０が調整中に指定されると、バッファゾーン９１２又は投影領域周辺の境界（例えば、１０３インチの幅）を含む領域はプロセッサ２４０により特定され、バッファ領域が投影領域外にあるにもかかわらず、絶対カーソル位置決め動作が支持される。この場合、例えば、システム１０が統合モードにあると、バッファゾーン９１２内のどのカーソル活動も絶対カーソル位置決め動作をもたらし、その結果、ユーザが投影領域９１０の端部の近傍の位置を指定するためにスタイラスを使用すると、カーソル制御は絶対位置決め動作と相対位置決め動作間で不注意に切替わらない。
【０１８７】
図３２を参照すると、本発明の１つの態様による調整方法９２０が示される。図９及び図３１も参照すると、ブロック９２２で、プロセッサ２４０はマーク９０１、９０３、９０７及び９０９を表面２０上に投影することにより調整プロセスを開始する。ブロック９２４で、システムユーザはスタイラスを使用して４個の投影されたマークの位置を物理的に特定する。ブロック９２６で、プロセッサ２４０は選択された位置と関連する投影された領域９１０を特定する。ブロック９２８で、プロセッサ２４０は領域９１０周辺のバッファゾーン９１２を特定し、ブロック９３０で制御領域９１４を特定する。ブロック９３２で、プロセッサ２４０はバッファゾーン及び投影領域内の絶対カーソル位置決め動作をもたらすように構成し、ブロック９３４で、プロセッサ２４０は、システムが統合モードにある場合、制御ゾーン９３４内の器具活動の機能としてゾーン９１０内の相対カーソル位置決め動作をもたらすように構成される。
【０１８８】
本発明の少なくとも１つの実施例において、コンピュータ１６（図１を参照）が記録保存された画像にアクセスするために必要となる。画像を表示するため、ユーザーはラップトップ（例えば、１６）又は他のコンピュータ（例えば、他の物理位置にあり、接続されたネットワーク上のコンピュータ）を使用して、サーバープロセッサ２４０により動作するシステムウエブサイトにアクセスする。その後、プロセッサ２４０は各蓄積された画像及び／又はセッションファイルに対応するサムネイルアイコンがコンピュータ画面上に表示されるようにする。いくつかの実施例において、保護セッションファイルに対応するアイコンはロックされた南京錠アイコンとして現れる。ユーザーはコンピュータを介してアイコンの何れかを選択する。ロックされていないアイコンが選択されると、プロセッサ２４０は対応する画像を表示するためコンピュータ１６に提供する。保護セッションファイルに対応するロックアイコンが選択されると、コンピュータ１６はパスワードを入力するためのフィールドを提供し、パスワードを入力するための適切な命令を提供する。もしパスワードが受信され、正しければ、プロセッサ２４０はセッションファイルの最初の画像をコンピュータ１６に提供し、コンピュータ１６が選択された画像を表示する。
【０１８９】
記録保存された画像にアクセスし再び見る他の方法の１つは、プロセッサ２４０に接続されたラップトップコンピュータ１６を使用してコンピュータ表示された画像を表面２４０上に投影することである。この場合、モジュール２４０に接続されたラップトップコンピュータ１６を使用して、ラップトップボタン３２８が選択され、投影源がコンピュータ１６であることを示すためにＬＥＤ３８２が点灯される。記録保存された画像にアクセスするためのプロセスは前述されたプロセスと本質的に同一である。唯一の差はコンピュータ表示された情報が表面２０上に投影されることであり、したがって、投影された画像がコンピュータ画面を介して見る場合、画像も表面２０を介して見ることができる。
【０１９０】
ユーザーが保護されていない画像を見たい場合、少なくともいくつかの実施例において、コンピュータ１６は必要とされない。その代わり、再び図１５及び図３０を参照すると、アーカイブボタン３２６が選択されると、プロセッサ２４０の内蔵ソフトウエアはユーザーがマウスとしてスタイラスを使用してキャプチャ画面をスクロールし、選択し、且つズームイン及びアウトできる画面上（即ち、白板表面２０上）ツールを提供する。ここで、一般的に、ソフトウエアは、矢印アイコン７１０と７１２をスクロールし、アイコン７１４及び７１６及びプリントアイコン９９２をズームすると共に、非保護画像のサムネイルスケッチ７００、７０２、７０４、及び７０６、保護画像のための南京錠アイコン７０８（１つのみ図示）を提供できる。スタイラスは、大表示領域７２０内に対応する画像を表示するようサムネイルアイコンの何れかを選択するため、又は、画像の表示を変更するため又はプリント機能を作動させるためツールアイコンの一つを選択するために使用できる。
【０１９１】
南京錠アイコン７０８が選択される場合、いくつかの実施例において、プロセッサ２４０はコンピュータ（例えば、図１の１６）が関連するセッションファイルにアクセスする必要があることを指示するメッセージを発行する。追加のインターフェース（例えば、コンピュータ１６）を必要とすることなく、ユーザーがセッションファイル内の保護された画像にアクセスするのを可能にするため、いくつかの実施例において、アーカイブボタン３２６が選択された後且つロックアイコンが選択された後、プロセッサ２４０は番号（及び／又は文字）及び入力ボタンを含む仮想キーパッドと共に白板表面２０上にパスワードフィールドを投影するようプログラムされる。その後、適切なパスワードが入力されると、プロセッサ２４０は対応するセッションファイルへのアクセスを可能にするようプログラムすることもできる。
【０１９２】
図２６を参照すると、上記説明と一貫した保護されていない記録保存された画像にアクセスするための１つの方法５９８が示される。図１、図９、及び図１５も参照すると、ブロック６００で、プロセッサ２４０は制御パネル活動をモニターする。決定ブロック６０２で、プロセッサ２４０はアーカイブボタン３２６が選択されたかどうかを判断し、少なくとも１つの記録保存された画像がアクセスされ且つ表示されることを示す。ボタン３２６が選択されると、アーカイブＬＥＤ３８０が点灯される。もしアーカイブボタン３２６が選択されないと、制御はブロック６００まで戻り、ブロック６００と６０２を含むループが繰り返される。もし、ブロック６０２で、アーカイブボタン３２６が選択されると、制御はブロック６０４に移りプロセッサ２４０がサムネイルアイコンと南京錠アイコンを含む図３０に示される画像に類似する一画面を表示する。
【０１９３】
続いて、ブロック６０８で、プロセッサ２４０は画像アイコンが選択されたかどうかを判断する。画像アイコンが選択されないと、制御はブロック６０４に戻る。画像が選択された場合、制御はブロック６１０に移り、選択されたアイコンがロックアイコンであるかどうかを判断する。選択されたアイコンがロックアイコンでない場合、制御はブロック６２８に移り、プロセッサ２４０が選択されたサムネイルアイコンと関連する画像へのアクセスを可能にする。
【０１９４】
再度ブロック６１０を参照すると、もし選択されたアイコンがロックアイコンであれば、制御はブロック６１２に移り、プロセッサ２４０があるアクセス制限機能を実施する。例えば、プロセッサ２４０はコンピュータ１６が保護されたセッションファイルにアクセスするためパスワードを入力する必要があることを指示するメッセージをプロジェクタ１４を介して提供する。
【０１９５】
図２７を参照すると、コンピュータ（例えば、ラップトップコンピュータ１６）又はプロセッサ２４０ソフトウエアを介して保護された又は非保護の記録保存画像にアクセスするための方法６７０が示される。図１、図９及び図１５も参照すると、ブロック６７２で、プロセッサ２４０はコンピュータ活動のためのネットワーク接続をモニターする。ブロック６７４で、プロセッサ２４０はアーカイブレビュー機能がプロセッサに接続されたコンピュータを介して又はアーカイブボタン３７４を介して選択されたかどうかを判断する。ブロック６７６及び６７８で、ブロック６０４に対する上記方法と類似の方法で、プロセッサ２４０は各非保護画像と各保護セッションファイルに対しサムネイルアイコンを提供する。
【０１９６】
続いて、ブロック６８０で、プロセッサ２４０は画像アイコンが接続されたコンピュータを介して又は白板表面２０上のスタイラス選択を介して選択されたかどうかを判断する。画像アイコンが選択されないと、制御はブロック６７２に戻りプロセスが繰り返される。決定ブロック６８０で、画像アイコンが選択された場合、制御はブロック６８２に移り、プロセッサ２４０が選択されたアイコンが非保護画像アイコン又は保護セッションファイルアイコンであるかどうかを判断する。選択されたアイコンが非保護画像に対応する場合、制御はブロック６９８に移り画像がコンピュータを介して表示される。上述したように、もしコンピュータが画像を提供するためにプロセッサ２４０に接続され、ラップトップボタン３２８（再度図１５を参照）が選択されると、コンピュータ画面上に表示された画像が観察のため白板表面２４上にも投影される。コンピュータがプロセッサ２４０に接続されない場合、プロセッサ２４０は直接プロジェクタに非保護画像を投影させる。
【０１９７】
ブロック６８２を再度参照すると、もし選択されたアイコンが保護セッションファイルに対応すると、制御はブロック６８４に移り、プロセッサ２４０は選択されたアイコンに関連するパスワードＰＷＡを特定する。続いて、ブロック６８６で、プロセッサ２４０は接続されたコンピュータにパスワードフィールドを提供させ、あるいは、パスワードを入力するフィールドを使用するための指示を提供させる。代案として、コンピュータがプロセッサ２４０に接続されない場合、プロセッサ２４０はプロジェクタ１４を介して白板表面２０上に直接パスワードフィールドを提供する。ブロック６８８で、プロセッサ２４０は提供されたパスワードＰＷＰのためのパスワードフィールドをモニターする。パスワードが保護されていない場合、プロセッサ２４０はブロック６８６及び６８８を介して戻る。一旦パスワードＰＷＰが提供されると、制御はブロック６９０に移り、プロセッサ２４０が提供されたＰＷＰを関連するパスワードＰＷＡと比較する。提供されたパスワードＰＷＰが関連するＰＷＡと同一でない場合、制御はブロック６９２に移り制限機能が実行される。例えば、制限機能はコンピュータ画面を介してパスワードが不正確に入力されたというメッセージを提供する工程を含む。ブロック６９２後、制御はブロック６７２まで戻る。
【０１９８】
再度ブロック６９０を参照すると、提供されたパスワードＰＷＰが関連するパスワードＰＷＡと同一である場合、制御はブロック６９４に移り、プロセッサ２４０がセッション画像に対するアクセスを容易にする。例えば、アクセスを容易にする工程は画像アイコン、保護セッションファイル内の画像の各々に対応する個別の画像アイコンの別のリストを提供し、その後、システムユーザーが観察のためこれらの画像の一つを選択するのを可能にする工程を含んでいる。別の例では、保護セッションファイル内の最初の画像は、システムユーザーが他の画像（例えば、選択可能な次の画像アイコン）をスクロールするのを可能にするある種のインタラクティブツールと共に、コンピュータ画面上に最初に表示することができる。ブロック６９６で、プロセッサ２４０はシステムユーザがレビューセッションを終了したいかどうかを判断するためにコンピュータ活動をモニターする。このセッションを終了する指示が受信されるまで、制御はブロック６９４及び６９６を介して戻る。一旦ユーザーがセッションレビューを終了すると、制御はブロック６９６からブロック６７２に戻り上記の方法が繰り返される。
【０１９９】
直観で操作できるインターフェースを含み、直観的方法で使用できる簡略化された白板システム１０を構成するために多大な尽力がなされたが、それにもかかわらず、システムユーザにとってシステム１０の特徴の少なくともいくつかの操作が分かりにくいと思われる。ユーザーがシステム１０の特徴を充分に利用できるようにするため、本発明の少なくともいくつかの実施例において、ヘルプ又は情報ボタン３１２（再度図１５を参照）と関連するヘルプ機能が提供される。このために、一般的に、ヘルプボタン３１２が選択されパネル３１０上の他のボタンの何れかが続いて選択されると、プロセッサ２４０が２番目に選択されたボタンと関連する説明を知らせるためスピーカー／マイクロホン装置２２８及び２３０を制御する可聴ヘルプ機能が始動する。例えば、もしシステムユーザーがパネル３１０上のウエブサイト／アーカイブボタン３２２に関する機能を理解できない場合、ユーザーはヘルプボタン３１２を選択し、その後ウエブサイト／アーカイブボタン３２２を選択し、プロセッサ２４０はウエブサイト／アーカイブボタン３２２を選択する場合の効果についての言葉による説明を行う。例えば、ヘルプボタン３１２及びボタン３２２の順序で選択されると、説明は以下のように始められる、即ち：
「ユーザーは白板表面上に表示された情報の画像をキャプチャし、後のアクセスのため内蔵アーカイブ及びウエブサーバー上のファイルとして蓄積できます。白板の画像をキャプチャし、白板のアーカイブ及びウエブサーバー上に蓄積するには、まず、画像をキャプチャする準備ができたら、ウエブサイト／アーカイブボタンを押します。プレゼンテーションを続けてください。ウエブサイト／アーカイブＬＥＤは画像ファイルが蓄積されるまで緑色に点滅します。キャプチャされた画像は白板の内蔵アーカイブに追加され．．．．．．」
同様に、パネル３１０上の任意の他のボタンに関する言葉による説明を得るには、ヘルプボタン３１２を選択し、その後は情報が必要とされているボタンを選択する。
【０２００】
図２９を参照すると、上記のヘルプ機能を実行するための方法６３０が示される。図３、図９、及び図１５も参照されると、ブロック６３２で、ヘルプタイム値Ｔｏｕｔがプロセッサ２４０により設定される。例えば、ヘルプタイム期間は１０秒である。この場合、ヘルプボタン３１２の選択後、他のパネルボタンの１つが１０秒以内に選択されなければならず、そうでなければヘルプ機能が停止状態になる。ブロック６３２で、プロセッサ２４０は活動のための制御パネル３１０をモニターする。ブロック６３４で、プロセッサ２４０はヘルプボタン３１２が選択されたかどうかを判断する。ヘルプボタンが選択されないと、オプショナルメッセージが流れ、ヘルプを必要としている別のボタンを押すよう言葉による説明を音声的に与える。その後、制御はブロック６３２に戻る。ヘルプボタン３１２が選択されると、制御はブロック６３５に移って音声ヘルプ説明が必要に応じて提供され、その後、制御はブロック６３６に移り、プロセッサ２４０がゼロの初期値Ｔｈを有するヘルプタイマーを開始する。ブロック６３８で、プロセッサ２４０は２番目のパネルボタンが選択されたかどうかを判断する。２番目のパネルボタンが選択されない場合、制御はブロック６４０に移り、タイマー値Ｔｈがタイムアウト期間Ｔｏｕｔと比較される。もしタイマー値Ｔｈがタイムアウト期間Ｔｏｕｔ以下であると、制御はブロック６３８に戻り、ループが繰り返される。もしタイマー値Ｔｈがタイムアウト期間Ｔｏｕｔに等しければ、制御はブロック６４２に戻り、タイマー値Ｔｈが再度ゼロに設定される。ブロック６４２後、制御はブロック６３２まで戻る。
【０２０１】
再度ブロック６３８を参照すると、もし２番目のパネルボタンが選択されると、制御はブロック６４４に戻り、プロセッサ２４０が２番目に選択されたボタン用の音声ヘルプファイルにアクセスする。ブロック６４６で、プロセッサ２４０がヘルプファイル内にある情報を音声的に送信する。ブロック６４６の後、制御はブロック６４２に移り、タイマー値Ｔｈが再度ゼロに設定される。再度ブロック６４２後、制御はブロック６３２まで戻りプロセスが繰り返される。
【０２０２】
いくつかの実施例が音声ヘルプ機能のみを含むが、他の実施例は、代わりに又は追加で、上記と同様な方法で選択可能なある種の投影ヘルプ機能を含む。例えば、１つの場合において、ユーザーがヘルプボタン３１２を選択し、続いてアーカイブアイコン３２２を選択すると、プロセッサ２４０は関連する説明を白板表面２０上に投影する。
【０２０３】
上述の方法及び装置は単に典型的な例であり、本発明の範囲を限定するものでなく、種々の変形が本発明の範囲内で当業者により実施されることを理解されたい。例えば、上述のシステムは前面投影プロジェクタ１４を含むが、白板表面２０上に“投影された”情報がリアプロジェクタを使用して、又は最近開発されたその他の平面パネル技術を使用して提供される他のシステムも考えられる。更に、少なくともいくつかの実施例において、非保護画像又は保護画像と非保護画像の組合せを含むセッションファイル型画像をグループ化するための構成を含むことができる。上記のように、パスワード保護ボタン３１５（再度図１５を参照）のようなボタンがファイル内に含まれるべき画像の開始と終了を示すために提供できる。更に、ユーザーがセッションファイルと関連するパスワードを（例えば、画面上のキーパッド及び関連フィールドを介して）提供できる実施例も考えられる。
【０２０４】
更に、多くの特徴が上述されたが、本発明の少なくとも１つの実施例は、バーコード化された本物のインクペンのみと共に使用され、仮想インクペンとは使用せず、システムプロジェクタが仮想インクのマーキングを白板表面２０上に投影することはない。このように制限することで比較的直観的なシステムとなり、使用する実例が従来の書き込み及びマーキング概念により類似しているので、ほとんどのシステムユーザーにとってはるかに使いやすくなることがわかった。
【０２０５】
更に、ここでは“白板”という用語が使用されるが、この用語は限定的な意味で使用されるべきでなく、ここで説明された概念の多くは、リアプロジェクション装置、フロントプロジェクション装置、平面表示画面等を含むが、これらに限定されることはない種々の型の表示面と共に使用することができ、またそのように意図されている。したがって“プロジェクタ”という用語も幅広い意味で使われ、あらゆる型の表示ドライバを含む。“表示面”という用語はここでは白板表面の最も広い概念と同意語的に使用される。
【０２０６】
公衆に本発明の範囲を知らせるため、以下の特許請求の範囲が作成された。
【図面の簡単な説明】
【０２０７】
【図１】図１は本発明による白板システムの斜視図である。
【図２】図２は図１の白板アセンブリの分解斜視図である。
【図３】図３は、上部ヘッダー及び下部ヘッダードアーが開いた状態の、図１の白板アセンブリの正面平面図である。
【図３Ａ】図３Ａは図３のレーザー装置の１つの概略平面図である。
【図４】図４は図２の下部ブラケットアセンブリの１つの斜視図である。
【図５】図５は図４のアセンブリの断面図である。
【図６】図６は図２の上部ブラケットアセンブリの１つを示す斜視図である。
【図７】図７は図６のアセンブリの断面図である。
【図８】図８は図２の上部ブラケットアセンブリの１つを含むいくつかのコンポーネントかを示す部分平面図である。
【図９】図９は図３のプロセッサ／インターフェースモジュールの種々のコンポーネントを示す概略図である。
【図１０】図１０は本発明の一態様によるペン及びキャップ器具の斜視図である。
【図１１】図１１は本発明の一態様によるイレーザー器具の斜視図である。
【図１２】図１２は本発明による進歩的な多目的器具の側部立面図である。
【図１３】図１３は図１２に示す器具の一部を示す拡大図である。
【図１４】図１４は図１３に類似しているが、キャップ部材が他方の部材の一端に差し込まれている図である。
【図１５】図１５は図２のプロセッサ／インターフェースモジュールの制御パネルを示す平面図である。
【図１６】図１６は本発明の一態様による白板アセンブリ搭載方法を示すフローチャートである。
【図１７】図１７は作動処理中レーザーセンサー装置を白板表面と整合する方法を示すフローチャートである。
【図１８】図１８は器具が白板表面と接触する時期を特定し、且つ器具活動を特定する方法を示すフローチャートである。
【図１９】図１９は図９に示す電子メモリの１つの消去を容易にする方法を示すフローチャートである。
【図２０】図２０は図９に示されるメモリの１つと関連する白板表面間の潜在的な不一致を特定し且つ表示する方法を示すフローチャートである。
【図２１】図２１は少なくともいくつかの進歩的な実施例において図１５のパネルに追加できる追加インターフェースボタンを示す平面図である。
【図２２】図２２は本発明の一態様によるパスワード保護方法を示すフローチャートである。
【図２３】図２３は本発明の少なくとも一態様による投影領域と制御領域を形成するために分割された白板表面を示す概略図である。
【図２４】図２４は図２３に示される白板のような分割された白板との関連で器具の相対的及び絶対的制御を示す本発明の一態様によるフローチャートである。
【図２５】図２５は図２３に類似しているが、コンピュータ表示画面が投影領域内に投影される分割白板表面を示している。
【図２６】図２６は事前に記録保存された表示画像にアクセスする方法を示すフローチャートである。
【図２７】図２７は記録保存された画像にアクセスするための他の方法を示すフローチャートである。
【図２８】図２８はシステムレーザー装置を白板表面と整合するための作動処理中に使用されるトレイ表面上のレーザー光線を示す部分斜視図である。
【図２９】図２９は本発明の一態様によるヘルプ方法を示すフローチャートである。
【図３０】第３０図は本発明の一態様による典型的な一画面を示す概略図である。
【図３１】図３１は図２３と類似しているが、進歩的なシステムを調整するために使用されるマーク及び投影領域と制御領域間のバッファゾーンを含む表示部を示している。
【図３２】図３２は調整プロセスを示すフローチャートである。
【符号の説明】
【０２０８】
１０    電子白板システム
１２    電子白板
１４    プロジェクタ装置
１６    コンピュータ
１８    プリンタ
２０    白板表面
２２    白板部材
２４    上部白板端部部材
２６    下部白板端部部材
２８、３０、３２    下部ブラケットアセンブリ
３４、３６、３８    上部ブラケットアセンブリ
４０、４２    内部端部パネル
４４、４６    仕上げ部材（端部キャップ）
４８    上部ヘッダー
５０    下部ヘッダー
５２    通信ケーブル      
５４    プロセッサ／インターフェースモジュール
６２    上部端部
６４    下部端部
６６    側方端部
７０    ベース部材
７２    調整部材
７２    器具トレイ
８０、８２    取付ネジ
８５    垂直壁支持表面
８９    水平天井表面
２５１、２５３    音響センサー    
【図１】
2006526958.tif 000003
【図２】
2006526958.tif 000004
【図３】
2006526958.tif 000005
【図３Ａ】
2006526958.tif 000006
【図４】
2006526958.tif 000007
【図５】
2006526958.tif 000008
【図６】
2006526958.tif 000009
【図７】
2006526958.tif 000010
【図８】
2006526958.tif 000011
【図９】
2006526958.tif 000012
【図１０】
2006526958.tif 000013
【図１１】
2006526958.tif 000014
【図１２】
2006526958.tif 000015
【図１３】
2006526958.tif 000016
【図１４】
2006526958.tif 000017
【図１５】
2006526958.tif 000018
【図１６】
2006526958.tif 000019
【図１７】
2006526958.tif 000020
【図１８】
2006526958.tif 000021
【図１９】
2006526958.tif 000022
【図２０】
2006526958.tif 000023
【図２１】
2006526958.tif 000024
【図２２】
2006526958.tif 000025
【図２３】
2006526958.tif 000026
【図２４】
2006526958.tif 000027
【図２５】
2006526958.tif 000028
【図２６】
2006526958.tif 000029
【図２７】
2006526958.tif 000030
【図２８】
2006526958.tif 000031
【図２９】
2006526958.tif 000032
【図３０】
2006526958.tif 000033
【図３１】
2006526958.tif 000034
【図３２】
2006526958.tif 000035
【国際調査報告】
2006526958.tif 000036
2006526958.tif 000037
2006526958.tif 000038
2006526958.tif 000039
2006526958.tif 000040